(57)【要約】  移動局は、ＭＩＭＯ（ｍｕｌｔｉ−ｉｎｐｕｔ  ｍｕｌｔｉ−ｏｕｔｐｕｔ）フィードバックモードビットマップとフィードバック周期に対する情報を受信する。移動局は、ＭＩＭＯフィードバックモードビットマップが指示する少なくとも１つのＭＩＭＯフィードバックモードに相当するチャネル情報を推定する。移動局は、ＭＩＭＯフィードバックモードビットマップ、ＭＩＭＯフィードバックモードビットマップが指示する少なくとも１つのＭＩＭＯフィードバックモードに相当するチャネル情報を含むＭＩＭＯフィードバックを生成する。移動局は、フィードバック周期の到来時に、ＭＩＭＯフィードバックを基地局に伝送する。
2013521694.tif 000002
【特許請求の範囲】
【請求項１】
ＭＩＭＯ（ｍｕｌｔｉ−ｉｎｐｕｔ  ｍｕｌｔｉ−ｏｕｔｐｕｔ）フィードバックモードビットマップを受信するステップと、
前記ＭＩＭＯフィードバックモードビットマップが指示する少なくとも１つのＭＩＭＯフィードバックモードに相当するチャネル情報を推定するステップと、
前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを生成するステップと、
前記ＭＩＭＯフィードバックを基地局に伝送するステップとを含むことを特徴とする移動局のＭＩＭＯフィードバック伝送方法。
【請求項２】
前記ＭＩＭＯフィードバックモードビットマップは、
広帯域チャネル品質情報を報告する１つ以上のＭＩＭＯフィードバックモードをそれぞれ示す１つ以上のビットと、
サブバンドチャネル品質情報を報告する１つ以上のＭＩＭＯフィードバックモードをそれぞれ示す１つ以上のビットとを含むことを特徴とする請求項１に記載の移動局のＭＩＭＯフィードバック伝送方法。
【請求項３】
フィードバック周期に対する情報を受信するステップをさらに含み、
前記フィードバック周期の到来時に、前記ＭＩＭＯフィードバックが伝送されることを特徴とする請求項２に記載のＭＩＭＯフィードバック伝送方法。
【請求項４】
前記ＭＩＭＯフィードバックのためのＨＡＲＱチャネル識別子に対する情報を受信するステップと、
前記ＨＡＲＱチャネル識別子に割当てられた無線資源に対する情報を受信するステップとをさらに含み、
前記ＭＩＭＯフィードバックは、前記ＨＡＲＱチャネル識別子に割当てられた無線資源を介して伝送されることを特徴とする請求項３に記載のＭＩＭＯフィードバック伝送方法。
【請求項５】
ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、
前記ＭＩＭＯフィードバック要請に対する応答として、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを前記移動局から受信するステップとを含むことを特徴とする基地局のＭＩＭＯフィードバック受信方法。
【請求項６】
前記ＭＩＭＯフィードバックモードビットマップは、
広帯域チャネル品質情報を報告する１つ以上のＭＩＭＯフィードバックモードをそれぞれ示す１つ以上のビットと、
サブバンドチャネル品質情報を報告する１つ以上のＭＩＭＯフィードバックモードをそれぞれ示す１つ以上のビットとを含むことを特徴とする請求項５に記載の移動局のＭＩＭＯフィードバック伝送方法。
【請求項７】
ＭＩＭＯフィードバックのためのＨＡＲＱチャネル識別子に対する情報を前記移動局に伝送するステップと、
前記ＨＡＲＱチャネル識別子に割当てられた無線資源に対する情報を前記移動局に伝送するステップとをさらに含み、
前記ＭＩＭＯフィードバック要請は、フィードバック周期に対する情報を含み、
前記フィードバック周期の到来時に、前記ＭＩＭＯフィードバックは、前記ＨＡＲＱチャネル識別子に割当てられた無線資源を介して受信されることを特徴とする請求項６に記載のＭＩＭＯフィードバック受信方法。
【請求項８】
ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を受信するステップと、
ＭＩＭＯのためのチャネル情報を推定するステップと、
推定されたチャネル情報を含むシグナリングヘッダを生成するステップと、
前記ＭＩＭＯフィードバック周期の到来時に、単独またはＭＡＣプロトコルデータユニットと共に、前記シグナリングヘッダを基地局に伝送するステップとを含むことを特徴とする移動局のＭＩＭＯフィードバック伝送方法。
【請求項９】
前記ＭＩＭＯフィードバック要請は、第１ＭＩＭＯフィードバックモードビットマップを含み、
前記チャネル情報を推定するステップは、
前記第１ＭＩＭＯフィードバックモードビットマップが指示する少なくとも１つのＭＩＭＯフィードバックモードに相当するチャネル情報を推定するステップを含むことを特徴とする請求項８に記載のＭＩＭＯフィードバック伝送方法。
【請求項１０】
前記チャネル情報は、チャネル品質情報に相当することを特徴とする請求項９に記載のＭＩＭＯフィードバック伝送方法。
【請求項１１】
前記シグナリングヘッダは、前記少なくとも１つのＭＩＭＯフィードバックモードを示す第２ＭＩＭＯフィードバックモードビットマップをさらに含むことを特徴とする請求項１０に記載のＭＩＭＯフィードバック伝送方法。
【請求項１２】
前記チャネル情報は、伝送相関関係マトリクスに相当することを特徴とする請求項８に記載のＭＩＭＯフィードバック伝送方法。
【請求項１３】
ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を移動局に伝送するステップと、
前記ＭＩＭＯフィードバック要請に対する応答として、前記ＭＩＭＯフィードバック周期の到来時に、ＭＩＭＯのためのチャネル情報を含むシグナリングヘッダを、単独またはＭＡＣプロトコルデータユニットと共に、前記移動局から受信するステップとを含むことを特徴とする基地局のＭＩＭＯフィードバック受信方法。
【請求項１４】
前記ＭＩＭＯフィードバック要請は、第１ＭＩＭＯフィードバックモードビットマップを含み、
前記チャネル情報は、前記第１ＭＩＭＯフィードバックモードビットマップが指示する少なくとも１つのＭＩＭＯフィードバックモードに相当する情報に相当し、
前記シグナリングヘッダは、前記少なくとも１つのＭＩＭＯフィードバックモードを示す第２ＭＩＭＯフィードバックモードビットマップをさらに含むことを特徴とする請求項１３に記載のＭＩＭＯフィードバック受信方法。
【請求項１５】
前記チャネル情報は、チャネル品質情報に相当することを特徴とする請求項１４に記載のＭＩＭＯフィードバック受信方法。
【請求項１６】
前記チャネル情報は、伝送相関関係マトリクスに相当することを特徴とする請求項１３に記載のＭＩＭＯフィードバック受信方法。
【請求項１７】
第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を受信するステップと、
前記第１ＭＩＭＯフィードバックモードビットマップが指示する少なくとも１つのＭＩＭＯフィードバックモードに相当するチャネル情報を推定するステップと、
前記少なくとも１つのＭＩＭＯフィードバックモードを示す第２ＭＩＭＯフィードバックモードビットマップ、および前記少なくとも１つのＭＩＭＯフィードバックモードに相当するチャネル情報を含むＭＩＭＯフィードバックヘッダを生成するステップと、
前記ＭＩＭＯフィードバックヘッダを基地局に伝送するステップとを含むことを特徴とする移動局のＭＩＭＯフィードバック伝送方法。
【請求項１８】
前記第２ＭＩＭＯフィードバックモードビットマップは、
広帯域チャネル品質情報を報告する１つ以上のＭＩＭＯフィードバックモードをそれぞれ示す１つ以上のビットを含むことを特徴とする請求項１７に記載のＭＩＭＯフィードバック伝送方法。
【請求項１９】
前記第２ＭＩＭＯフィードバックモードビットマップは、
サブバンドチャネル品質情報を報告する１つ以上のＭＩＭＯフィードバックモードをそれぞれ示す１つ以上のビットをさらに含むことを特徴とする請求項１８に記載のＭＩＭＯフィードバック伝送方法。
【請求項２０】
ＭＩＭＯフィードバック要請は、フィードバック周期に対する情報を含み、
前記フィードバック周期の到来時に、前記ＭＩＭＯフィードバックヘッダが伝送されることを特徴とする請求項１７に記載のＭＩＭＯフィードバック伝送方法。
【請求項２１】
第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、
前記ＭＩＭＯフィードバック要請に対する応答として、前記第１ＭＩＭＯフィードバックモードビットマップが指示する前記少なくとも１つのＭＩＭＯフィードバックモードに相当するチャネル情報と、前記少なくとも１つのＭＩＭＯフィードバックモードを示す第２ＭＩＭＯフィードバックモードビットマップを含むＭＩＭＯフィードバックヘッダを前記移動局から受信するステップとを含むことを特徴とする基地局のＭＩＭＯフィードバック受信方法。
【請求項２２】
前記第２ＭＩＭＯフィードバックモードビットマップは、
広帯域チャネル品質情報を報告する１つ以上のＭＩＭＯフィードバックモードをそれぞれ示す１つ以上のビットを含むことを特徴とする請求項２１に記載のＭＩＭＯフィードバック受信方法。
【請求項２３】
前記第２ＭＩＭＯフィードバックモードビットマップは、
サブバンドチャネル品質情報を報告する１つ以上のＭＩＭＯフィードバックモードをそれぞれ示す１つ以上のビットをさらに含むことを特徴とする請求項２２に記載のＭＩＭＯフィードバック受信方法。
【請求項２４】
第１無線資源を介して第１チャネル識別子で第１ＭＩＭＯフィードバックを移動局から受信するステップと、
前記第１ＭＩＭＯフィードバックの復号に失敗した場合、第１無線資源とは異なる位置の第２無線資源を前記第１チャネル識別子に割当てるための資源割当て情報を前記移動局に伝送するステップと、
前記第２無線資源を介して前記第１ＭＩＭＯフィードバックを前記移動局から再受信するステップとを含むことを特徴とする基地局のＭＩＭＯフィードバック受信方法。
【請求項２５】
前記第１無線資源を介して第２チャネル識別子で第２ＭＩＭＯフィードバックを前記移動局から受信するステップと、
前記第１ＭＩＭＯフィードバックよりも先に前記第２ＭＩＭＯフィードバックの復号に成功すると、前記第１ＭＩＭＯフィードバックの再受信手順を中断するステップとをさらに含むことを特徴とする請求項２４に記載のＭＩＭＯフィードバック受信方法。
【請求項２６】
前記第２チャネル識別子は、複数のチャネル識別子のうち、前記第１チャネル識別子の次の識別子に相当するものを含むことを特徴とする請求項２５に記載のＭＩＭＯフィードバック受信方法。
【請求項２７】
前記第１ＭＩＭＯフィードバックは、第１周期で受信され、
前記第２ＭＩＭＯフィードバックは、第２周期で受信され、
前記第１周期は、前記第２周期より短いことを特徴とする請求項２５に記載のＭＩＭＯフィードバック受信方法。
【請求項２８】
前記第１ＭＩＭＯフィードバックは、第１周期で受信され、
前記第２ＭＩＭＯフィードバックは、第２周期で受信され、
前記第１周期は、前記第２周期より長いことを特徴とする請求項２５に記載のＭＩＭＯフィードバック受信方法。
【請求項２９】
第１無線資源を介して第１チャネル識別子で第１ＭＩＭＯフィードバックを基地局に伝送するステップと、
第１無線資源とは異なる位置の第２無線資源を前記第１チャネル識別子に割当てるための資源割当て情報を、前記第１ＭＩＭＯフィードバックに対する否定的受信確認応答と共に、前記基地局から受信するステップと、
前記第２無線資源を介して前記第１ＭＩＭＯフィードバックを前記基地局に再伝送するステップとを含むことを特徴とする移動局のＭＩＭＯフィードバック伝送方法。
【請求項３０】
前記第１無線資源を介して第２チャネル識別子で第２ＭＩＭＯフィードバックを前記基地局に伝送するステップと、
前記第１ＭＩＭＯフィードバックに対する肯定的受信確認応答よりも、前記第２ＭＩＭＯフィードバックに対する肯定的受信確認応答を先に受信する場合、前記第１ＭＩＭＯフィードバックの再伝送手順を中断するステップとをさらに含むことを特徴とする請求項２９に記載のＭＩＭＯフィードバック伝送方法。
【請求項３１】
複数のチャネル識別子のうち、前記第１チャネル識別子の次の識別子として前記第２チャネル識別子を決定するステップをさらに含むことを特徴とする請求項３０に記載のＭＩＭＯフィードバック伝送方法。
【発明の詳細な説明】
【技術分野】
【０００１】
本発明は、基地局および移動局に関するものである。特に、本発明は、ＭＩＭＯ（Ｍｕｌｔｉ−Ｉｎｐｕｔ  Ｍｕｌｔｉ−Ｏｕｔｐｕｔ、ＭＩＭＯ）フィードバック受信方法およびＭＩＭＯフィードバック伝送方法に関するものである。
【背景技術】
【０００２】
広帯域無線接続システムは、次世代無線通信方式として、高速のデータパケット伝送、少ない遅延、および通信の信頼性確保のためにハイブリッドＡＲＱ（ｈｙｂｒｉｄ  ａｕｔｏｍａｔｉｃ  ｒｅｐｅａｔ  ｒｅｑｕｅｓｔ、ＨＡＲＱ）を支援し、多重送信アンテナと多重受信アンテナを用いてデータの送受信効率を向上させるための多重入力多重出力（Ｍｕｌｔｉ−Ｉｎｐｕｔ  Ｍｕｌｔｉ−Ｏｕｔｐｕｔ、ＭＩＭＯ）技術を採用する。
【０００３】
ＨＡＲＱ方式によれば、受信機（ｒｅｃｅｉｖｅｒ）は、物理階層が受信したデータパケットを復号（ｄｅｃｏｄｅ）してエラーが検出されたか否かを確認し、エラーが発生していなければ、応答信号としてＡＣＫ（Ａｃｋｎｏｗｌｅｄｇｅｍｅｎｔ）信号を送信し、データパケットの受信の成功を送信機（ｔｒａｎｓｍｉｔｔｅｒ）に知らせる。しかし、受信機で受信したデータパケットを復号（ｄｅｃｏｄｅ）してエラーが検出されると、応答信号としてＮＡＣＫ（Ｎｅｇａｔｉｖｅ  ａｃｋｎｏｗｌｅｄｇｅｍｅｎｔ）信号を送信し、エラーが検出されたことを送信機に知らせる。送信機は、ＮＡＣＫ信号が受信されると、データパケットを再伝送することができる。
【０００４】
ＨＡＲＱプロトコルは、再伝送するパケットの伝送タイミング（ｔｉｍｉｎｇ）により、同期式（ｓｙｎｃｈｒｏｎｏｕｓ）ＨＡＲＱ手法と非同期式（ａｓｙｎｃｈｒｏｎｏｕｓ）ＨＡＲＱ手法に区分されるが、同期式ＨＡＲＱ手法は、初期伝送パケットに対する再伝送パケットの伝送時点を一定にする方式であり、非同期式ＨＡＲＱ手法は、初期伝送パケットに対する再伝送パケットの伝送時点を基地局のスケジューラが決定する方式である。
【０００５】
また、前記ＨＡＲＱ手法は、割当てられる資源の量と位置の変化の可否により、適応（ａｄａｐｔｉｖｅ）ＨＡＲＱ手法と非適応（ｎｏｎ−ａｄａｐｔｉｖｅ）ＨＡＲＱ手法に区分されるが、適応ＨＡＲＱ手法は、割当てられる資源の量と位置を変化させ得る方式であり、非適応ＨＡＲＱ手法は、割当てられる資源の量と位置を固定させる方式である。
【０００６】
同期式および非同期式ＨＡＲＱと適応および非適応ＨＡＲＱ手法を適切に混用し、少ないシグナリングオーバーヘッドを用いることで、高いスケジューリング利得と高速のデータ伝送効果を得ることができる。例えば、移動通信システムは、ダウンリンク（ｄｏｗｎｌｉｎｋ、以下、ＤＬ）データ伝送に対しては適応非同期式ＨＡＲＱを適用し、アップリンク（ｕｐｌｉｎｋ、以下、ＵＬ）データ伝送に対しては同期式ＨＡＲＱを適用することができる。
【０００７】
無線通信方式において、一般的に、基地局は、アップリンクおよびダウンリンクに対してデータ伝送時に使用される無線資源をスケジュール（ｓｃｈｅｄｕｌｅ）する。移動局は、ＭＩＭＯ手法を適用するのに必要な多様なチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）などのチャネル情報を含むフィードバック情報をアップリンクを介して基地局に伝送することができ、基地局は、移動局から受信したフィードバック情報を用いて無線資源をスケジュールし、データを送受信することができる。
【０００８】
ＭＩＭＯ技術は、基地局と移動局にそれぞれ複数のアンテナを用いることで、周波数効率および無線リンク容量の画期的な改善を期待できる技術であって、最近、高速のデータ伝送を要求する無線通信方式の主要技術として注目されている。
【０００９】
ＭＩＭＯ技術は、空間多重化（Ｓｐａｔｉａｌ  ｍｕｌｔｉｐｌｅｘｉｎｇ、ＳＭ）手法や空間伝送ダイバーシティ（Ｓｐａｔｉａｌ  ｔｒａｎｓｍｉｔ  ｄｉｖｅｒｓｉｔｙ）手法などに分けられる。空間多重化手法によれば、互いに異なるデータが多重送信アンテナを介して同時に伝送されることにより、システムの帯域幅を増加させることなく高速のデータ伝送が可能である。空間ダイバーシティ手法によれば、多重送信アンテナから同一のデータが同時に伝送されてダイバーシティを得ることにより、データの信頼性が向上できる。
【００１０】
一方、ＭＩＭＯ技術は、閉ループ（ｃｌｏｓｅｄ  ｌｏｏｐ、ＣＬ）ＭＩＭＯ方式と開ループ（ｏｐｅｎ  ｌｏｏｐ、ＯＬ）ＭＩＭＯ方式に分類できる。
【００１１】
閉ループ（ｃｌｏｓｅｄ  ｌｏｏｐ）ＭＩＭＯ方式は、基地局が移動局にデータを伝送する時、移動局から受信したフィードバック情報に含まれた各種チャネル情報を用いる技術である。閉ループＭＩＭＯ方式によれば、移動局は、複数のアンテナを介して各チャネルごとのチャネル情報を推定し、推定された各種チャネル情報を含むフィードバック情報を基地局に伝送する。基地局は、より正確なＭＩＭＯ技術効果が得られるように、受信したフィードバック情報を伝送データに適用する。これにより、信頼できる高速のデータ伝送効果を得ることができる。
【００１２】
開ループ（ｏｐｅｎ  ｌｏｏｐ）ＭＩＭＯ方式は、移動局から受信したフィードバック情報に含まれたチャネル情報を用いることなくデータを伝送する方式である。フィードバック情報は開ループＭＩＭＯ方式で伝送されくてもよい。また、フィードバック情報が伝送されても、基地局は、このフィードバックメッセージに含まれるチャネル情報を用いなくてもよい。
【００１３】
一般的に、通信システムにおいて、開ループ方式は、高速で移動する移動局に対するチャネル環境で適用可能であり、閉ループ方式は、低速で移動する移動局に対するチャネル環境で適用可能である。高速で移動する移動局に対するチャネルは、変化が激しく、フィードバック情報に含まれたチャネル情報を信頼することが難しいため、開ループ方式が適用される。反面、低速で移動する移動局に対するチャネル環境は、比較的変化が少ないため、フィードバック情報に含まれた各種チャネル情報を信頼することができ、通信装置は遅延により敏感でないため、閉ループ方式を適用することができる。
【００１４】
ＭＩＭＯ伝送モードは、開ループ単一使用者ＭＩＭＯ（ｏｐｅｎ  ｌｏｏｐ  ｓｉｎｇｌｅ  ｕｓｅｒ  ＭＩＭＯ、以下、ＯＬ  ＳＵ  ＭＩＭＯ）、閉ループ単一使用者ＭＩＭＯ（ｃｌｏｓｅｄ  ｌｏｏｐ  ｓｉｎｇｌｅ  ｕｓｅｒ  ＭＩＭＯ、以下、ＣＬ  ＳＵ  ＭＩＭＯ）、開ループ多重使用者ＭＩＭＯ（ｏｐｅｎ  ｌｏｏｐ  ｍｕｌｔｉｐｌｅ  ｕｓｅｒ  ＭＩＭＯ、以下、ＯＬ  ＭＵ  ＭＩＭＯ）、閉ループ多重使用者ＭＩＭＯ（ｃｌｏｓｅｄ  ｌｏｏｐ  ｍｕｌｔｉｐｌｅ  ｕｓｅｒ  ＭＩＭＯ、以下、ＣＬ  ＭＵ  ＭＩＭＯ）などに分類できる。空間多重化（Ｓｐａｔｉａｌ  Ｍｕｌｔｉｐｌｅｘｉｎｇ、ＳＭ）手法および空間伝送ダイバーシティ手法を追加的に採用したＭＩＭＯ伝送モードがダウンリンク（ｄｏｗｎｌｉｎｋ、ＤＬ）およびアップリンク（ｕｐｌｉｎｋ、ＵＬ）で適用可能であり、アップリンク（ｕｐｌｉｎｋ、ＵＬ）において、その必要に応じて、開ループ協力的空間多重化（ｏｐｅｎ  ｌｏｏｐ  ｃｏｌｌａｂｏｒａｔｉｖｅ  ｓｐａｔｉａｌ  ｍｕｌｔｉｐｌｅｘｉｎｇ）手法をＭＵ  ＭＩＭＯに適用したＭＩＭＯ伝送モードが利用できる。
【００１５】
ダウンリンクにおいて、多様なＭＩＭＯ伝送モードを支援するために、移動局がチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）などの互いに異なるチャネル情報を伝送する１つあるいは複数のＭＩＭＯフィードバックモードが支援できる。多様なＭＩＭＯ伝送モードを効果的に支援するために、基地局は、多様なＭＩＭＯ伝送モードに応じて、各種チャネル情報を１つのＭＩＭＯフィードバックモードあるいは複数のＭＩＭＯフィードバックモードを通して移動局に要請することができる。つまり、基地局が移動局にフィードバック情報を要請する場合、互いに異なるチャネル情報に対するフィードバックモードを指定し、必要とするチャネル状態情報のみを要求することができ、あるいは、互いに異なるチャネル情報の複数のフィードバックモードを指定し、ＭＩＭＯシステムに必要なチャネル状態情報を要求することもできる。この時、移動局は、基地局が割当てた各種フィードバックモードに応じた各種チャネル情報を構成して基地局に伝送する。
【００１６】
基地局は、移動局に様々なチャネルの情報を周期的あるいは非周期的にそれぞれ要求することができ、ＭＩＭＯフィードバック周期は、短周期（ｓｈｏｒｔ  ｐｅｒｉｏｄ）と長周期（ｌｏｎｇｐｅｒｉｏｄ）に区分されて割当て可能である。
【００１７】
基地局が複数のフィードバック情報を移動局に要請する場合、移動局は、複数のフィードバック情報を複数のメッセージとしてそれぞれ伝送することもできるが、これは、無線資源を効率的に使用できなくなり、無線資源の無駄遣いをもたらすことがある。
【００１８】
また、基地局が短周期および長周期でフィードバック情報を移動局に要求する場合にも、無線資源の無駄遣いがもたらされることがある。つまり、ＨＡＲＱ処理手順に従って、基地局は、受信したフィードバック情報メッセージに対するデータパケットを復号（ｄｅｃｏｄｅ）し、エラーが検出されると、応答信号としてＮＡＣＫ（Ｎｅｇａｔｉｖｅ  ａｃｋｎｏｗｌｅｄｇｅｍｅｎｔ）信号を送信し、エラーが検出されたことを移動局に知らせる。移動局は、ＮＡＣＫ信号が受信されると、前に伝送したフィードバック情報メッセージを再伝送する。この時、前に伝送されたフィードバック情報メッセージよりも後に伝送されたフィードバック情報メッセージのデータ受信の成功が速くなると、前に伝送されたフィードバックメッセージの再伝送は不要な動作で、無線資源の無駄遣いをもたらすなどの問題が発生する。
【００１９】
したがって、複数の単一フィードバック情報の個数より少ない個数のメッセージを通じて、フィードバックモードとその特性に応じて複数の単一フィードバック情報を基地局に伝送することにより、無線資源の使用を低減し、また、ＨＡＲＱ処理手順に従ってフィードバック情報メッセージの再伝送手順を制御することにより、無線資源を効率的に管理するための方法が必要になる。
【発明の概要】
【発明が解決しようとする課題】
【００２０】
本発明が解決しようとする技術的課題は、無線資源の無駄遣いを低減するＭＩＭＯフィードバック受信方法およびＭＩＭＯフィードバック伝送方法を提供することである。
【課題を解決するための手段】
【００２１】
本発明の一実施形態にかかる移動局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバックモードビットマップを受信するステップと、前記ＭＩＭＯフィードバックモードビットマップが指示する少なくとも１つのＭＩＭＯフィードバックモードに相当するチャネル情報を推定するステップと、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを生成するステップと、前記ＭＩＭＯフィードバックを基地局に伝送するステップとを含む。
【００２２】
前記ＭＩＭＯフィードバックモードビットマップは、広帯域チャネル品質情報を報告する１つ以上のＭＩＭＯフィードバックモードをそれぞれ示す１つ以上のビットと、サブバンドチャネル品質情報を報告する１つ以上のＭＩＭＯフィードバックモードをそれぞれ示す１つ以上のビットとを含むことができる。
【００２３】
前記ＭＩＭＯフィードバック伝送方法は、フィードバック周期に対する情報を受信するステップをさらに含み、前記フィードバック周期の到来時に、前記ＭＩＭＯフィードバックが伝送できる。
【００２４】
前記ＭＩＭＯフィードバック伝送方法は、前記ＭＩＭＯフィードバックのためのＨＡＲＱチャネル識別子に対する情報を受信するステップと、前記ＨＡＲＱチャネル識別子に割当てられた無線資源に対する情報を受信するステップとをさらに含み、前記ＭＩＭＯフィードバックは、前記ＨＡＲＱチャネル識別子に割当てられた無線資源を介して伝送できる。
【００２５】
本発明の一実施形態にかかる基地局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、前記ＭＩＭＯフィードバック要請に対する応答として、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを前記移動局から受信するステップとを含む。
【００２６】
前記ＭＩＭＯフィードバックモードビットマップは、広帯域チャネル品質情報を報告する１つ以上のＭＩＭＯフィードバックモードをそれぞれ示す１つ以上のビットと、サブバンドチャネル品質情報を報告する１つ以上のＭＩＭＯフィードバックモードをそれぞれ示す１つ以上のビットとを含むことができる。
【００２７】
前記ＭＩＭＯフィードバック伝送方法は、ＭＩＭＯフィードバックのためのＨＡＲＱチャネル識別子に対する情報を前記移動局に伝送するステップと、前記ＨＡＲＱチャネル識別子に割当てられた無線資源に対する情報を前記移動局に伝送するステップとをさらに含み、前記ＭＩＭＯフィードバック要請は、フィードバック周期に対する情報を含み、前記フィードバック周期の到来時に、前記ＭＩＭＯフィードバックは、前記ＨＡＲＱチャネル識別子に割当てられた無線資源を介して受信できる。
【００２８】
本発明の他の実施形態にかかる移動局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を受信するステップと、ＭＩＭＯのためのチャネル情報を推定するステップと、推定されたチャネル情報を含むシグナリングヘッダを生成するステップと、前記ＭＩＭＯフィードバック周期の到来時に、単独またはＭＡＣプロトコルデータユニットと共に前記シグナリングヘッダを基地局に伝送するステップとを含む。
【００２９】
前記ＭＩＭＯフィードバック要請は、第１ＭＩＭＯフィードバックモードビットマップを含み、前記チャネル情報を推定するステップは、前記第１ＭＩＭＯフィードバックモードビットマップが指示する少なくとも１つのＭＩＭＯフィードバックモードに相当するチャネル情報を推定するステップを含むことができる。
【００３０】
前記チャネル情報は、チャネル品質情報に相当することができる。
【００３１】
前記シグナリングヘッダは、前記少なくとも１つのＭＩＭＯフィードバックモードを示す第２ＭＩＭＯフィードバックモードビットマップをさらに含むことができる。
【００３２】
前記チャネル情報は、伝送相関関係マトリクスに相当することができる。
【００３３】
本発明の他の実施形態にかかる基地局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を移動局に伝送するステップと、前記ＭＩＭＯフィードバック要請に対する応答として、前記ＭＩＭＯフィードバック周期の到来時に、ＭＩＭＯのためのチャネル情報を含むシグナリングヘッダを、単独またはＭＡＣプロトコルデータユニットと共に、前記移動局から受信するステップとを含む。
【００３４】
前記ＭＩＭＯフィードバック要請は、第１ＭＩＭＯフィードバックモードビットマップを含み、前記チャネル情報は、前記第１ＭＩＭＯフィードバックモードビットマップが指示する少なくとも１つのＭＩＭＯフィードバックモードに相当する情報に相当し、前記シグナリングヘッダは、前記少なくとも１つのＭＩＭＯフィードバックモードを示す第２ＭＩＭＯフィードバックモードビットマップをさらに含むことができる。
【００３５】
前記チャネル情報は、チャネル品質情報に相当することができる。
【００３６】
前記チャネル情報は、伝送相関関係マトリクスに相当することができる。
【００３７】
本発明の他の実施形態にかかる移動局のＭＩＭＯフィードバック伝送方法は、第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を受信するステップと、前記第１ＭＩＭＯフィードバックモードビットマップが指示する少なくとも１つのＭＩＭＯフィードバックモードに相当するチャネル情報を推定するステップと、前記少なくとも１つのＭＩＭＯフィードバックモードを示す第２ＭＩＭＯフィードバックモードビットマップ、および前記少なくとも１つのＭＩＭＯフィードバックモードに相当するチャネル情報を含むＭＩＭＯフィードバックヘッダを生成するステップと、前記ＭＩＭＯフィードバックヘッダを基地局に伝送するステップとを含む。
【００３８】
前記第２ＭＩＭＯフィードバックモードビットマップは、広帯域チャネル品質情報を報告する１つ以上のＭＩＭＯフィードバックモードをそれぞれ示す１つ以上のビットを含むことができる。
【００３９】
前記第２ＭＩＭＯフィードバックモードビットマップは、サブバンドチャネル品質情報を報告する１つ以上のＭＩＭＯフィードバックモードをそれぞれ示す１つ以上のビットをさらに含むことができる。
【００４０】
ＭＩＭＯフィードバック要請は、フィードバック周期に対する情報を含み、前記フィードバック周期の到来時に、前記ＭＩＭＯフィードバックヘッダが伝送できる。
【００４１】
本発明の他の実施形態にかかる基地局のＭＩＭＯフィードバック伝送方法は、第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、前記ＭＩＭＯフィードバック要請に対する応答として、前記第１ＭＩＭＯフィードバックモードビットマップが指示する前記少なくとも１つのＭＩＭＯフィードバックモードに相当するチャネル情報と、前記少なくとも１つのＭＩＭＯフィードバックモードを示す第２ＭＩＭＯフィードバックモードビットマップを含むＭＩＭＯフィードバックヘッダを前記移動局から受信するステップとを含む。
【００４２】
前記第２ＭＩＭＯフィードバックモードビットマップは、広帯域チャネル品質情報を報告する１つ以上のＭＩＭＯフィードバックモードをそれぞれ示す１つ以上のビットを含むことができる。
【００４３】
前記第２ＭＩＭＯフィードバックモードビットマップは、サブバンドチャネル品質情報を報告する１つ以上のＭＩＭＯフィードバックモードをそれぞれ示す１つ以上のビットをさらに含むことができる。
【００４４】
本発明の他の実施形態にかかる基地局のＭＩＭＯフィードバック伝送方法は、第１無線資源を介して第１チャネル識別子で第１ＭＩＭＯフィードバックを移動局から受信するステップと、前記第１ＭＩＭＯフィードバックの復号に失敗した場合、第１無線資源とは異なる位置の第２無線資源を前記第１チャネル識別子に割当てるための資源割当て情報を前記移動局に伝送するステップと、前記第２無線資源を介して前記第１ＭＩＭＯフィードバックを前記移動局から再受信するステップとを含む。
【００４５】
前記ＭＩＭＯフィードバック伝送方法は、前記第１無線資源を介して第２チャネル識別子で第２ＭＩＭＯフィードバックを前記移動局から受信するステップと、前記第１ＭＩＭＯフィードバックよりも先に前記第２ＭＩＭＯフィードバックの復号に成功すると、前記第１ＭＩＭＯフィードバックの再受信手順を中断するステップとをさらに含むことができる。
【００４６】
前記第２チャネル識別子は、複数のチャネル識別子のうち、前記第１チャネル識別子の次の識別子に相当するものを含むことができる。
【００４７】
前記第１ＭＩＭＯフィードバックは、第１周期で受信され、前記第２ＭＩＭＯフィードバックは、第２周期で受信され、前記第１周期は、前記第２周期より短くてもよい。
【００４８】
前記第１ＭＩＭＯフィードバックは、第１周期で受信され、前記第２ＭＩＭＯフィードバックは、第２周期で受信され、前記第１周期は、前記第２周期より長くてもよい。
【００４９】
本発明の他の実施形態にかかる移動局のＭＩＭＯフィードバック伝送方法は、第１無線資源を介して第１チャネル識別子で第１ＭＩＭＯフィードバックを基地局に伝送するステップと、第１無線資源とは異なる位置の第２無線資源を前記第１チャネル識別子に割当てるための資源割当て情報を、前記第１ＭＩＭＯフィードバックに対する否定的受信確認応答と共に、前記基地局から受信するステップと、前記第２無線資源を介して前記第１ＭＩＭＯフィードバックを前記基地局に再伝送するステップとを含む。
【００５０】
前記ＭＩＭＯフィードバック伝送方法は、前記第１無線資源を介して第２チャネル識別子で第２ＭＩＭＯフィードバックを前記基地局に伝送するステップと、前記第１ＭＩＭＯフィードバックに対する肯定的受信確認応答よりも、前記第２ＭＩＭＯフィードバックに対する肯定的受信確認応答を先に受信する場合、前記第１ＭＩＭＯフィードバックの再伝送手順を中断するステップとをさらに含む。
【００５１】
前記ＭＩＭＯフィードバック伝送方法は、複数のチャネル識別子のうち、前記第１チャネル識別子の次の識別子として前記第２チャネル識別子を決定するステップをさらに含むことができる。
【発明の効果】
【００５２】
本発明の特徴によれば、無線資源の無駄遣いを低減しながらも、ＭＩＭＯフィードバックが効果的に伝送できる。
【図面の簡単な説明】
【００５３】
【図１】本発明の実施形態にかかるＭＩＭＯフィードバック情報の伝送方法を示す。
【図２】本発明の実施形態にかかるＭＩＭＯフィードバック情報の再伝送方法を示す。
【図３】本発明の実施形態にかかるＭＩＭＯフィードバック情報の再伝送方法を示す。
【図４】本発明の実施形態にかかるＭＩＭＯフィードバック情報の再伝送方法を示す。
【図５】本発明の他の実施形態にかかるＭＩＭＯフィードバック情報の再伝送方法を示す。
【図６】本発明の他の実施形態にかかるＭＩＭＯフィードバック情報の再伝送方法を示す。
【図７】本発明の他の実施形態にかかるＭＩＭＯフィードバック情報の再伝送方法を示す。
【図８】本発明の他の実施形態にかかるＭＩＭＯフィードバック情報の伝送方法を示す。
【図９】本発明の実施形態にかかる基地局の構造を示すブロック図である。
【図１０】本発明の実施形態にかかる移動局の構造を示すブロック図である。
【発明を実施するための形態】
【００５４】
以下、添付した図面を参考にして、本発明の実施形態について、本発明の属する技術分野における通常の知識を有する者が容易に実施できるように詳細に説明する。しかし、本発明は、種々の異なる形態で実現可能であり、ここで説明する実施形態に限定されない。そして、図面において、本発明を明確に説明するために説明上不必要な部分は省略し、明細書全体にわたり、類似の部分については類似の図面符号を付した。
【００５５】
明細書全体において、ある部分がある構成要素を「含む」とする時、これは、特に反対となる記載がない限り、他の構成要素を除くものではなく、他の構成要素をさらに包含できることを意味する。
【００５６】
本明細書において、移動局（Ｍｏｂｉｌｅ  Ｓｔａｔｉｏｎ、ＭＳ）は、端末（ｔｅｒｍｉｎａｌ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを称することもでき、移動端末、加入者局、携帯加入者局、ユーザ装置などの全部または一部の機能を含むこともできる。
【００５７】
本明細書において、基地局（Ｂａｓｅ  Ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（Ｎｏｄｅ  Ｂ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを称することもでき、アクセスポイント、無線アクセス局、ノードＢ、送受信基地局、ＭＭＲ−ＢＳなどの全部または一部の機能を含むこともできる。
【００５８】
次に、図１を参照して、本発明の実施形態にかかるＭＩＭＯフィードバック情報の伝送方法を説明する。
【００５９】
図１は、本発明の実施形態にかかるＭＩＭＯフィードバック情報の伝送方法を示す。
【００６０】
まず、基地局１００は、移動局２００のＭＩＭＯフィードバックのためのＨＡＲＱチャネル識別子（ＡＣＩＤ）を決定する（Ｓ１０１）。
【００６１】
次に、基地局１００は、移動局２００のＭＩＭＯフィードバックのための周期を決定する（Ｓ１０２）。
【００６２】
また、基地局１００は、移動局２００のＭＩＭＯフィードバックモードを決定する（Ｓ１０３）。
【００６３】
基地局１００は、移動局２００のＭＩＭＯフィードバックのためのＡＣＩＤにアップリンク資源を割当てる（Ｓ１０５）。
【００６４】
基地局１００は、移動局２００に１つ以上のフィードバックポーリングＡ−ＭＡＰメッセージを伝送し、ＭＩＭＯフィードバックのためのＨＡＲＱチャネル識別子（ＡＣＩＤ）、ＡＣＩＤに割当てられたアップリンク資源の位置と大きさ、ＭＩＭＯフィードバックのための周期、およびＭＩＭＯフィードバックモードを移動局２００に知らせる（Ｓ１０７）。フィードバックポーリングＡ−ＭＡＰは、ＭＩＭＯフィードバックの伝送をスケジュールするために、基地局１００によって使用できる。
【００６５】
表１は、本発明の実施形態にかかるフィードバックポーリングＡ−ＭＡＰを示す。
【表１】
2013521694.tif 000003
【００６６】
表１において、Ｐｏｌｌｉｎｇ＿ｓｕｂ＿ｔｙｐｅビット０ｂ０は、アップリンク資源の割当てまたは解除を示し、Ｐｏｌｌｉｎｇ＿ｓｕｂ＿ｔｙｐｅビット０ｂ１は、フィードバックモードの割当て類型を示す。Ｐｏｌｌｉｎｇ＿ｓｕｂ＿ｔｙｐｅビットが０ｂ０にセットされると、専用アップリンク割当てがフィードバックポーリングＡ−ＭＡＰ情報要素（ｉｎｆｏｒｍａｔｉｏｎ  ｅｌｅｍｅｎｔ、ＩＥ）に含まれる。専用アップリンク割当ては、この情報要素によって定義される指定されたフィードバック伝送フレームでフィードバックを伝送するために、移動局２００によって使用できる。Ｐｏｌｌｉｎｇ＿ｓｕｂ＿ｔｙｐｅビットが０ｂ１にセットされると、いかなる専用アップリンク割当ても含まれない。代わりに、この情報要素によって定義される指定された伝送フレームにおいて、移動局２００は、フィードバックを構成し、基地局１００は、アップリンク基本割当てＡ−ＭＡＰ  ＩＥまたはアップリンクサブバンド割当てＡ−ＭＡＰ  ＩＥを用いて伝送のためのアップリンク割当てを含んだり、移動局２００は、前のフィードバックポーリングＡ−ＭＰＡ情報要素によって指定された専用アップリンク割当てで同一の伝送フレームを指定するフィードバック周期で伝送することができる。
【００６７】
Ｐｅｒｉｏｄフィールドは、ＭＩＭＯフィードバック伝送周期を短周期と長周期で示す。ＭＩＭＯフィードバック伝送のための資源は、毎度の短周期および長周期によって指定されるフレームで割当てられる。短周期はｐフレームであり、長周期はｑサブフレームである。最初の割当ては、２フレーム以降から始まる。つまり、ｉがフィードバックポーリングＡ−ＭＡＰ情報要素が伝送されたフレームのインデックスの場合に、ＭＩＭＯフィードバック伝送のための最初の割当てのフレームインデックスはｉ＋２によって与えられる。
【００６８】
資源インデックスフィールドは、ＡＣＩＤフィールドに相当するＨＡＲＱチャネル識別子に割当てられるアップリンク資源の位置と大きさに関する情報を含む。
【００６９】
ＡＣＩＤは、ＨＡＲＱチャネル識別子を示す。もし、ｑが０であるか、ｐが０の場合、たった１つのＡＣＩＤが予約される。そうでなければ、２つのＡＣＩＤが予約され得る。
【００７０】
ＭＦＭ＿ａｌｌｏｃａｔｉｏｎ＿ｉｎｄｅｘフィールドとＭＦＭ＿ｂｉｔｍａｐフィールドは、ＭＩＭＯフィードバックモード（ＭＩＭＯ  ｆｅｅｄｂａｃｋ  ｍｏｄｅ、ＭＦＭ）を示す。Ｒｅｓｏｕｒｃｅ  Ｕｎｉｔの類型とＭＩＭＯ伝送モードに応じて、ＭＩＭＯフィードバックモードは、モード０、１、２、３、４、５、６、７に分類できる。具体的には、ＭＦＭ＿ａｌｌｏｃａｔｉｏｎ＿ｉｎｄｅｘが０ｂ００にセットされると、測定方法指示（Ｍｅａｓｕｒｅｍｅｎｔ  Ｍｅｔｈｏｄ  Ｉｎｄｉｃａｔｉｏｎ）が０のＭＦＭ０を示し、ＭＦＭ＿ａｌｌｏｃａｔｉｏｎ＿ｉｎｄｅｘが０ｂ０１にセットされると、すべてのサブバンドに対してＭＦＭ３を示し、ＭＦＭ＿ａｌｌｏｃａｔｉｏｎ＿ｉｎｄｅｘが０ｂ１０にセットされると、すべてのサブバンドに対してＭＦＭ６を示し、ＭＦＭ＿ａｌｌｏｃａｔｉｏｎ＿ｉｎｄｅｘが０ｂ１１にセットされると、Ｐｏｌｌｉｎｇ＿ｓｕｂ−ｔｙｐｅが０ｂ１のフィードバックポーリングＡ−ＭＡＰ情報要素でＭＦＭが定義されることを示すことができる。ＭＦＭ＿ｂｉｔｍａｐフィールドは、無線通信システムが支援するすべてのＭＩＭＯフィードバックモードのうち、基地局１００が割当てるすべてのＭＩＭＯフィードバックモードを示すことができる。表２は、無線通信システムが支援するすべてのＭＩＭＯフィードバックモードを示す。
【表２】
2013521694.tif 000004
【００７１】
表２において、ＤＬＲＵは、ｄｉｓｔｒｉｂｕｔｅｄ  ｌｏｇｉｃａｌ  ｒｅｓｏｕｒｃｅ  ｕｎｉｔを示し、ＮＬＲＵは、ｍｉｎｉｂａｎｄ  ｌｏｇｉｃａｌ  ｒｅｓｏｕｒｃｅ  ｕｎｉｔを示し、ＳＬＲＵは、ｓｕｂｂａｎｄ  ｌｏｇｉｃａｌ  ｒｅｓｏｕｒｃｅ  ｕｎｉｔを示す。
【００７２】
ＭＩＭＯ  ｆｅｅｄｂａｃｋ  ｍｏｄｅ０は、ダイバーシティパーミュテーション（ｄｉｖｅｒｓｉｔｙ  ｐｅｒｍｕｔａｔｉｏｎ）でＯＬ  ＳＵ  ＭＩＭＯ  ＳＦＢＣ（周波数空間ブロックコード、ｓｐａｃｅ−ｆｒｅｑｕｅｎｃｙ  ｂｌｏｃｋ  ｃｏｄｅ）とＯＬ  ＳＵ  ＭＩＭＯ  ＳＭ（空間多重化、Ｓｐａｔｉａｌ  Ｍｕｌｔｉｐｌｅｘｉｎｇ）採用のために使用される。移動局２００は、ＳＦＢＣおよび空間多重化の両方のために広帯域ＣＱＩを推定し、ＣＱＩと時空間符号化率（ｓｐａｃｅ−ｔｉｍｅ  ｃｏｄｉｎｇ  ｒａｔｅ、ＳＴＣ  ｒａｔｅ）を報告する。ＳＴＣ  Ｒａｔｅ１は、プリコーディングを有するＳＦＢＣを意味し、ＳＴＣ  Ｒａｔｅ２は、プリコーディングを有するランク−２空間多重化を意味する。また、ＭＩＭＯ  ｆｅｅｄｂａｃｋ  ｍｏｄｅ０は、ビームフォーミングに基づいたサウンディング（ｓｏｕｎｄｉｎｇ）のためのＣＱＩフィードバックのために使用できる。移動局２００は、ＳＦＢＣモード（ＭａｘＭｔ＝０ｂ００）のための広帯域ＣＱＩを推定し、ＣＱＩを報告する。
【００７３】
ＭＩＭＯ  ｆｅｅｄｂａｃｋ  ｍｏｄｅ１は、ダイバーシティパーミュテーションで時空間符号化率１／２を有するＯＬ  ＳＵ  ＭＩＭＯ  ＣＤＲ（ｃｏｎｊｕｇａｔｅ  ｄａｔａ  ｒｅｐｅｔｉｔｉｏｎ）のために使用される。
【００７４】
ＭＩＭＯ  ｆｅｅｄｂａｃｋ  ｍｏｄｅ２は、周波数選択的スケジューリング（ｆｒｅｑｕｅｎｃｙ  ｓｅｌｅｃｔｉｖｅ  ｓｃｈｅｄｕｌｉｎｇ）のためのｌｏｃａｌｉｚｅｄ  ｐｅｒｍｕｔａｔｉｏｎでＯＬ  ＳＵ  ＭＩＭＯ  ＳＭ（空間多重化）のために使用される。時空間符号化率（ＳＴＣ  ｒａｔｅ）は、空間多重化のためのＭＩＭＯストリームの選好（選択された）数を指示する。サブバンドＣＱＩは、選択されたランク（ｒａｎｋ）に相当する。
【００７５】
ＭＩＭＯ  ｆｅｅｄｂａｃｋ  ｍｏｄｅ３は、周波数選択的スケジューリングのためのｌｏｃａｌｉｚｅｄ  ｐｅｒｍｕｔａｔｉｏｎでＣＬ  ＳＵ  ＭＩＭＯ  ＳＭ（空間多重化）のために使用される。時空間符号化率（ＳＴＣ  ｒａｔｅ）は、空間多重化のためのＭＩＭＯストリームの選好（選択された）数を指示する。サブバンドＣＱＩは、選択されたランク（ｒａｎｋ）に相当する。
【００７６】
ＭＩＭＯ  ｆｅｅｄｂａｃｋ  ｍｏｄｅ４は、ランク１を有する広帯域ビームフォーミングを用いるＣＬ  ＳＵ  ＭＩＭＯのために使用される。このモードにおいて、移動局２００は、広帯域ＣＱＩをフィードバックする。広帯域ＣＱＩは、フィードバック周期に応じて、基地局１００で短期（ｓｈｏｒｔ−ｔｅｒｍ）または長期（ｌｏｎｇ−ｔｅｒｍ）プリコーディングを仮定し、移動局２００で推定される。チャネル状態情報は、相関関係マトリクスのフィードバックまたは広帯域ＰＭＩ（選好マトリクスインデックス、ｐｒｅｆｅｒｒｅｄ  ｍａｔｒｉｘ  ｉｎｄｅｘ）のフィードバックを通じて基地局１００から得られる。
【００７７】
ＭＩＭＯ  ｆｅｅｄｂａｃｋ  ｍｏｄｅ５は、周波数選択的スケジューリングを有するｌｏｃａｌｉｚｅｄ  ｐｅｒｍｕｔａｔｉｏｎでＯＬ  ＭＵ  ＭＩＭＯのために使用される。このモードにおいて、移動局２００は、サブバンドの選択、ＭＩＭＯストリームインジケータと当該ＣＱＩをフィードバックする。
【００７８】
ＭＩＭＯ  ｆｅｅｄｂａｃｋ  ｍｏｄｅ６は、周波数選択的スケジューリングを有するｌｏｃａｌｉｚｅｄ  ｐｅｒｍｕｔａｔｉｏｎでＣＬ  ＭＵ  ＭＩＭＯのために使用される。このモードにおいて、移動局２００は、サブバンドの選択、当該ＣＱＩおよびサブバンドＰＭＩをフィードバックする。サブバンドＣＱＩは、当該サブバンドで最もよいＰＭＩのＣＱＩに相当する。ランク１ベースコードブック（Ｒａｎｋ−１  ｂａｓｅ  ｃｏｄｅｂｏｏｋ）またはこのサブセットは、１つのサブバンドでＰＭＩを推定するのに使用される。
【００７９】
ＭＩＭＯ  ｆｅｅｄｂａｃｋ  ｍｏｄｅ７は、広帯域ビームフォーミングを用いるｄｉｖｅｒｓｉｔｙ  ｐｅｒｍｕｔａｔｉｏｎでＣＬ  ＭＵ  ＭＩＭＯのために使用される。このモードにおいて、移動局２００は、広帯域ＣＱＩをフィードバックする。広帯域ＣＱＩは、フィードバック周期に応じて、基地局１００で短期または長期プリコーディングを仮定し、移動局２００で推定される。チャネル状態情報は、相関関係マトリクスのフィードバックまたは広帯域ＰＭＩのフィードバックを通じて基地局１００から得られる。
【００８０】
移動局２００は、割当てられたＭＩＭＯフィードバックモードに応じて、ＭＩＭＯフィードバックの内容を測定する（Ｓ１０９）。
【００８１】
基地局１００が割当てたフィードバック周期が到来すると（Ｓ１１１とＳ１１３）、移動局２００は、要求されたフィードバックの内容に応じて、ＭＡＣ制御メッセージ、ＭＡＣ拡張ヘッダまたはシグナリングヘッダを用いてＭＩＭＯフィードバックを基地局１００に伝送する（Ｓ１１５）。この時、移動局２００は、ＭＩＭＯフィードバックに割当てられたＡＣＩＤを割当て、割当てられたＡＣＩＤに相当するアップリンク資源を介してＭＩＭＯフィードバックを伝送する。ＭＡＣ制御メッセージとして、単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）とマルチ基地局ＭＩＭＯフィードバックメッセージ（ＡＡＩ＿ＭｕｌｔｉＢＳ＿ＭＩＭＯ＿ＦＢＫ  ｍｅｓｓａｇｅ）が使用できる。拡張ヘッダとして、ＭＩＭＯフィードバック拡張ヘッダが使用できる。シグナリングヘッダとして、ＭＩＭＯフィードバックレポートヘッダと相関関係マトリクスフィードバックレポートヘッダが使用できる。単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダについては後述する。
【００８２】
次のようなフィードバック情報が要求される時、移動局２００は、拡張ヘッダでフィードバックを伝送する。
−ＭＦＭ０、１、４、７のための広帯域情報
−ＭＦＭ２、３、５、そして６における、１つのｓｕｂｂａｎｄに対するサブバンド情報
次のようなフィードバック情報が要求される時、移動局２００は、ＭＡＣ制御メッセージでフィードバックを伝送する。
−ＭＦＭ２、３、５、そして６における、１つ以上のサブバンドに対するサブバンド情報
−Ｍｕｌｔｉ−ＢＳフィードバック
表３は、本発明の実施形態によりフィードバック伝送のための拡張ヘッダを示す。
【表３】
2013521694.tif 000005
2013521694.tif 000006
【００８３】
表３から明らかなように、本発明の実施形態にかかるＭＩＭＯフィードバック拡張ヘッダは、タイプフィールド、ＭＩＭＯフィードバックモードフィールド、ＭＩＭＯフィードバックモードに相当するチャネル情報を含む。
【００８４】
表４は、本発明の実施形態によりフィードバック伝送のためのＭＡＣ制御メッセージに相当する単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）を示す。
【表４】
2013521694.tif 000007
2013521694.tif 000008
2013521694.tif 000009
2013521694.tif 000010
【００８５】
表４から明らかなように、本発明の実施形態にかかる単一基地局ＭＩＭＯフィードバックメッセージは、管理メッセージタイプフィールド、ＭＩＭＯフィードバックモードビットマップフィールド、およびＭＩＭＯフィードバックモードビットマップフィールドで当該ビットが１にセットされた１つ以上のＭＩＭＯフィードバックモードのチャネル情報を含む。また、長周期（ｑ）が０より大きく、ＭＩＭＯフィードバックモードが３、６、４、または７の場合に、単一基地局ＭＩＭＯフィードバックメッセージは、伝送相関関係マトリクスをさらに含む。
【００８６】
表４において、ＭＩＭＯフィードバックモードビットマップの大きさは、支援されるＭＩＭＯフィードバックモードの個数より少ない。特に、表４の単一基地局ＭＩＭＯフィードバックメッセージは、サブバンドのチャネル情報のみを含むことができる。
【００８７】
基地局１００の伝送アンテナ数が２あるいは４であれば、何らかのＡＡＩ＿ＳｉｎｇｌｅＢＳ＿ＭＩＭＯ＿ＦＢＫメッセージが同一のパケットで伝送されない時、拡張ヘッダ（ｅｘｔｅｎｄｅｄ  ｈｅａｄｅｒ）である相関関係マトリクスフィードバック拡張ヘッダ（Ｃｏｒｒｅｌａｔｉｏｎ  Ｍａｔｒｉｘ  Ｆｅｅｄｂａｃｋ  Ｅｘｔｅｎｄｅｄ  Ｈｅａｄｅｒ、ＣＭＦＥＨ）に量子化された伝送相関関係マトリクスの係数がフィードバックされる。そうでなければ、ＡＡＩ＿ＳｉｎｇｌｅＢＳ＿ＭＩＭＯ＿ＦＢＫメッセージに量子化された伝送相関関係マトリクスの係数がフィードバックされる。基地局１００のアンテナ数が８であれば、ＡＡＩ＿ＳｉｎｇｌｅＢＳ＿ＭＩＭＯ＿ＦＢＫメッセージに量子化された伝送相関関係マトリクスの係数がフィードバックされる。
【００８８】
短周期（ｐ）ＭＩＭＯフィードバックと長周期（ｑ）ＭＩＭＯフィードバックが同一のｆｒａｍｅに位置する時、２つのＭＩＭＯフィードバックのチャネル情報項目（ｃｏｎｔｅｎｔ）は、１つの同一のデータバースト（ｄａｔａ  ｂｕｒｓｔ）内で伝送される。
【００８９】
以降、基地局１００と移動局２００は、ＭＩＭＯフィードバックの再伝送手順を開始する（Ｓ１１７）。つまり、基地局１００がＭＩＭＯフィードバックの復号に成功すると、基地局１００は、ＡＣＫメッセージを移動局２００に伝送する。反面、基地局がＭＩＭＯフィードバックの復号に失敗すると、基地局１００は、ＮＡＣＫメッセージを移動局２００に伝送する。移動局２００がＮＡＣＫメッセージを受信すると、移動局２００は、ＭＩＭＯフィードバックを再伝送する。
【００９０】
ＭＩＭＯフィードバックのアップリンクＨＡＲＱの再伝送において、基地局１００は、移動局２００がＭＩＭＯフィードバックを再伝送できるように、前のパケットに相当するＡＣＩＤとアップリンク基本割当てＡ−ＭＡＰ（ＵＬ  Ｂａｓｉｃ  Ａｓｓｉｇｎｍｅｎｔ  Ａ−ＭＡＰ）のような資源割当て情報メッセージを通じてアップリンク資源を割当てる。
【００９１】
表５は、本発明の実施形態にかかるアップリンク基本割当てＡ−ＭＡＰメッセージを示す。
【表５】
2013521694.tif 000011
【００９２】
表５に示されているように、アップリンク基本割当てＡ−ＭＡＰメッセージは、資源インデックスフィールドとＡＣＩＤフィールドを含む。Ｒｅｓｏｕｒｃｅ  Ｉｎｄｅｘ（資源インデックス）フィールドは、ＡＣＩＤフィールドに相当するＨＡＲＱチャネル識別子に割当てられるアップリンク資源の割当て位置と大きさに関する情報を含む。
再伝送は、次の規則１−１、１−２、１−３に従うことができる。
【００９３】
次に、規則１−１を説明する。
【００９４】
規則１−１：もし、同一のＡＣＩＤを用いる新たなＭＩＭＯフィードバックを報告する新たなＨＡＲＱバースト（ｎｅｗ  ＨＡＲＱ  ｂｕｒｓｔ）が伝送される前に、前のＭＩＭＯフィードバックを報告する前のＨＡＲＱバースト（ｐｒｅｖｉｏｕｓ  ＨＡＲＱ  ｂｕｒｓｔ）に対する再伝送手順（ｒｅｔｒａｎｓｍｉｓｓｉｏｎ  ｐｒｏｃｅｓｓ）が終わらなければ、前のＨＡＲＱバーストに対する再伝送手順は終了し、新たなＨＡＲＱバーストが前のＨＡＲＱバーストに優先する。
【００９５】
次に、図２を参照して、規則１−１に従ったＭＩＭＯフィードバック情報の再伝送方法を説明する。
【００９６】
図２は、本発明の実施形態にかかるＭＩＭＯフィードバック情報の再伝送方法を示す。
【００９７】
フィードバックポーリングＡ−ＭＡＰメッセージを通じて移動局２００に割当てられた短周期または長周期に相当するフィードバック周期が到来すると（Ｓ２０３およびＳ２０５）、新たなＭＩＭＯフィードバックが伝送される前に、基地局１００と移動局２００は、新たなＭＩＭＯフィードバックのためのＡＣＩＤと同一のＡＣＩＤを有する前のＭＩＭＯフィードバックの再伝送手順が完了したかを確認する（Ｓ２０７およびＳ２０９）。
【００９８】
新たなＭＩＭＯフィードバックのためのＡＣＩＤと同一のＡＣＩＤを有する前のＭＩＭＯフィードバックの再伝送手順が完了していない場合、基地局１００と移動局２００は、同一のＡＣＩＤを有する前のＭＩＭＯフィードバックのための再伝送手順を中止する（Ｓ２１１およびＳ２１３）。つまり、基地局１００は、ＮＡＣＫメッセージを通じて移動局２００に前のＭＩＭＯフィードバックの再伝送をそれ以上要求しない。移動局２００は、前のＭＩＭＯフィードバックを廃棄し、基地局１００からＮＡＣＫメッセージを受信しても、前のＭＩＭＯフィードバックを再伝送しない。
【００９９】
以降、移動局２００は、到来したフィードバック周期に相当する新たなＭＩＭＯフィードバックを基地局１００に伝送する（Ｓ２１５）。この時、移動局２００は、到来したフィードバック周期に割当てられたＡＣＩＤに相当する資源を用いる。
【０１００】
基地局１００は、新たなＭＩＭＯフィードバックを復号し、復号成功の可否を確認する（Ｓ２１７）。基地局１００が新たなＭＩＭＯフィードバックの復号に成功すると、基地局１００は、ＡＣＫメッセージを移動局２００に伝送する（Ｓ２１９）。反面、基地局が新たなＭＩＭＯフィードバックの復号に失敗すると、基地局１００は、ＮＡＣＫメッセージを移動局２００に伝送する（Ｓ２２１）。
【０１０１】
次に、規則１−２を説明する。
【０１０２】
規則１−２：もし、新たな長周期ＭＩＭＯフィードバックを報告する新たなＨＡＲＱバーストが伝送される前に、先に伝送された短周期ＭＩＭＯフィードバックを報告する前のＨＡＲＱバーストに対する再伝送手順（ｒｅｔｒａｎｓｍｉｓｓｉｏｎ  ｐｒｏｃｅｓｓ）が終わらなければ、短周期ＭＩＭＯフィードバック情報データを報告する前のＨＡＲＱバーストの再伝送手順は終了し、長周期ＭＩＭＯフィードバック情報データを報告する新たなＨＡＲＱバーストが前のＨＡＲＱバーストに優先する。
【０１０３】
次に、図３を参照して、規則１−２に従ったＭＩＭＯフィードバック情報の再伝送方法を説明する。
【０１０４】
図３は、本発明の実施形態にかかるＭＩＭＯフィードバック情報の再伝送方法を示す。
【０１０５】
フィードバックポーリングＡ−ＭＡＰメッセージを通じて移動局２００に割当てられた長周期（ｑ）が到来すると（Ｓ３０３およびＳ３０５）、新たな長周期ＭＩＭＯフィードバックが伝送される前に、基地局１００と移動局２００は、前の短周期ＭＩＭＯフィードバックの再伝送手順が完了したかを確認する（Ｓ３０７およびＳ３０９）。
【０１０６】
前の短周期ＭＩＭＯフィードバックの再伝送手順が完了していない場合、基地局１００と移動局２００は、前の短周期ＭＩＭＯフィードバックのための再伝送手順を中止する（Ｓ３１１およびＳ３１３）。つまり、基地局１００は、ＮＡＣＫメッセージを通じて移動局２００に前の短周期ＭＩＭＯフィードバックの再伝送をそれ以上要求しない。移動局２００は、前の短周期ＭＩＭＯフィードバックを廃棄し、基地局１００からＮＡＣＫメッセージを受信しても、前の短周期ＭＩＭＯフィードバックを再伝送しない。
【０１０７】
以降、移動局２００は、到来した長周期（ｑ）に相当する新たな長周期ＭＩＭＯフィードバックを基地局１００に伝送する（Ｓ３１５）。この時、移動局２００は、到来した長周期（ｑ）に割当てられたＡＣＩＤに相当する資源を用いる。
【０１０８】
基地局１００は、新たな長周期ＭＩＭＯフィードバックを復号し、復号成功の可否を確認する（Ｓ３１７）。基地局１００が新たな長周期ＭＩＭＯフィードバックの復号に成功すると、基地局１００は、ＡＣＫメッセージを移動局２００に伝送する（Ｓ３１９）。反面、基地局が新たな長周期ＭＩＭＯフィードバックの復号に失敗すると、基地局１００は、ＮＡＣＫメッセージを移動局２００に伝送する（Ｓ３２１）。
【０１０９】
次に、規則１−３を説明する。
【０１１０】
規則１−３：もし、新たな短周期ＭＩＭＯフィードバック情報データを報告する新たなＨＡＲＱバーストが伝送される前に、先に伝送された長周期ＭＩＭＯフィードバック情報データを報告する前のＨＡＲＱバーストに対する再伝送手順（ｒｅｔｒａｎｓｍｉｓｓｉｏｎ  ｐｒｏｃｅｓｓ）が終わらなければ、長周期ＭＩＭＯフィードバック情報データを報告する前のＨＡＲＱバーストの再伝送手順は継続するが、再伝送されたパケットの長周期ＭＩＭＯフィードバック情報項目（ｃｏｎｔｅｎｔ）は基地局１００によって捨てられ、短周期ＭＩＭＯフィードバック情報データを報告する新たなＨＡＲＱバーストが前のＨＡＲＱバーストに優先する。
【０１１１】
次に、図４を参照して、規則１−３に従ったＭＩＭＯフィードバック情報の再伝送方法を説明する。
【０１１２】
図４は、本発明の実施形態にかかるＭＩＭＯフィードバック情報の再伝送方法を示す。
【０１１３】
フィードバックポーリングＡ−ＭＡＰメッセージを通じて移動局２００に割当てられた短周期（ｐ）が到来すると（Ｓ４０３およびＳ４０５）、新たな短周期ＭＩＭＯフィードバックが伝送される前に、基地局１００と移動局２００は、前の長周期ＭＩＭＯフィードバックの再伝送手順が完了したかを確認する（Ｓ４０７およびＳ４０９）。
【０１１４】
前の長周期ＭＩＭＯフィードバックの再伝送手順が完了していない場合、基地局１００と移動局２００は、前の長周期ＭＩＭＯフィードバックのための再伝送手順を中止する（Ｓ４１１およびＳ４１３）。つまり、基地局１００は、ＮＡＣＫメッセージを通じて移動局２００に前の長周期ＭＩＭＯフィードバックの再伝送をそれ以上要求しない。移動局２００は、前の長周期ＭＩＭＯフィードバックを廃棄し、基地局１００からＮＡＣＫメッセージを受信しても、前の長周期ＭＩＭＯフィードバックを再伝送しない。
【０１１５】
以降、移動局２００は、到来したフィードバック周期に相当する新たな短周期ＭＩＭＯフィードバックを基地局１００に伝送する（Ｓ４１５）。この時、移動局２００は、到来した短周期（ｐ）に割当てられたＡＣＩＤに相当する資源を用いる。
【０１１６】
基地局１００は、新たな短周期ＭＩＭＯフィードバックを復号し、復号成功の可否を確認する（Ｓ４１７）。基地局１００が新たな短周期ＭＩＭＯフィードバックの復号に成功すると、基地局１００は、ＡＣＫメッセージを移動局２００に伝送する（Ｓ４１９）。反面、基地局が新たな短周期ＭＩＭＯフィードバックの復号に失敗すると、基地局１００は、ＮＡＣＫメッセージを移動局２００に伝送する（Ｓ４２１）。
【０１１７】
しかし、先に説明した実施形態に従うとしても、依然として次のような問題が発生することがある。
【０１１８】
つまり、拡張ヘッダ（ｅｘｔｅｎｄｅｄ  ｈｅａｄｅｒ）であるＭＩＭＯ  Ｆｅｅｄｂａｃｋ  Ｅｘｔｅｎｄｅｄ  Ｈｅａｄｅｒ（ＭＦＥＨ）は、３ｂｙｔｅの固定された大きさを有するため、８個のＭＦＭのうち、たった１つのＭＦＭに対するＭＩＭＯフィードバック情報のみを含むことができる。また、ＭＡＣ制御メッセージであるＡＡＩ＿ＳｉｎｇｌｅＢＳ＿ＭＩＭＯ＿ＦＢＫメッセージは、ＭＦＭ２、３、５、そして６に対する１つ以上のｓｕｂｂａｎｄに対するＭＩＭＯフィードバック情報項目（ｃｏｎｔｅｎｔ）と量子化された伝送相関関係マトリクスのみを含むことができる。
【０１１９】
しかし、基地局１００は、移動局２００に１つのＭＦＭあるいは伝送相関関係マトリクスのＭＩＭＯフィードバックのみならず、複数のＭＩＭＯフィードバック情報をフィードバックポーリングＡ−ＭＡＰを通じて要請することができる。このような場合でも、移動局２００は、当該周期の１フレームで１つのＡＣＩＤで１つのデータバーストを構成し、基地局１００にＭＩＭＯフィードバック情報を報告することが要求される。例えば、ＭＦＭ０、１、４、そして７に対するＭＩＭＯフィードバックと、ＭＦＭ２、３、５、そして６に対するＭＩＭＯフィードバックが要求される場合、移動局２００は、１つのＭＩＭＯフィードバック拡張ヘッダ（ＭＩＭＯ  Ｆｅｅｄｂａｃｋ  Ｅｘｔｅｎｄｅｄ  Ｈｅａｄｅｒ、ＭＦＥＨ）あるいは１つのＡＡＩ＿ＳｉｎｇｌｅＢＳ＿ＭＩＭＯ＿ＦＢＫメッセージでデータバーストを構成することができない。
【０１２０】
また、移動局２００がＭＦＥＨだけでＭＩＭＯフィードバックを構成できるとしても、ＭＩＭＯフィードバック要請数だけのＭＦＥＨヘッダが必要になるため、データサイズが大きくなり、結果的に無線資源を無駄遣いしてしまう問題が発生する。
【０１２１】
それだけでなく、ＭＩＭＯ  Ｆｅｅｄｂａｃｋ  Ｅｘｔｅｎｄｅｄ  Ｈｅａｄｅｒ（ＭＦＥＨ）あるいはＣｏｒｒｅｌａｔｉｏｎ  Ｍａｔｒｉｘ  Ｆｅｅｄｂａｃｋ  Ｅｘｔｅｎｄｅｄ  Ｈｅａｄｅｒ（ＣＭＦＥＨ）などの拡張ヘッダ（ｅｘｔｅｎｄｅｄ  ｈｅａｄｅｒ）は、ＭＡＣ階層でＭＡＣ  ＰＤＵ（ｐｒｏｔｏｃｏｌ  ｄａｔａ  ｕｎｉｔ）を構成するデータペイロード（ｐａｙｌｏａｄ）なしには単独形態（ｓｔａｎｄ−ａｌｏｎｅ）のパケットで伝送できない。したがって、基地局１００で割当てたフィードバック周期で基地局１００に伝送するＭＡＣデータペイロード（ｐａｙｌｏａｄ）がない場合、正常な単独形態（ｓｔａｎｄ−ａｌｏｎｅ）のＭＡＣ  ＰＤＵパケットを介してＭＩＭＯフィードバック情報を伝達することができない。
【０１２２】
一方、ＭＩＭＯフィードバックのＨＡＲＱ手順にも問題が発生することがある。
【０１２３】
つまり、新たなＭＩＭＯフィードバックが伝送される前に、同一のＡＣＩＤを用いる前のＭＩＭＯフィードバックに対する再伝送手順（ｒｅｔｒａｎｓｍｉｓｓｉｏｎ  ｐｒｏｃｅｓｓ）が発生しなかったり、同一の位置で前のＭＩＭＯフィードバックに対する再伝送と新たなＨＡＲＱバーストの伝送が発生することがある。仮に、５０％のＨＡＲＱ再伝送率が発生する場合、５０％に相当するＭＩＭＯフィードバックの伝送が失敗することがある。
【０１２４】
規則１−２および１−３において、基地局１００が複数の互いに異なるＭＩＭＯフィードバックモードに対するＭＩＭＯフィードバックを要請する場合、目的に応じて、互いに異なるフィードバック項目（ｆｅｅｄｂａｃｋ  ｃｏｎｔｅｎｔ）を要求するにもかかわらず、移動局２００は、他の１つのＭＩＭＯフィードバック情報を捨てなければならない問題が発生する。
【０１２５】
また、短周期と長周期で割当てられるフィードバック情報が同一のｆｒａｍｅで伝送される場合、同一のｄａｔａ  ｂｕｒｓｔ内にフィードバック情報項目（ｃｏｎｔｅｎｔ）が伝送できる。この時、２つの周期に相当する情報量を含むことにより、ｄａｔａ  ｂｕｒｓｔの大きさが変更されることにより、アップリンクで伝送する資源割当て情報の変更が必要になり、ＨＡＲＱチャネル識別子（ＡＣＩＤ）を含む、先にシグナリングされたＦｅｅｄｂａｃｋ  Ｐｏｌｌｉｎｇ  Ａ−ＭＡＰを通じた資源割当て情報の変更が要求され得る。
【０１２６】
本発明の実施形態にかかる広帯域無線接続システムにおけるＭＩＭＯフィードバック情報の伝送方法によれば、移動局２００は、広帯域無線接続システムにおいて、ＭＩＭＯ手法を適用するのに必要な多様なＭＩＭＯ伝送モードのチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）を含むＭＩＭＯ（Ｍｕｌｔｉ−Ｉｎｐｕｔ  Ｍｕｌｔｉ−Ｏｕｔｐｕｔ）フィードバック（ｆｅｅｄｂａｃｋ）情報を伝送することができる。
【０１２７】
また、本発明の実施形態にかかる広帯域無線接続システムにおけるダウンリンクチャネルの性能を向上させるためのＭＩＭＯフィードバック情報の伝送方法によれば、基地局１００は、多様なＭＩＭＯ伝送モードに要求される無線チャネル状態情報を多様な類型のフィードバックモードに区分し、移動局２００にアップリンク基本割当てＡ−ＭＡＰ（ＵＬ  Ｂａｓｉｃ  Ａｓｓｉｇｎｍｅｎｔ  Ａ−ＭＡＰ）あるいはフィードバックポーリングＡ−ＭＡＰ（Ｆｅｅｄｂａｃｋ  Ｐｏｌｌｉｎｇ  Ａ−ＭＡＰ）のような制御メッセージを通じて短周期あるいは長周期あるいは２つの周期を同時に指定するフィードバック割当て方法で１つあるいは複数のＭＩＭＯフィードバック（ｆｅｅｄｂａｃｋ）を移動局２００に割当て（ｍｕｌｔｉｐｌｅ  ａｌｌｏｃａｔｉｏｎ）、この資源割当て情報に基づき、移動局２００は、ＭＩＭＯフィードバックを伝送することができる。
【０１２８】
本発明の実施形態にかかる広帯域無線接続システムにおけるＭＩＭＯフィードバック伝送方法によれば、アップリンクＭＩＭＯフィードバックデータに対して同期式（ｓｙｎｃｈｒｏｎｏｕｓ）ＨＡＲＱ手法の手順が行われ、移動局２００は、ＨＡＲＱチャネルを区分するためのチャネル識別子（ＡＣＩＤ）情報を基地局１００から受信したり、予め定義されたルールに従って付与されるＡＣＩＤを用いることができる。
【０１２９】
本発明の実施形態にかかる広帯域無線接続システムにおけるＭＩＭＯフィードバック伝送方法によれば、ＭＩＭＯフィードバックのＨＡＲＱ再伝送手順に関連し、基地局１００は、先に伝送した同一のＡＣＩＤとアップリンク基本割当てＡ−ＭＡＰ（ＵＬ  Ｂａｓｉｃ  Ａｓｓｉｇｎｍｅｎｔ  Ａ−ＭＡＰ）のようなアップリンクＭＡＰ制御メッセージを通じて再伝送ＨＡＲＱパケットのためのアップリンク資源を割当てることができる。
【０１３０】
本発明の実施形態にかかる広帯域無線接続システムにおけるＭＩＭＯフィードバック伝送方法によれば、移動局２００は、要求されたフィードバック情報に応じて、ＭＡＣ制御メッセージ（ｃｏｎｔｒｏｌ  ｍｅｓｓａｇｅ）やシグナリングヘッダ（ｓｉｇｎａｌｉｎｇ  ｈｅａｄｅｒ）あるいは拡張ヘッダ（ｅｘｔｅｎｄｅｄ  ｈｅａｄｅｒ）のようなフィードバックメッセージを用いてＭＩＭＯフィードバックを基地局１００に伝送することができる。
【０１３１】
本発明の実施形態にかかる広帯域無線接続システムにおけるＭＩＭＯフィードバック伝送方法によれば、基地局１００が短周期あるいは長周期で移動局２００にＭＩＭＯフィードバックを要求し、ＭＩＭＯフィードバックの伝送のために１つの無線資源領域を移動局２００に割当てる場合、同一周期におけるＭＩＭＯフィードバックのＨＡＲＱ再伝送手順は、次のような規則２−１に従うことができる。
【０１３２】
規則２−１：ＭＩＭＯフィードバック情報を伝送するためのＨＡＲＱチャネル識別子であるＡＣＩＤは、同一周期に対して２つ以上使用される。もし、前のＭＩＭＯフィードバックを報告する前のＨＡＲＱデータバースト（ｐｒｅｖｉｏｕｓ  ＨＡＲＱ  ｄａｔａ  ｂｕｒｓｔ）が２以上のＡＣＩＤのうちのいずれか１つのＡＣＩＤに伝送された場合、新たなＭＩＭＯフィードバックを報告する新たなＨＡＲＱデータバースト（ｎｅｗ  ＨＡＲＱ  ｄａｔａ  ｂｕｒｓｔ）は、循環（Ｒｏｔａｔｉｏｎ）方式でこのいずれか１つのＡＣＩＤの次のＡＣＩＤに伝送される。新たなＭＩＭＯフィードバックを報告する新たなＨＡＲＱデータバースト（ｎｅｗ  ＨＡＲＱ  ｄａｔａ  ｂｕｒｓｔ）が伝送される前に、同一周期の同一のＡＣＩＤ（＝ｉ）を用いる、先に伝送されたＭＩＭＯフィードバック情報データである前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たなＭＩＭＯフィードバックを報告する新たなＨＡＲＱデータバースト（ｎｅｗ  ＨＡＲＱ  ｄａｔａ  ｂｕｒｓｔ）と、前のＭＩＭＯフィードバックを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−１−１ないし規則２−１−４に従う。
【０１３３】
−規則２−１−１：前のＨＡＲＱデータバースト（ｐｒｅｖｉｏｕｓ  ＨＡＲＱ  ｄａｔａ  ｂｕｒｓｔ）の再伝送のために、アップリンクＭＡＰ（ＵＬ  Ｂａｓｉｃ  Ａｓｓｉｇｎｍｅｎｔ  Ａ−ＭＡＰ）制御メッセージを通じて、前に使用されたＡＣＩＤｉに相当する無線資源の位置とは異なる位置のアップリンク無線資源がＡＣＩＤｉに割当てられる。
【０１３４】
−規則２−１−２：新たなＭＩＭＯフィードバックを報告する新たなＨＡＲＱデータバースト（ｎｅｗ  ＨＡＲＱ  ｄａｔａ  ｂｕｒｓｔ）を伝送するために、先に指定したＡＣＩＤ＝ｉとは異なるＡＣＩＤ＝ｊを割当てることで、ＨＡＲＱチャネルを区分できるようにする。この時、循環（ｒｏｔａｔｉｏｎ）方式で降順の順にＡＣＩＤ（＝ｊ）を割当て、ｉが使用可能なＡＣＩＤのうちの最後のＡＣＩＤであれば、１番目のＡＣＩＤが新たなＨＡＲＱデータバースト（ｎｅｗ  ＨＡＲＱ  ｄａｔａ  ｂｕｒｓｔ）に割当てられる。
【０１３５】
−規則２−１−３：前のＨＡＲＱデータバースト（ｐｒｅｖｉｏｕｓ  ＨＡＲＱ  ｄａｔａ  ｂｕｒｓｔ）に対する再伝送手順は、基地局１００が新たなＨＡＲＱデータバースト（ｎｅｗ  ＨＡＲＱ  ｄａｔａ  ｂｕｒｓｔ）の復号化に成功し、正常な伝送が完了したことを、移動局２００がＨＡＲＱ  ＡＣＫ信号などを通じて認知するまで行われ続ける。
【０１３６】
−規則２−１−４：基地局１００と移動局２００が、前のＨＡＲＱデータバースト（ｐｒｅｖｉｏｕｓ  ＨＡＲＱ  ｄａｔａ  ｂｕｒｓｔ）に対する再伝送手順よりも、新たなＨＡＲＱデータバースト（ｎｅｗ  ＨＡＲＱ  ｄａｔａ  ｂｕｒｓｔ）に対する再伝送手順が先に正常に完了したことを認知すると、前のＨＡＲＱデータバースト（ｐｒｅｖｉｏｕｓ  ＨＡＲＱ  ｄａｔａ  ｂｕｒｓｔ）に対する再伝送手順は終了する。
【０１３７】
次に、図５を参照して、規則２−１に従ったＭＩＭＯフィードバック情報の再伝送方法を説明する。
【０１３８】
図５は、本発明の他の実施形態にかかるＭＩＭＯフィードバック情報の再伝送方法を示す。
【０１３９】
説明の便宜のために、前のＭＩＭＯフィードバックは、ＡＣＩＤｉを用いて伝送され、新たなＭＩＭＯフィードバックは、ＡＣＩＤｉとは異なる値のＡＣＩＤｊを用いて伝送されることを仮定する。ｊはｉ＋１に設定できる。ＭＩＭＯフィードバックの最初の伝送のために、基地局１００は、移動局に１つの無線資源（Ａ）を割当てる。つまり、新たなＭＩＭＯフィードバックの最初の伝送のためのＡＣＩＤｊに割当てられた資源の位置は、前のＭＩＭＯフィードバックの最初の伝送のためのＡＣＩＤｉに割当てられた資源の位置と同じである。
【０１４０】
フィードバックポーリングＡ−ＭＡＰメッセージを通じて移動局２００に割当てられた短周期または長周期に相当するフィードバック周期が到来すると（Ｓ５０１およびＳ５０３）、新たなＭＩＭＯフィードバックが伝送される前に、基地局１００と移動局２００は、同一のフィードバック周期を有する前のＭＩＭＯフィードバックの再伝送手順が完了したかを確認する（Ｓ５０５およびＳ５０７）。
【０１４１】
同一のフィードバック周期を有する前のＭＩＭＯフィードバックの再伝送手順が完了した場合（Ｓ５０５およびＳ５０７）、移動局２００は、無線資源（Ａ）を用いて前のＭＩＭＯフィードバックのＡＣＩＤｉとは異なるＡＣＩＤｊで新たなＭＩＭＯフィードバックを基地局１００に伝送する（Ｓ５０９）。
【０１４２】
基地局１００は、新たなＭＩＭＯフィードバックを復号し、復号成功の可否を確認する（Ｓ５１９）。
【０１４３】
基地局１００が新たなＭＩＭＯフィードバックの復号に成功すると、基地局１００は、ＡＣＫメッセージを移動局２００に伝送する（Ｓ５２１）。基地局１００と移動局２００が、前のＭＩＭＯフィードバックに対する再伝送手順よりも、新たなＭＩＭＯフィードバックに対する再伝送手順が先に正常に完了したことを認知すると、基地局１００と移動局２００は、前のＭＩＭＯフィードバックに対する再伝送手順を終了する（Ｓ５２３およびＳ５２５）。
【０１４４】
一方、基地局１００が新たなＭＩＭＯフィードバックの復号に失敗すると、基地局１００は、ＮＡＣＫメッセージを移動局２００に伝送する（Ｓ５２７）。そして、基地局１００は、アップリンク基本割当てＡ−ＭＡＰメッセージを移動局２００に伝送し、新たなＭＩＭＯフィードバックの再伝送のために、ＡＣＩＤｊに無線資源（Ａ）とは異なる位置の無線資源（Ｂ）を割当てる（Ｓ５２９）。
【０１４５】
一方、同一のフィードバック周期を有する前のＭＩＭＯフィードバックの再伝送手順が完了していない場合（Ｓ５０５およびＳ５０７）、移動局２００は、ＡＣＩＤｉで前のＭＩＭＯフィードバックを再伝送し、ＡＣＩＤｊで新たなＭＩＭＯフィードバックを基地局１００に伝送する（Ｓ５１１）。前のＭＩＭＯフィードバックは、再伝送のためのＨＡＲＱバーストに相当するため、前の周期でアップリンク基本割当てＡ−ＭＡＰメッセージを通じて前のＭＩＭＯフィードバックのためのＡＣＩＤｉには他の無線資源が割当てられる。したがって、前のＭＩＭＯフィードバックのためのＡＣＩＤｉに割当てられた資源の位置は、新たなＭＩＭＯフィードバックのためのＡＣＩＤｊに割当てられた資源の位置とは異なる。
【０１４６】
基地局１００は、前のＭＩＭＯフィードバックを復号し、復号成功の可否を確認する（Ｓ５１３）。
【０１４７】
基地局１００が前のＭＩＭＯフィードバックの復号に成功すると、基地局１００は、ＡＣＫメッセージを移動局２００に伝送する（Ｓ５１５）。
【０１４８】
一方、基地局１００が新たなＭＩＭＯフィードバックの復号に失敗すると、基地局１００は、ＮＡＣＫメッセージを移動局２００に伝送する（Ｓ５１７）。
【０１４９】
以降、基地局１００は、新たなＭＩＭＯフィードバックを復号し、復号成功の可否を確認する（Ｓ５１９）。
【０１５０】
基地局１００が新たなＭＩＭＯフィードバックの復号に成功すると、基地局１００は、ＡＣＫメッセージを移動局２００に伝送する（Ｓ５２１）。基地局１００と移動局２００が、前のＭＩＭＯフィードバックに対する再伝送手順よりも、新たなＭＩＭＯフィードバックに対する再伝送手順が先に正常に完了したことを認知すると、基地局１００と移動局２００は、前のＭＩＭＯフィードバックに対する再伝送手順を終了する（Ｓ５２３およびＳ５２５）。
【０１５１】
一方、基地局１００が新たなＭＩＭＯフィードバックの復号に失敗すると、基地局１００は、ＮＡＣＫメッセージを移動局２００に伝送する（Ｓ５２７）。そして、基地局１００は、アップリンク基本割当てＡ−ＭＡＰメッセージを移動局２００に伝送し、新たなＭＩＭＯフィードバックの再伝送のために、ＡＣＩＤｊに無線資源（Ａ）とは異なる位置の無線資源（Ｂ）を割当てる（Ｓ５２９）。
【０１５２】
本発明の実施形態にかかる広帯域無線接続システムにおけるＭＩＭＯフィードバック伝送方法によれば、基地局１００が短周期および長周期の２つで移動局２００にＭＩＭＯフィードバックを要求し、ＭＩＭＯフィードバックの伝送のために１つの無線資源領域を移動局２００に割当て、デフォルト（ｄｅｆａｕｌｔ）として、短周期フィードバックにＡＣＩＤ＝ｉを割当て、長周期フィードバックにＡＣＩＤ＝ｋを割当てる場合、同一周期におけるＭＩＭＯフィードバックのＨＡＲＱ再伝送手順は、次のような規則２−２と規則２−３に従うことができる。
【０１５３】
規則２−２：新たな長周期ＭＩＭＯフィードバック情報データを報告する新たなＨＡＲＱデータバースト（ｎｅｗ  ＨＡＲＱ  ｄａｔａ  ｂｕｒｓｔ）が伝送される前に、先に伝送された短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たな長周期ＭＩＭＯフィードバック情報データを報告する新たなＨＡＲＱデータバースト（ｎｅｗ  ＨＡＲＱ  ｄａｔａ  ｂｕｒｓｔ）と、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−２−１ないし規則２−２−３に従う。
【０１５４】
−規則２−２−１：短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）を再伝送するために、先に用いた同一のＡＣＩＤに、アップリンクＭＡＰ（ＵＬ  Ｂａｓｉｃ  Ａｓｓｉｇｎｍｅｎｔ  Ａ−ＭＡＰ）制御メッセージを通じて、先に使用された無線資源領域とは異なる位置のアップリンク無線資源が割当てられる。
【０１５５】
−規則２−２−２：短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順は、基地局１００が新たな長周期ＭＩＭＯフィードバック情報データを報告する新たなＨＡＲＱデータバースト（ｎｅｗ  ＨＡＲＱ  ｄａｔａ  ｂｕｒｓｔ）の復号化に成功し、正常な伝送が完了したことを、移動局２００がＨＡＲＱ  ＡＣＫ信号などを通じて認知するまで行い続ける。
【０１５６】
−規則２−２−３：移動局２００が、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順よりも、新たな長周期ＭＩＭＯフィードバック情報データを報告する新たなＨＡＲＱデータバースト（ｎｅｗ  ＨＡＲＱ  ｄａｔａ  ｂｕｒｓｔ）に対する再伝送手順が先に正常に完了したことを認知すると、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順を終了する。
【０１５７】
次に、図６を参照して、規則２−２に従ったＭＩＭＯフィードバック情報の再伝送方法を説明する。
【０１５８】
図６は、本発明の他の実施形態にかかるＭＩＭＯフィードバック情報の再伝送方法を示す。
【０１５９】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０１６０】
フィードバックポーリングＡ−ＭＡＰメッセージを通じて移動局２００に割当てられた長周期に相当するフィードバック周期が到来すると（Ｓ６０１およびＳ６０３）、新たな長周期ＭＩＭＯフィードバックが伝送される前に、基地局１００と移動局２００は、同一の伝送時点を有する前の短周期ＭＩＭＯフィードバックの再伝送手順が完了したかを確認する（Ｓ６０５およびＳ６０７）。
【０１６１】
同一の伝送時点を有する前の短周期ＭＩＭＯフィードバックの再伝送手順が完了した場合（Ｓ６０５およびＳ６０７）、移動局２００は、無線資源（Ａ）を用いてＡＣＩＤｋで新たな長周期ＭＩＭＯフィードバックを基地局１００に伝送する（Ｓ６０９）。
【０１６２】
基地局１００は、新たな長周期ＭＩＭＯフィードバックを復号し、復号成功の可否を確認する（Ｓ６１９）。
【０１６３】
基地局１００が新たな長周期ＭＩＭＯフィードバックの復号に成功すれば、基地局１００は、ＡＣＫメッセージを移動局２００に伝送する（Ｓ６２１）。基地局１００と移動局２００が、前の短周期ＭＩＭＯフィードバックに対する再伝送手順よりも、新たな長周期ＭＩＭＯフィードバックに対する再伝送手順が先に正常に完了したことを認知すると、基地局１００と移動局２００は、前の短周期ＭＩＭＯフィードバックに対する再伝送手順を終了する（Ｓ６２３およびＳ６２５）。
【０１６４】
一方、基地局１００が新たな長周期ＭＩＭＯフィードバックの復号に失敗すると、基地局１００は、ＮＡＣＫメッセージを移動局２００に伝送する（Ｓ６２７）。そして、基地局１００は、アップリンク基本割当てＡ−ＭＡＰメッセージを移動局２００に伝送し、新たな長周期ＭＩＭＯフィードバックの再伝送のために、ＡＣＩＤｋに無線資源（Ａ）とは異なる位置の無線資源（Ｂ）を割当てる（Ｓ６２９）。以降、毎長周期到達時点で、移動局２００は、他の位置の無線資源（Ｂ）を介してＡＣＩＤｋを有する新たな長周期ＭＩＭＯフィードバックを再伝送する。
【０１６５】
一方、同一の伝送時点を有する前の短周期ＭＩＭＯフィードバックの再伝送手順が完了していない場合（Ｓ６０５およびＳ６０７）、移動局２００は、ＡＣＩＤｉで前の短周期ＭＩＭＯフィードバックを再伝送し、ＡＣＩＤｋで新たな長周期ＭＩＭＯフィードバックを基地局１００に伝送する（Ｓ６１１）。前の短周期ＭＩＭＯフィードバックは、再伝送のためのＨＡＲＱバーストに相当するため、前の周期でアップリンク基本割当てＡ−ＭＡＰメッセージを通じて前の短周期ＭＩＭＯフィードバックのためのＡＣＩＤｉには他の無線資源が割当てられる。したがって、前の短周期ＭＩＭＯフィードバックのためのＡＣＩＤｉに割当てられた資源の位置は、新たな長周期ＭＩＭＯフィードバックのためのＡＣＩＤｋに割当てられた資源の位置とは異なる。
【０１６６】
基地局１００は、前の短周期ＭＩＭＯフィードバックを復号し、復号成功の可否を確認する（Ｓ６１３）。
【０１６７】
基地局１００が前の短周期ＭＩＭＯフィードバックの復号に成功すると、基地局１００は、ＡＣＫメッセージを移動局２００に伝送する（Ｓ６１５）。
【０１６８】
一方、基地局１００が新たな長周期ＭＩＭＯフィードバックの復号に失敗すると、基地局１００は、ＮＡＣＫメッセージを移動局２００に伝送する（Ｓ６１７）。
【０１６９】
以降、基地局１００は、新たな長周期ＭＩＭＯフィードバックを復号し、復号成功の可否を確認する（Ｓ６１９）。
【０１７０】
基地局１００が新たな長周期ＭＩＭＯフィードバックの復号に成功すると、基地局１００は、ＡＣＫメッセージを移動局２００に伝送する（Ｓ６２１）。基地局１００と移動局２００が、前の短周期ＭＩＭＯフィードバックに対する再伝送手順よりも、新たな長周期ＭＩＭＯフィードバックに対する再伝送手順が先に正常に完了したことを認知すると、基地局１００と移動局２００は、前の短周期ＭＩＭＯフィードバックに対する再伝送手順を終了する（Ｓ６２３およびＳ６２５）。
【０１７１】
一方、基地局１００が新たな長周期ＭＩＭＯフィードバックの復号に失敗すると、基地局１００は、ＮＡＣＫメッセージを移動局２００に伝送する（Ｓ６２７）。そして、基地局１００は、アップリンク基本割当てＡ−ＭＡＰメッセージを移動局２００に伝送し、新たな長周期ＭＩＭＯフィードバックの再伝送のために、ＡＣＩＤｋに無線資源（Ａ）とは異なる位置の無線資源（Ｂ）を割当てる（Ｓ６２９）。
【０１７２】
規則２−３：新たな短周期ＭＩＭＯフィードバック情報データを報告する新たなＨＡＲＱデータバースト（ｎｅｗ  ＨＡＲＱ  ｄａｔａ  ｂｕｒｓｔ）が伝送される前に、先に伝送された長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たな短周期ＭＩＭＯフィードバック情報データを報告する新たなＨＡＲＱデータバースト（ｎｅｗ  ＨＡＲＱ  ｄａｔａ  ｂｕｒｓｔ）と、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−３−１ないし規則２−３−３に従うことができる。
【０１７３】
−規則２−３−１：長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）を再伝送するために、先に用いた同一のＡＣＩＤに、アップリンクＭＡＰ（ＵＬ  Ｂａｓｉｃ  Ａｓｓｉｇｎｍｅｎｔ  Ａ−ＭＡＰ）制御メッセージを通じて、先に使用された無線資源領域とは異なる位置のアップリンク無線資源が割当てられる。
【０１７４】
−規則２−３−２：長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順は、基地局１００が新たな短周期ＭＩＭＯフィードバック情報データを報告する新たなＨＡＲＱデータバースト（ｎｅｗ  ＨＡＲＱ  ｄａｔａ  ｂｕｒｓｔ）の復号化が成功し、正常な伝送が完了したことを、移動局２００がＨＡＲＱ  ＡＣＫ信号などを通じて認知するまで行い続ける。
【０１７５】
−規則２−３−３：移動局２００が、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順よりも、新たな短周期ＭＩＭＯフィードバック情報データを報告する新たなＨＡＲＱデータバースト（ｎｅｗ  ＨＡＲＱ  ｄａｔａ  ｂｕｒｓｔ）に対する再伝送手順が先に正常に完了したことを認知すると、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順を終了する。
【０１７６】
次に、図７を参照して、規則２−３に従ったＭＩＭＯフィードバック情報の再伝送方法を説明する。
【０１７７】
図７は、本発明の他の実施形態にかかるＭＩＭＯフィードバック情報の再伝送方法を示す。
【０１７８】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０１７９】
フィードバックポーリングＡ−ＭＡＰメッセージを通じて移動局２００に割当てられた短周期に相当するフィードバック周期が到来すると（Ｓ７０１およびＳ７０３）、新たな短周期ＭＩＭＯフィードバックが伝送される前に、基地局１００と移動局２００は、同一の伝送時点を有する前の長周期ＭＩＭＯフィードバックの再伝送手順が完了したかを確認する（Ｓ７０５およびＳ７０７）。
【０１８０】
同一の伝送時点を有する前の長周期ＭＩＭＯフィードバックの再伝送手順が完了した場合（Ｓ７０５およびＳ７０７）、移動局２００は、無線資源（Ａ）を用いて前の長周期ＭＩＭＯフィードバックのＡＣＩＤｋとは異なるＡＣＩＤｉで新たな短周期ＭＩＭＯフィードバックを基地局１００に伝送する（Ｓ７０９）。
【０１８１】
基地局１００は、新たな短周期ＭＩＭＯフィードバックを復号し、復号成功の可否を確認する（Ｓ７１９）。
【０１８２】
基地局１００が新たな短周期ＭＩＭＯフィードバックの復号に成功すると、基地局１００は、ＡＣＫメッセージを移動局２００に伝送する（Ｓ７２１）。基地局１００と移動局２００が、前の長周期ＭＩＭＯフィードバックに対する再伝送手順よりも、新たな短周期ＭＩＭＯフィードバックに対する再伝送手順が先に正常に完了したことを認知すると、基地局１００と移動局２００は、前の長周期ＭＩＭＯフィードバックに対する再伝送手順を終了する（Ｓ７２３およびＳ７２５）。
【０１８３】
一方、基地局１００が新たな短周期ＭＩＭＯフィードバックの復号に失敗すると、基地局１００は、ＮＡＣＫメッセージを移動局２００に伝送する（Ｓ７２７）。そして、基地局１００は、アップリンク基本割当てＡ−ＭＡＰメッセージを移動局２００に伝送し、新たな短周期ＭＩＭＯフィードバックの再伝送のために、ＡＣＩＤｉに無線資源（Ａ）とは異なる位置の無線資源（Ｂ）を割当てる（Ｓ７２９）。以降、毎短周期到達時点で、移動局２００は、他の位置の無線資源（Ｂ）を介してＡＣＩＤｉを有する新たな短周期ＭＩＭＯフィードバックを再伝送する。
【０１８４】
一方、同一の伝送時点を有する前の長周期ＭＩＭＯフィードバックの再伝送手順が完了していない場合（Ｓ７０５およびＳ７０７）、移動局２００は、ＡＣＩＤｋで前の長周期ＭＩＭＯフィードバックを再伝送し、ＡＣＩＤｉで新たな短周期ＭＩＭＯフィードバックを基地局１００に伝送する（Ｓ７１１）。前の長周期ＭＩＭＯフィードバックは、再伝送のためのＨＡＲＱバーストに相当するため、前の周期でアップリンク基本割当てＡ−ＭＡＰメッセージを通じて前の長周期ＭＩＭＯフィードバックのためのＡＣＩＤｋには他の無線資源が割当てられる。したがって、前の長周期ＭＩＭＯフィードバックのためのＡＣＩＤｋに割当てられた資源の位置は、新たな短周期ＭＩＭＯフィードバックのためのＡＣＩＤｉに割当てられた資源の位置とは異なる。
【０１８５】
基地局１００は、前の長周期ＭＩＭＯフィードバックを復号し、復号成功の可否を確認する（Ｓ７１３）。
【０１８６】
基地局１００が前の長周期ＭＩＭＯフィードバックの復号に成功すると、基地局１００は、ＡＣＫメッセージを移動局２００に伝送する（Ｓ７１５）。
【０１８７】
一方、基地局１００が新たな短周期ＭＩＭＯフィードバックの復号に失敗すると、基地局１００は、ＮＡＣＫメッセージを移動局２００に伝送する（Ｓ７１７）。
【０１８８】
以降、基地局１００は、新たな短周期ＭＩＭＯフィードバックを復号し、復号成功の可否を確認する（Ｓ７１９）。
【０１８９】
基地局１００が新たな短周期ＭＩＭＯフィードバックの復号に成功すると、基地局１００は、ＡＣＫメッセージを移動局２００に伝送する（Ｓ７２１）。基地局１００と移動局２００が、前の長周期ＭＩＭＯフィードバックに対する再伝送手順よりも、新たな短周期ＭＩＭＯフィードバックに対する再伝送手順が先に正常に完了したことを認知すると、基地局１００と移動局２００は、前の長周期ＭＩＭＯフィードバックに対する再伝送手順を終了する（Ｓ７２３およびＳ７２５）。
【０１９０】
一方、基地局１００が新たな短周期ＭＩＭＯフィードバックの復号に失敗すると、基地局１００は、ＮＡＣＫメッセージを移動局２００に伝送する（Ｓ７２７）。そして、基地局１００は、アップリンク基本割当てＡ−ＭＡＰメッセージを移動局２００に伝送し、新たな短周期ＭＩＭＯフィードバックの再伝送のために、ＡＣＩＤｉに無線資源（Ａ）とは異なる位置の無線資源（Ｂ）を割当てる（Ｓ７２９）。
【０１９１】
本発明の実施形態にかかる広帯域無線接続システムにおけるＭＩＭＯフィードバック伝送方法によれば、基地局１００が短周期および長周期の２つで移動局２００にＭＩＭＯフィードバックを要求し、ＭＩＭＯフィードバックの伝送のために１つの無線資源領域を移動局２００に割当て、デフォルト（ｄｅｆａｕｌｔ）として、短周期フィードバックにＡＣＩＤｉを割当て、長周期フィードバックにＡＣＩＤｋを割当て、短周期でフィードバックを伝送しようとするｆｒａｍｅの位置と長周期でフィードバックを伝送しようとするｆｒａｍｅの位置が同じ場合、同一周期におけるＭＩＭＯフィードバック伝送手順は、次のような規則２−４に従うことができる。
【０１９２】
規則２−４：もし、長周期ＭＩＭＯフィードバックと短周期ＭＩＭＯフィードバックが同時に発生すると、２つのＭＩＭＯフィードバック情報は、以下の規則２−４−１と規則２−４−２に従って１つのデータバーストを介して伝送できる。
【０１９３】
−規則２−４−１：先に割当てられた無線資源の大きさが長周期ＭＩＭＯフィードバックと短周期ＭＩＭＯフィードバックで構成された１つのデータバーストの大きさを収容できない場合、基地局１００は、アップリンクＭＡＰ（ＵＬ  Ｂａｓｉｃ  Ａｓｓｉｇｎｍｅｎｔ  Ａ−ＭＡＰ）制御メッセージを通じてＭＩＭＯフィードバックの伝送のためのアップリンク無線資源を再び割当て、再び割当てられたアップリンク無線資源が新たに構成されたデータバーストの大きさを収容できるようにする。
【０１９４】
−規則２−４−２：この時、基地局１００は、ＨＡＲＱチャネル識別子であるＡＣＩＤを、短周期フィードバックのためのＡＣＩＤ＝ｉ、あるいは長周期フィードバックのためのＡＣＩＤ＝ｋのうちの１つに指定することができる。
【０１９５】
次に、図８を参照して、規則２−４に従ったＭＩＭＯフィードバック情報の伝送方法を説明する。
【０１９６】
図８は、本発明の他の実施形態にかかるＭＩＭＯフィードバック情報の伝送方法を示す。
【０１９７】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０１９８】
長周期と短周期の到来が同時に起こることが予測される場合に（Ｓ８０１、Ｓ８０３）、基地局１００は、アップリンク基本割当てＡ−ＭＡＰメッセージを移動局２００に伝送し、長周期ＭＩＭＯフィードバックと短周期ＭＩＭＯフィードバックをすべて収容できる他の大きさの無線資源（Ｃ）をＡＣＩＤｉまたはＡＣＩＤｊに割当てる（Ｓ８０５）。
【０１９９】
長周期と短周期が同時に到来する時点で（Ｓ８０７、Ｓ８０９）、移動局２００は、長周期ＭＩＭＯフィードバックと短周期ＭＩＭＯフィードバックをすべて含むＨＡＲＱバーストを生成し、新たに割当てられた無線資源（Ｃ）を介してＡＣＩＤｉまたはＡＣＩＤｊでＨＡＲＱバーストを基地局１００に伝送する（Ｓ８１１）。
【０２００】
基地局１００は、長周期ＭＩＭＯフィードバックを復号し、復号成功の可否を確認する（Ｓ８１３）。
【０２０１】
基地局１００が長周期ＭＩＭＯフィードバックの復号に成功すると、基地局１００は、ＡＣＫメッセージを移動局２００に伝送する（Ｓ８１５）。
【０２０２】
一方、基地局１００が新たな短周期ＭＩＭＯフィードバックの復号に失敗すると、基地局１００は、ＮＡＣＫメッセージを移動局２００に伝送する（Ｓ８１７）。
【０２０３】
基地局１００は、短周期ＭＩＭＯフィードバックを復号し、復号成功の可否を確認する（Ｓ８１９）。
【０２０４】
基地局１００が短周期ＭＩＭＯフィードバックの復号に成功すると、基地局１００は、ＡＣＫメッセージを移動局２００に伝送する（Ｓ８２１）。
【０２０５】
一方、基地局１００が新たな短周期ＭＩＭＯフィードバックの復号に失敗すると、基地局１００は、ＮＡＣＫメッセージを移動局２００に伝送する（Ｓ８２３）。
【０２０６】
本発明の実施形態にかかる広帯域無線接続システムにおけるＭＩＭＯフィードバック伝送方法によれば、基地局１００は、多様なＭＩＭＯ伝送モードに要求される無線チャネル状態情報を多様な類型のフィードバックモードに区分し、複数のＭＩＭＯフィードバック（ｆｅｅｄｂａｃｋ）を移動局２００に割当て（ｍｕｌｔｉｐｌｅ  ａｌｌｏｃａｔｉｏｎ）、資源割当て情報に基づき、移動局２００は、規則２−５と規則２−６に従ってＭＩＭＯフィードバック情報を構成することができる。
【０２０７】
規則２−５：移動局２００は、拡張ヘッダ（ｅｘｔｅｎｄｅｄ  ｈｅａｄｅｒ）であるＭＩＭＯフィードバック拡張ヘッダ（ＭＩＭＯ  Ｆｅｅｄｂａｃｋ  Ｅｘｔｅｎｄｅｄ  Ｈｅａｄｅｒ、ＭＦＥＨ）にＭＡＰ制御信号を通じてフィードバックを割当てる時、受信したＭＩＭＯフィードバックモードを区分するビットマップ（Ｂｉｔｍａｐ）であるＭＦＭ＿ｂｉｔｍａｐを用いて、表６のように、ＭＩＭＯ  Ｆｅｅｄｂａｃｋ  Ｍｏｄｅ（ＭＦＭ）に応じたチャネル情報を複数に構成可能とする。ＭＦＭ＿ｂｉｔｍａｐは、移動局がフィードバックポーリングＡ−ＭＡＰメッセージを通じて受信したビットマップに相当することができる。表６は、本発明の実施形態にかかるＭＩＭＯフィードバック拡張ヘッダを示す。
【表６】
2013521694.tif 000012
2013521694.tif 000013
2013521694.tif 000014
【０２０８】
表６から明らかなように、本発明の実施形態にかかるＭＩＭＯフィードバック拡張ヘッダは、タイプフィールド、ＭＩＭＯフィードバックモードビットマップフィールドを含み、ＭＩＭＯフィードバックモードビットマップフィールドで当該ビットが１にセットされた１つ以上のＭＩＭＯフィードバックモードのチャネル情報を含む。
【０２０９】
規則２−６：移動局２００は、ＭＡＣ制御メッセージ（ＭＡＣ  ｃｏｎｔｒｏｌ  ｍｅｓｓａｇｅ）である単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）とマルチ基地局ＭＩＭＯフィードバックメッセージ（ＡＡＩ＿ＭｕｌｔｉＢＳ＿ＭＩＭＯ＿ＦＢＫ  ｍｅｓｓａｇｅ）を通じてＭＩＭＯフィードバック情報を伝送する。表７は、ＡＡＩ＿ＳｉｎｇｌｅＢＳ＿ＭＩＭＯ＿ＦＢＫメッセージを示す。表７に示されているように、ＡＡＩ＿ＳｉｎｇｌｅＢＳ＿ＭＩＭＯ＿ＦＢＫメッセージは、複数の各種ＭＦＭチャネル情報を含み、１つのフィードバックメッセージがすべてのフィードバックモードを収容できるようにする。つまり、フィードバックメッセージは、ＭＦＭ＝０、１、４、７に対するフィードバックモードも収容できるように構成される。
【表７】
2013521694.tif 000015
2013521694.tif 000016
2013521694.tif 000017
2013521694.tif 000018
【０２１０】
表７から明らかなように、本発明の実施形態にかかる単一基地局ＭＩＭＯフィードバックメッセージは、管理メッセージタイプフィールド、ＭＩＭＯフィードバックモードビットマップフィールド、およびＭＩＭＯフィードバックモードビットマップフィールドで当該ビットが１にセットされた１つ以上のＭＩＭＯフィードバックモードのチャネル情報を含む。また、長周期（ｑ）が０より大きく、ＭＩＭＯフィードバックモードが３、６、４、または７の場合に、単一基地局ＭＩＭＯフィードバックメッセージは、伝送相関関係マトリクスをさらに含む。
【０２１１】
表７において、ＭＩＭＯフィードバックモードビットマップの大きさは、支援されるＭＩＭＯフィードバックモードの個数と同じである。
【０２１２】
移動局２００は、ＭＩＭＯ  Ｆｅｅｄｂａｃｋ  Ｅｘｔｅｎｄｅｄ  Ｈｅａｄｅｒ（ＭＦＥＨ）あるいはＣｏｒｒｅｌａｔｉｏｎ  Ｍａｔｒｉｘ  Ｆｅｅｄｂａｃｋ  Ｅｘｔｅｎｄｅｄ  Ｈｅａｄｅｒ（ＣＭＦＥＨ）などの拡張ヘッダ（ｅｘｔｅｎｄｅｄ  ｈｅａｄｅｒ）をＭＡＣ階層でＭＡＣ  ＰＤＵ（ｐｒｏｔｏｃｏｌ  ｄａｔａ  ｕｎｉｔ）を構成するデータペイロード（ｐａｙｌｏａｄ）なしには単独形態（ｓｔａｎｄ−ａｌｏｎｅ）のＭＡＣ  ＰＤＵパケットで伝送することができない。したがって、本発明の実施形態にかかる広帯域無線接続システムにおけるＭＩＭＯフィードバック情報の伝送方法によれば、以下の方法でそれぞれＭＡＣ  ｓｉｇｎａｌｉｎｇ  ｈｅａｄｅｒで再構成し、ＭＩＭＯフィードバック情報をデータペイロードなしに単独形態（ｓｔａｎｄ−ａｌｏｎｅ）のパケットでも基地局１００に伝送できるようにする。
【０２１３】
規則２−７：多様な類型のＭＩＭＯフィードバックモードに応じたチャネル情報に対するＭＩＭＯ  ＦｅｅｄｂａｃｋをＲｅｐｏｒｔするために、移動局２００は、ＭＩＭＯ  Ｆｅｅｄｂａｃｋ  Ｍｏｄｅに応じたチャネル情報を、表８に示すようなＭＡＣ  Ｓｉｇｎａｌｉｎｇ  Ｈｅａｄｅｒに伝送し、ＭＡＣ  ＰＤＵを構成するデータペイロード（ｐａｙｌｏａｄ）なしに単独形態（ｓｔａｎｄ−ａｌｏｎｅ）のＭＡＣ  ＰＤＵパケットでも基地局１００に伝送できるようにする。
【表８】
2013521694.tif 000019
【０２１４】
表８から明らかなように、本発明の一実施形態にかかるシグナリングヘッダに相当するＭＩＭＯフィードバックレポートヘッダは、フロー識別子フィールド、タイプフィールド、ＭＩＭＯフィードバックモードフィールド、ＭＩＭＯフィードバックモードに相当するチャネル情報を含む。
【０２１５】
規則２−８：複数の多様なフィードバックモードのチャネル情報に対するＭＩＭＯ  ＦｅｅｄｂａｃｋをＲｅｐｏｒｔするために、移動局２００は、表９に示すようなＭＩＭＯ  Ｆｅｅｄｂａｃｋ  Ｒｅｐｏｒｔ  Ｈｅａｄｅｒを用いて、１つのＭＡＣ  Ｓｉｇｎａｌｉｎｇ  Ｈｅａｄｅｒが複数のＭＩＭＯ  Ｆｅｅｄｂａｃｋ  Ｍｏｄｅに応じたチャネル情報を収容できるようにし、移動局２００がデータペイロード（ｐａｙｌｏａｄ）なしに単独形態（ｓｔａｎｄ−ａｌｏｎｅ）のＭＡＣ  ＰＤＵパケットでも基地局１００にチャネル情報を伝送できるように構成する。表９のＭＩＭＯ  ｆｅｅｄｂａｃｋ  ｒｅｐｏｒｔ  ｈｅａｄｅｒは、ＭＦＭ０、１、４、７に相当するｗｉｄｅｂａｎｄ  ｉｎｆｏｒｍａｔｉｏｎのための３個のＭＦＭ  ｆｅｅｄｂａｃｋ  ｃｏｎｔｅｎｔを収容することができる。また、表９のＭＩＭＯ  ｆｅｅｄｂａｃｋ  ｒｅｐｏｒｔ  ｈｅａｄｅｒは、ＭＦＭ２、３、４、６に相当するｓｕｂｂａｎｄ  ｉｎｆｏｒｍａｔｉｏｎのための１つのＭＦＭ  ｆｅｅｄｂａｃｋ  ｃｏｎｔｅｎｔを収容することができる。
【０２１６】
表９は、本発明の実施形態にかかるＭＩＭＯ  Ｆｅｅｄｂａｃｋ  Ｒｅｐｏｒｔ  Ｈｅａｄｅｒを示す。
【表９】
2013521694.tif 000020
2013521694.tif 000021
【０２１７】
表９から明らかなように、本発明の他の実施形態にかかるシグナリングヘッダに相当するＭＩＭＯフィードバックレポートヘッダは、フロー識別子フィールド、タイプフィールド、ＭＩＭＯフィードバックモードビットマップ、およびＭＩＭＯフィードバックモードビットマップフィールドで当該ビットが１にセットされた１つ以上のＭＩＭＯフィードバックモードのチャネル情報を含む。
【０２１８】
規則２−９：多様なＭＩＭＯ伝送モードに要求される無線チャネル状態情報において、様々な類型のフィードバックモードのうち、特定のモード（例えば、ＭＦＭ３、４、６、あるいは７）の伝送相関関係マトリクス（Ｔｒａｎｓｍｉｔ  Ｃｏｒｒｅｌａｔｉｏｎ  Ｍａｔｒｉｘ）に対するＭＩＭＯ  ＦｅｅｄｂａｃｋをＲｅｐｏｒｔするために、移動局２００は、Ｃｏｒｒｅｌａｔｉｏｎ  Ｍａｔｒｉｘ  Ｆｅｅｄｂａｃｋに対するＭＩＭＯフィードバック情報を、表１０に示すようなＭＡＣ  Ｓｉｇｎａｌｉｎｇ  Ｈｅａｄｅｒに伝送し、ＭＡＣ  ＰＤＵを構成するデータペイロード（ｐａｙｌｏａｄ）なしに単独形態（ｓｔａｎｄ−ａｌｏｎｅ）のＭＡＣ  ＰＤＵパケットでも基地局１００に伝送できるようにする。
【表１０】
2013521694.tif 000022
【０２１９】
表１０から明らかなように、本発明の実施形態にかかるシグナリングヘッダである相関関係マトリクスフィードバックレポートヘッダは、フロー識別子フィールド、タイプフィールド、および伝送相関関係マトリクスを含む。
【０２２０】
本発明の実施形態にかかる広帯域無線接続システムにおけるＭＩＭＯフィードバック伝送方法によれば、移動局２００は、規則２−７ないし２−９で説明したように、ＭＡＣ、ＰＤＵを構成するデータペイロード（ｐａｙｌｏａｄ）のない単独形態（ｓｔａｎｄ−ａｌｏｎｅ）のパケットに相当するＭＡＣ  Ｓｉｇｎａｌｉｎｇ  Ｈｅａｄｅｒを介してＭＩＭＯフィードバック情報を基地局１００に伝送することができる。また、基地局１００が多様なＭＩＭＯ伝送モードに要求される無線チャネル状態情報を要請するために、多様な類型のフィードバックモードに対する複数のＭＩＭＯフィードバック（ｆｅｅｄｂａｃｋ）を移動局２００に割当て（ｍｕｌｔｉｐｌｅａｌｌｏｃａｔｉｏｎ）る場合にも、移動局２００は、先に説明したＭＡＣ  ｃｏｎｔｒｏｌ  ｍｅｓｓａｇｅあるいは拡張ヘッダ（ｅｘｔｅｎｄｅｄ  ｈｅａｄｅｒ）あるいはデータペイロードなどが共に結合された形態の他のＭＡＣ  ＰＤＵと共に連鎖（ｃｏｎｃａｔｅｎａｔｉｏｎ）的に連結し、ＭＩＭＯフィードバック情報を基地局１００に伝送することもできる。
【０２２１】
次に、図９および図１０を参照して、本発明の実施形態にかかる基地局１００と移動局２００を説明する。
【０２２２】
図９は、本発明の実施形態にかかる基地局の構造を示すブロック図である。
【０２２３】
図９に示されているように、本発明の実施形態にかかる基地局１００は、ＭＩＭＯフィードバック割当て決定部１１０と、フィードバックポーリングＡ−ＭＡＰ生成部１２０と、フィードバックポーリングＡ−ＭＡＰ伝送部１３０と、アップリンク基本割当てＡ−ＭＡＰ生成部１４０と、アップリンク基本割当てＡ−ＭＡＰ伝送部１５０と、ＭＩＭＯフィードバック受信部１６０と、ＭＩＭＯフィードバック復号部１７０と、受信確認メッセージ伝送部１８０とを含む。
【０２２４】
ＭＩＭＯフィードバック割当て決定部１１０は、移動局２００のＭＩＭＯフィードバックのためのＨＡＲＱチャネル識別子（ＡＣＩＤ）、移動局２００のＭＩＭＯフィードバックのための周期、移動局２００のＭＩＭＯフィードバックモード、ＨＡＲＱチャネル識別子（ＡＣＩＤ）に割当てられるアップリンク資源を決定する。
【０２２５】
フィードバックポーリングＡ−ＭＡＰ生成部１２０は、移動局２００のＭＩＭＯフィードバックのためのＨＡＲＱチャネル識別子（ＡＣＩＤ）、移動局２００のＭＩＭＯフィードバックのための周期、移動局２００のＭＩＭＯフィードバックモードを含む１つ以上のフィードバックポーリングＡ−ＭＡＰを生成する。
【０２２６】
フィードバックポーリングＡ−ＭＡＰ伝送部１３０は、生成された１つ以上のフィードバックポーリングＡ−ＭＡＰを移動局２００に伝送する。
【０２２７】
アップリンク基本割当てＡ−ＭＡＰ生成部１４０は、ＨＡＲＱチャネル識別子（ＡＣＩＤ）に割当てられるアップリンク資源の情報を含むアップリンク基本割当てＡ−ＭＡＰを生成する。
【０２２８】
アップリンク基本割当てＡ−ＭＡＰ伝送部１５０は、生成されたアップリンク基本割当てＡ−ＭＡＰを移動局２００に伝送する。
【０２２９】
ＭＩＭＯフィードバック受信部１６０は、移動局からＭＩＭＯフィードバックを報告するＨＡＲＱバーストを受信する。ＭＩＭＯフィードバックとして、単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダが受信できる。
【０２３０】
ＭＩＭＯフィードバック復号部１７０は、受信したＨＡＲＱバーストを復号する。
【０２３１】
受信確認メッセージ伝送部１８０は、ＨＡＲＱバーストに対する復号成功の可否に対する受信確認メッセージを移動局２００に伝送する。前のＭＩＭＯフィードバックよりも先に新たなＭＩＭＯフィードバックが正常に復号された場合、受信確認メッセージ伝送部１８０は、前のＭＩＭＯフィードバックに対するＮＡＣＫを伝送することなく、前のＭＩＭＯフィードバックに対する再伝送手順を終了する。
【０２３２】
図１０は、本発明の実施形態にかかる移動局の構造を示すブロック図である。
【０２３３】
図１０は、本発明の実施形態にかかる移動局２００は、フィードバックポーリングＡ−ＭＡＰ受信部２１０と、アップリンク基本割当てＡ−ＭＡＰ受信部２２０と、チャネル情報推定部２３０と、ＭＩＭＯフィードバック生成部２４０と、ＭＩＭＯフィードバック伝送部２５０と、受信確認メッセージ受信部２６０とを含む。
【０２３４】
フィードバックポーリングＡ−ＭＡＰ受信部２１０は、基地局１００からフィードバックポーリングＡ−ＭＡＰを受信する。
【０２３５】
アップリンク基本割当てＡ−ＭＡＰ受信部２２０は、基地局１００からアップリンク基本割当てＡ−ＭＡＰを受信する。
【０２３６】
チャネル情報推定部２３０は、フィードバックポーリングＡ−ＭＡＰによって割当てられたＭＩＭＯフィードバックモードに相当するチャネル情報を推定する。
【０２３７】
ＭＩＭＯフィードバック生成部２４０は、ＭＩＭＯフィードバックの内容に応じて、ＭＩＭＯフィードバックとして、単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダを生成することができる。
【０２３８】
ＭＩＭＯフィードバック伝送部２５０は、生成したＭＩＭＯフィードバックを報告するＨＡＲＱバーストを基地局１００に伝送する。
【０２３９】
受信確認メッセージ受信部２６０は、ＨＡＲＱバーストに対する復号成功の可否に対する受信確認メッセージを基地局１００から受信する。ＮＡＣＫが受信されると、受信確認メッセージ受信部２６０は、ＭＩＭＯフィードバック伝送部２５０にＭＩＭＯフィードバックの再伝送を指示する。しかし、前のＭＩＭＯフィードバックに対するＡＣＫよりも新たなＭＩＭＯフィードバックに対するＡＣＫが受信された場合、受信確認メッセージ受信部２６０は、前のＭＩＭＯフィードバックの再伝送をＭＩＭＯフィードバック伝送部２５０に指示することなく、前のＭＩＭＯフィードバックに対する再伝送手順を終了する。
【０２４０】
以上で説明した本発明の実施形態は、装置および方法によってのみ実現されるのではなく、本発明の実施形態の構成に対応する機能を実現するプログラムまたはそのプログラムが記録された記録媒体を介して実現されていてもよく、このような実現は、先に説明した実施形態の記載から本発明の属する技術分野における専門家であれば容易に実現することができる。
【０２４１】
以上、本発明の実施形態について詳細に説明したが、本発明の権利範囲は、これに限定されるものではなく、下記の請求の範囲で定義している本発明の基本概念を利用した当業者の様々な変形および改良形態も本発明の権利範囲に属する。
【図１】
2013521694.tif 000023
【図２】
2013521694.tif 000024
【図３】
2013521694.tif 000025
【図４】
2013521694.tif 000026
【図５】
2013521694.tif 000027
【図６】
2013521694.tif 000028
【図７】
2013521694.tif 000029
【図８】
2013521694.tif 000030
【図９】
2013521694.tif 000031
【図１０】
2013521694.tif 000032
【手続補正書】
【提出日】平成24年12月3日(2012.12.3)
【手続補正１】
【補正対象書類名】明細書
【補正対象項目名】全文
【補正方法】変更
【補正の内容】
【発明の詳細な説明】
【技術分野】
【０００１】
本発明は、基地局および移動局に関するものである。特に、本発明は、ＭＩＭＯ（Ｍｕｌｔｉ−Ｉｎｐｕｔ  Ｍｕｌｔｉ−Ｏｕｔｐｕｔ、ＭＩＭＯ）フィードバック受信方法およびＭＩＭＯフィードバック伝送方法に関するものである。
【背景技術】
【０００２】
広帯域無線接続システムは、次世代無線通信方式として、高速のデータパケット伝送、少ない遅延、および通信の信頼性確保のためにハイブリッドＡＲＱ（ｈｙｂｒｉｄ  ａｕｔｏｍａｔｉｃ  ｒｅｐｅａｔ  ｒｅｑｕｅｓｔ、ＨＡＲＱ）を支援し、多重送信アンテナと多重受信アンテナを用いてデータの送受信効率を向上させるための多重入力多重出力（Ｍｕｌｔｉ−Ｉｎｐｕｔ  Ｍｕｌｔｉ−Ｏｕｔｐｕｔ、ＭＩＭＯ）技術を採用する。
【０００３】
ＨＡＲＱ方式によれば、受信機（ｒｅｃｅｉｖｅｒ）は、物理階層が受信したデータパケットを復号（ｄｅｃｏｄｅ）してエラーが検出されたか否かを確認し、エラーが発生していなければ、応答信号としてＡＣＫ（Ａｃｋｎｏｗｌｅｄｇｅｍｅｎｔ）信号を送信し、データパケットの受信の成功を送信機（ｔｒａｎｓｍｉｔｔｅｒ）に知らせる。しかし、受信機で受信したデータパケットを復号（ｄｅｃｏｄｅ）してエラーが検出されると、応答信号としてＮＡＣＫ（Ｎｅｇａｔｉｖｅ  ａｃｋｎｏｗｌｅｄｇｅｍｅｎｔ）信号を送信し、エラーが検出されたことを送信機に知らせる。送信機は、ＮＡＣＫ信号が受信されると、データパケットを再伝送することができる。
【０００４】
ＨＡＲＱプロトコルは、再伝送するパケットの伝送タイミング（ｔｉｍｉｎｇ）により、同期式（ｓｙｎｃｈｒｏｎｏｕｓ）ＨＡＲＱ手法と非同期式（ａｓｙｎｃｈｒｏｎｏｕｓ）ＨＡＲＱ手法に区分されるが、同期式ＨＡＲＱ手法は、初期伝送パケットに対する再伝送パケットの伝送時点を一定にする方式であり、非同期式ＨＡＲＱ手法は、初期伝送パケットに対する再伝送パケットの伝送時点を基地局のスケジューラが決定する方式である。
【０００５】
また、前記ＨＡＲＱ手法は、割当てられる資源の量と位置の変化の可否により、適応（ａｄａｐｔｉｖｅ）ＨＡＲＱ手法と非適応（ｎｏｎ−ａｄａｐｔｉｖｅ）ＨＡＲＱ手法に区分されるが、適応ＨＡＲＱ手法は、割当てられる資源の量と位置を変化させ得る方式であり、非適応ＨＡＲＱ手法は、割当てられる資源の量と位置を固定させる方式である。
【０００６】
同期式および非同期式ＨＡＲＱと適応および非適応ＨＡＲＱ手法を適切に混用し、少ないシグナリングオーバーヘッドを用いることで、高いスケジューリング利得と高速のデータ伝送効果を得ることができる。例えば、移動通信システムは、ダウンリンク（ｄｏｗｎｌｉｎｋ、以下、ＤＬ）データ伝送に対しては適応非同期式ＨＡＲＱを適用し、アップリンク（ｕｐｌｉｎｋ、以下、ＵＬ）データ伝送に対しては同期式ＨＡＲＱを適用することができる。
【０００７】
無線通信方式において、一般的に、基地局は、アップリンクおよびダウンリンクに対してデータ伝送時に使用される無線資源をスケジュール（ｓｃｈｅｄｕｌｅ）する。移動局は、ＭＩＭＯ手法を適用するのに必要な多様なチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）などのチャネル情報を含むフィードバック情報をアップリンクを介して基地局に伝送することができ、基地局は、移動局から受信したフィードバック情報を用いて無線資源をスケジュールし、データを送受信することができる。
【０００８】
ＭＩＭＯ技術は、基地局と移動局にそれぞれ複数のアンテナを用いることで、周波数効率および無線リンク容量の画期的な改善を期待できる技術であって、最近、高速のデータ伝送を要求する無線通信方式の主要技術として注目されている。
【０００９】
ＭＩＭＯ技術は、空間多重化（Ｓｐａｔｉａｌ  ｍｕｌｔｉｐｌｅｘｉｎｇ、ＳＭ）手法や空間伝送ダイバーシティ（Ｓｐａｔｉａｌ  ｔｒａｎｓｍｉｔ  ｄｉｖｅｒｓｉｔｙ）手法などに分けられる。空間多重化手法によれば、互いに異なるデータが多重送信アンテナを介して同時に伝送されることにより、システムの帯域幅を増加させることなく高速のデータ伝送が可能である。空間ダイバーシティ手法によれば、多重送信アンテナから同一のデータが同時に伝送されてダイバーシティを得ることにより、データの信頼性が向上できる。
【００１０】
一方、ＭＩＭＯ技術は、閉ループ（ｃｌｏｓｅｄ  ｌｏｏｐ、ＣＬ）ＭＩＭＯ方式と開ループ（ｏｐｅｎ  ｌｏｏｐ、ＯＬ）ＭＩＭＯ方式に分類できる。
【００１１】
閉ループ（ｃｌｏｓｅｄ  ｌｏｏｐ）ＭＩＭＯ方式は、基地局が移動局にデータを伝送する時、移動局から受信したフィードバック情報に含まれた各種チャネル情報を用いる技術である。閉ループＭＩＭＯ方式によれば、移動局は、複数のアンテナを介して各チャネルごとのチャネル情報を推定し、推定された各種チャネル情報を含むフィードバック情報を基地局に伝送する。基地局は、より正確なＭＩＭＯ技術効果が得られるように、受信したフィードバック情報を伝送データに適用する。これにより、信頼できる高速のデータ伝送効果を得ることができる。
【００１２】
開ループ（ｏｐｅｎ  ｌｏｏｐ）ＭＩＭＯ方式は、移動局から受信したフィードバック情報に含まれたチャネル情報を用いることなくデータを伝送する方式である。フィードバック情報は開ループＭＩＭＯ方式で伝送されくてもよい。また、フィードバック情報が伝送されても、基地局は、このフィードバックメッセージに含まれるチャネル情報を用いなくてもよい。
【００１３】
一般的に、通信システムにおいて、開ループ方式は、高速で移動する移動局に対するチャネル環境で適用可能であり、閉ループ方式は、低速で移動する移動局に対するチャネル環境で適用可能である。高速で移動する移動局に対するチャネルは、変化が激しく、フィードバック情報に含まれたチャネル情報を信頼することが難しいため、開ループ方式が適用される。反面、低速で移動する移動局に対するチャネル環境は、比較的変化が少ないため、フィードバック情報に含まれた各種チャネル情報を信頼することができ、通信装置は遅延により敏感でないため、閉ループ方式を適用することができる。
【００１４】
ＭＩＭＯ伝送モードは、開ループ単一使用者ＭＩＭＯ（ｏｐｅｎ  ｌｏｏｐ  ｓｉｎｇｌｅ  ｕｓｅｒ  ＭＩＭＯ、以下、ＯＬ  ＳＵ  ＭＩＭＯ）、閉ループ単一使用者ＭＩＭＯ（ｃｌｏｓｅｄ  ｌｏｏｐ  ｓｉｎｇｌｅ  ｕｓｅｒ  ＭＩＭＯ、以下、ＣＬ  ＳＵ  ＭＩＭＯ）、開ループ多重使用者ＭＩＭＯ（ｏｐｅｎ  ｌｏｏｐ  ｍｕｌｔｉｐｌｅ  ｕｓｅｒ  ＭＩＭＯ、以下、ＯＬ  ＭＵ  ＭＩＭＯ）、閉ループ多重使用者ＭＩＭＯ（ｃｌｏｓｅｄ  ｌｏｏｐ  ｍｕｌｔｉｐｌｅ  ｕｓｅｒ  ＭＩＭＯ、以下、ＣＬ  ＭＵ  ＭＩＭＯ）などに分類できる。空間多重化（Ｓｐａｔｉａｌ  Ｍｕｌｔｉｐｌｅｘｉｎｇ、ＳＭ）手法および空間伝送ダイバーシティ手法を追加的に採用したＭＩＭＯ伝送モードがダウンリンク（ｄｏｗｎｌｉｎｋ、ＤＬ）およびアップリンク（ｕｐｌｉｎｋ、ＵＬ）で適用可能であり、アップリンク（ｕｐｌｉｎｋ、ＵＬ）において、その必要に応じて、開ループ協力的空間多重化（ｏｐｅｎ  ｌｏｏｐ  ｃｏｌｌａｂｏｒａｔｉｖｅ  ｓｐａｔｉａｌ  ｍｕｌｔｉｐｌｅｘｉｎｇ）手法をＭＵ  ＭＩＭＯに適用したＭＩＭＯ伝送モードが利用できる。
【００１５】
ダウンリンクにおいて、多様なＭＩＭＯ伝送モードを支援するために、移動局がチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）などの互いに異なるチャネル情報を伝送する１つあるいは複数のＭＩＭＯフィードバックモードが支援できる。多様なＭＩＭＯ伝送モードを効果的に支援するために、基地局は、多様なＭＩＭＯ伝送モードに応じて、各種チャネル情報を１つのＭＩＭＯフィードバックモードあるいは複数のＭＩＭＯフィードバックモードを通して移動局に要請することができる。つまり、基地局が移動局にフィードバック情報を要請する場合、互いに異なるチャネル情報に対するフィードバックモードを指定し、必要とするチャネル状態情報のみを要求することができ、あるいは、互いに異なるチャネル情報の複数のフィードバックモードを指定し、ＭＩＭＯシステムに必要なチャネル状態情報を要求することもできる。この時、移動局は、基地局が割当てた各種フィードバックモードに応じた各種チャネル情報を構成して基地局に伝送する。
【００１６】
基地局は、移動局に様々なチャネルの情報を周期的あるいは非周期的にそれぞれ要求することができ、ＭＩＭＯフィードバック周期は、短周期（ｓｈｏｒｔ  ｐｅｒｉｏｄ）と長周期（ｌｏｎｇｐｅｒｉｏｄ）に区分されて割当て可能である。
【００１７】
基地局が複数のフィードバック情報を移動局に要請する場合、移動局は、複数のフィードバック情報を複数のメッセージとしてそれぞれ伝送することもできるが、これは、無線資源を効率的に使用できなくなり、無線資源の無駄遣いをもたらすことがある。
【００１８】
また、基地局が短周期および長周期でフィードバック情報を移動局に要求する場合にも、無線資源の無駄遣いがもたらされることがある。つまり、ＨＡＲＱ処理手順に従って、基地局は、受信したフィードバック情報メッセージに対するデータパケットを復号（ｄｅｃｏｄｅ）し、エラーが検出されると、応答信号としてＮＡＣＫ（Ｎｅｇａｔｉｖｅ  ａｃｋｎｏｗｌｅｄｇｅｍｅｎｔ）信号を送信し、エラーが検出されたことを移動局に知らせる。移動局は、ＮＡＣＫ信号が受信されると、前に伝送したフィードバック情報メッセージを再伝送する。この時、前に伝送されたフィードバック情報メッセージよりも後に伝送されたフィードバック情報メッセージのデータ受信の成功が速くなると、前に伝送されたフィードバックメッセージの再伝送は不要な動作で、無線資源の無駄遣いをもたらすなどの問題が発生する。
【００１９】
したがって、複数の単一フィードバック情報の個数より少ない個数のメッセージを通じて、フィードバックモードとその特性に応じて複数の単一フィードバック情報を基地局に伝送することにより、無線資源の使用を低減し、また、ＨＡＲＱ処理手順に従ってフィードバック情報メッセージの再伝送手順を制御することにより、無線資源を効率的に管理するための方法が必要になる。
【先行技術文献】
【特許文献】
【００２０】
【特許文献１】米国特許出願公開第２００９−００２５８９０号
【発明の概要】
【発明が解決しようとする課題】
【００２１】
本発明が解決しようとする技術的課題は、無線資源の無駄遣いを低減するＭＩＭＯフィードバック受信方法およびＭＩＭＯフィードバック伝送方法を提供することである。
【課題を解決するための手段】
【００２２】
本発明の一実施形態にかかる移動局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバックモードビットマップを受信するステップと、前記ＭＩＭＯフィードバックモードビットマップが指示する少なくとも１つのＭＩＭＯフィードバックモードに相当するチャネル情報を推定するステップと、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを生成するステップと、前記ＭＩＭＯフィードバックを基地局に伝送するステップとを含む。
【００２３】
前記ＭＩＭＯフィードバックモードビットマップは、広帯域チャネル品質情報を報告する１つ以上のＭＩＭＯフィードバックモードをそれぞれ示す１つ以上のビットと、サブバンドチャネル品質情報を報告する１つ以上のＭＩＭＯフィードバックモードをそれぞれ示す１つ以上のビットとを含むことができる。
【００２４】
前記ＭＩＭＯフィードバック伝送方法は、フィードバック周期に対する情報を受信するステップをさらに含み、前記フィードバック周期の到来時に、前記ＭＩＭＯフィードバックが伝送できる。
【００２５】
前記ＭＩＭＯフィードバック伝送方法は、前記ＭＩＭＯフィードバックのためのＨＡＲＱチャネル識別子に対する情報を受信するステップと、前記ＨＡＲＱチャネル識別子に割当てられた無線資源に対する情報を受信するステップとをさらに含み、前記ＭＩＭＯフィードバックは、前記ＨＡＲＱチャネル識別子に割当てられた無線資源を介して伝送できる。
【００２６】
本発明の一実施形態にかかる基地局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、前記ＭＩＭＯフィードバック要請に対する応答として、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを前記移動局から受信するステップとを含む。
【００２７】
前記ＭＩＭＯフィードバックモードビットマップは、広帯域チャネル品質情報を報告する１つ以上のＭＩＭＯフィードバックモードをそれぞれ示す１つ以上のビットと、サブバンドチャネル品質情報を報告する１つ以上のＭＩＭＯフィードバックモードをそれぞれ示す１つ以上のビットとを含むことができる。
【００２８】
前記ＭＩＭＯフィードバック伝送方法は、ＭＩＭＯフィードバックのためのＨＡＲＱチャネル識別子に対する情報を前記移動局に伝送するステップと、前記ＨＡＲＱチャネル識別子に割当てられた無線資源に対する情報を前記移動局に伝送するステップとをさらに含み、前記ＭＩＭＯフィードバック要請は、フィードバック周期に対する情報を含み、前記フィードバック周期の到来時に、前記ＭＩＭＯフィードバックは、前記ＨＡＲＱチャネル識別子に割当てられた無線資源を介して受信できる。
【００２９】
本発明の他の実施形態にかかる移動局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を受信するステップと、ＭＩＭＯのためのチャネル情報を推定するステップと、推定されたチャネル情報を含むシグナリングヘッダを生成するステップと、前記ＭＩＭＯフィードバック周期の到来時に、単独またはＭＡＣプロトコルデータユニットと共に前記シグナリングヘッダを基地局に伝送するステップとを含む。
【００３０】
前記ＭＩＭＯフィードバック要請は、第１ＭＩＭＯフィードバックモードビットマップを含み、前記チャネル情報を推定するステップは、前記第１ＭＩＭＯフィードバックモードビットマップが指示する少なくとも１つのＭＩＭＯフィードバックモードに相当するチャネル情報を推定するステップを含むことができる。
【００３１】
前記チャネル情報は、チャネル品質情報に相当することができる。
【００３２】
前記シグナリングヘッダは、前記少なくとも１つのＭＩＭＯフィードバックモードを示す第２ＭＩＭＯフィードバックモードビットマップをさらに含むことができる。
【００３３】
前記チャネル情報は、伝送相関関係マトリクスに相当することができる。
【００３４】
本発明の他の実施形態にかかる基地局のＭＩＭＯフィードバック伝送方法は、ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を移動局に伝送するステップと、前記ＭＩＭＯフィードバック要請に対する応答として、前記ＭＩＭＯフィードバック周期の到来時に、ＭＩＭＯのためのチャネル情報を含むシグナリングヘッダを、単独またはＭＡＣプロトコルデータユニットと共に、前記移動局から受信するステップとを含む。
【００３５】
前記ＭＩＭＯフィードバック要請は、第１ＭＩＭＯフィードバックモードビットマップを含み、前記チャネル情報は、前記第１ＭＩＭＯフィードバックモードビットマップが指示する少なくとも１つのＭＩＭＯフィードバックモードに相当する情報に相当し、前記シグナリングヘッダは、前記少なくとも１つのＭＩＭＯフィードバックモードを示す第２ＭＩＭＯフィードバックモードビットマップをさらに含むことができる。
【００３６】
前記チャネル情報は、チャネル品質情報に相当することができる。
【００３７】
前記チャネル情報は、伝送相関関係マトリクスに相当することができる。
【００３８】
本発明の他の実施形態にかかる移動局のＭＩＭＯフィードバック伝送方法は、第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を受信するステップと、前記第１ＭＩＭＯフィードバックモードビットマップが指示する少なくとも１つのＭＩＭＯフィードバックモードに相当するチャネル情報を推定するステップと、前記少なくとも１つのＭＩＭＯフィードバックモードを示す第２ＭＩＭＯフィードバックモードビットマップ、および前記少なくとも１つのＭＩＭＯフィードバックモードに相当するチャネル情報を含むＭＩＭＯフィードバックヘッダを生成するステップと、前記ＭＩＭＯフィードバックヘッダを基地局に伝送するステップとを含む。
【００３９】
前記第２ＭＩＭＯフィードバックモードビットマップは、広帯域チャネル品質情報を報告する１つ以上のＭＩＭＯフィードバックモードをそれぞれ示す１つ以上のビットを含むことができる。
【００４０】
前記第２ＭＩＭＯフィードバックモードビットマップは、サブバンドチャネル品質情報を報告する１つ以上のＭＩＭＯフィードバックモードをそれぞれ示す１つ以上のビットをさらに含むことができる。
【００４１】
ＭＩＭＯフィードバック要請は、フィードバック周期に対する情報を含み、前記フィードバック周期の到来時に、前記ＭＩＭＯフィードバックヘッダが伝送できる。
【００４２】
本発明の他の実施形態にかかる基地局のＭＩＭＯフィードバック伝送方法は、第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、前記ＭＩＭＯフィードバック要請に対する応答として、前記第１ＭＩＭＯフィードバックモードビットマップが指示する前記少なくとも１つのＭＩＭＯフィードバックモードに相当するチャネル情報と、前記少なくとも１つのＭＩＭＯフィードバックモードを示す第２ＭＩＭＯフィードバックモードビットマップを含むＭＩＭＯフィードバックヘッダを前記移動局から受信するステップとを含む。
【００４３】
前記第２ＭＩＭＯフィードバックモードビットマップは、広帯域チャネル品質情報を報告する１つ以上のＭＩＭＯフィードバックモードをそれぞれ示す１つ以上のビットを含むことができる。
【００４４】
前記第２ＭＩＭＯフィードバックモードビットマップは、サブバンドチャネル品質情報を報告する１つ以上のＭＩＭＯフィードバックモードをそれぞれ示す１つ以上のビットをさらに含むことができる。
【００４５】
本発明の他の実施形態にかかる基地局のＭＩＭＯフィードバック伝送方法は、第１無線資源を介して第１チャネル識別子で第１ＭＩＭＯフィードバックを移動局から受信するステップと、前記第１ＭＩＭＯフィードバックの復号に失敗した場合、第１無線資源とは異なる位置の第２無線資源を前記第１チャネル識別子に割当てるための資源割当て情報を前記移動局に伝送するステップと、前記第２無線資源を介して前記第１ＭＩＭＯフィードバックを前記移動局から再受信するステップとを含む。
【００４６】
前記ＭＩＭＯフィードバック伝送方法は、前記第１無線資源を介して第２チャネル識別子で第２ＭＩＭＯフィードバックを前記移動局から受信するステップと、前記第１ＭＩＭＯフィードバックよりも先に前記第２ＭＩＭＯフィードバックの復号に成功すると、前記第１ＭＩＭＯフィードバックの再受信手順を中断するステップとをさらに含むことができる。
【００４７】
前記第２チャネル識別子は、複数のチャネル識別子のうち、前記第１チャネル識別子の次の識別子に相当するものを含むことができる。
【００４８】
前記第１ＭＩＭＯフィードバックは、第１周期で受信され、前記第２ＭＩＭＯフィードバックは、第２周期で受信され、前記第１周期は、前記第２周期より短くてもよい。
【００４９】
前記第１ＭＩＭＯフィードバックは、第１周期で受信され、前記第２ＭＩＭＯフィードバックは、第２周期で受信され、前記第１周期は、前記第２周期より長くてもよい。
【００５０】
本発明の他の実施形態にかかる移動局のＭＩＭＯフィードバック伝送方法は、第１無線資源を介して第１チャネル識別子で第１ＭＩＭＯフィードバックを基地局に伝送するステップと、第１無線資源とは異なる位置の第２無線資源を前記第１チャネル識別子に割当てるための資源割当て情報を、前記第１ＭＩＭＯフィードバックに対する否定的受信確認応答と共に、前記基地局から受信するステップと、前記第２無線資源を介して前記第１ＭＩＭＯフィードバックを前記基地局に再伝送するステップとを含む。
【００５１】
前記ＭＩＭＯフィードバック伝送方法は、前記第１無線資源を介して第２チャネル識別子で第２ＭＩＭＯフィードバックを前記基地局に伝送するステップと、前記第１ＭＩＭＯフィードバックに対する肯定的受信確認応答よりも、前記第２ＭＩＭＯフィードバックに対する肯定的受信確認応答を先に受信する場合、前記第１ＭＩＭＯフィードバックの再伝送手順を中断するステップとをさらに含む。
【００５２】
前記ＭＩＭＯフィードバック伝送方法は、複数のチャネル識別子のうち、前記第１チャネル識別子の次の識別子として前記第２チャネル識別子を決定するステップをさらに含むことができる。
【発明の効果】
【００５３】
本発明の特徴によれば、無線資源の無駄遣いを低減しながらも、ＭＩＭＯフィードバックが効果的に伝送できる。
【図面の簡単な説明】
【００５４】
【図１】本発明の実施形態にかかるＭＩＭＯフィードバック情報の伝送方法を示す。
【図２】本発明の実施形態にかかるＭＩＭＯフィードバック情報の再伝送方法を示す。
【図３】本発明の実施形態にかかるＭＩＭＯフィードバック情報の再伝送方法を示す。
【図４】本発明の実施形態にかかるＭＩＭＯフィードバック情報の再伝送方法を示す。
【図５】本発明の他の実施形態にかかるＭＩＭＯフィードバック情報の再伝送方法を示す。
【図６】本発明の他の実施形態にかかるＭＩＭＯフィードバック情報の再伝送方法を示す。
【図７】本発明の他の実施形態にかかるＭＩＭＯフィードバック情報の再伝送方法を示す。
【図８】本発明の他の実施形態にかかるＭＩＭＯフィードバック情報の伝送方法を示す。
【図９】本発明の実施形態にかかる基地局の構造を示すブロック図である。
【図１０】本発明の実施形態にかかる移動局の構造を示すブロック図である。
【発明を実施するための形態】
【００５５】
以下、添付した図面を参考にして、本発明の実施形態について、本発明の属する技術分野における通常の知識を有する者が容易に実施できるように詳細に説明する。しかし、本発明は、種々の異なる形態で実現可能であり、ここで説明する実施形態に限定されない。そして、図面において、本発明を明確に説明するために説明上不必要な部分は省略し、明細書全体にわたり、類似の部分については類似の図面符号を付した。
【００５６】
明細書全体において、ある部分がある構成要素を「含む」とする時、これは、特に反対となる記載がない限り、他の構成要素を除くものではなく、他の構成要素をさらに包含できることを意味する。
【００５７】
本明細書において、移動局（Ｍｏｂｉｌｅ  Ｓｔａｔｉｏｎ、ＭＳ）は、端末（ｔｅｒｍｉｎａｌ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを称することもでき、移動端末、加入者局、携帯加入者局、ユーザ装置などの全部または一部の機能を含むこともできる。
【００５８】
本明細書において、基地局（Ｂａｓｅ  Ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（Ｎｏｄｅ  Ｂ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを称することもでき、アクセスポイント、無線アクセス局、ノードＢ、送受信基地局、ＭＭＲ−ＢＳなどの全部または一部の機能を含むこともできる。
【００５９】
次に、図１を参照して、本発明の実施形態にかかるＭＩＭＯフィードバック情報の伝送方法を説明する。
【００６０】
図１は、本発明の実施形態にかかるＭＩＭＯフィードバック情報の伝送方法を示す。
【００６１】
まず、基地局１００は、移動局２００のＭＩＭＯフィードバックのためのＨＡＲＱチャネル識別子（ＡＣＩＤ）を決定する（Ｓ１０１）。
【００６２】
次に、基地局１００は、移動局２００のＭＩＭＯフィードバックのための周期を決定する（Ｓ１０２）。
【００６３】
また、基地局１００は、移動局２００のＭＩＭＯフィードバックモードを決定する（Ｓ１０３）。
【００６４】
基地局１００は、移動局２００のＭＩＭＯフィードバックのためのＡＣＩＤにアップリンク資源を割当てる（Ｓ１０５）。
【００６５】
基地局１００は、移動局２００に１つ以上のフィードバックポーリングＡ−ＭＡＰメッセージを伝送し、ＭＩＭＯフィードバックのためのＨＡＲＱチャネル識別子（ＡＣＩＤ）、ＡＣＩＤに割当てられたアップリンク資源の位置と大きさ、ＭＩＭＯフィードバックのための周期、およびＭＩＭＯフィードバックモードを移動局２００に知らせる（Ｓ１０７）。フィードバックポーリングＡ−ＭＡＰは、ＭＩＭＯフィードバックの伝送をスケジュールするために、基地局１００によって使用できる。
【００６６】
表１は、本発明の実施形態にかかるフィードバックポーリングＡ−ＭＡＰを示す。
【表１】
2013521694.tif 000033
【００６７】
表１において、Ｐｏｌｌｉｎｇ＿ｓｕｂ＿ｔｙｐｅビット０ｂ０は、アップリンク資源の割当てまたは解除を示し、Ｐｏｌｌｉｎｇ＿ｓｕｂ＿ｔｙｐｅビット０ｂ１は、フィードバックモードの割当て類型を示す。Ｐｏｌｌｉｎｇ＿ｓｕｂ＿ｔｙｐｅビットが０ｂ０にセットされると、専用アップリンク割当てがフィードバックポーリングＡ−ＭＡＰ情報要素（ｉｎｆｏｒｍａｔｉｏｎ  ｅｌｅｍｅｎｔ、ＩＥ）に含まれる。専用アップリンク割当ては、この情報要素によって定義される指定されたフィードバック伝送フレームでフィードバックを伝送するために、移動局２００によって使用できる。Ｐｏｌｌｉｎｇ＿ｓｕｂ＿ｔｙｐｅビットが０ｂ１にセットされると、いかなる専用アップリンク割当ても含まれない。代わりに、この情報要素によって定義される指定された伝送フレームにおいて、移動局２００は、フィードバックを構成し、基地局１００は、アップリンク基本割当てＡ−ＭＡＰ  ＩＥまたはアップリンクサブバンド割当てＡ−ＭＡＰ  ＩＥを用いて伝送のためのアップリンク割当てを含んだり、移動局２００は、前のフィードバックポーリングＡ−ＭＰＡ情報要素によって指定された専用アップリンク割当てで同一の伝送フレームを指定するフィードバック周期で伝送することができる。
【００６８】
Ｐｅｒｉｏｄフィールドは、ＭＩＭＯフィードバック伝送周期を短周期と長周期で示す。ＭＩＭＯフィードバック伝送のための資源は、毎度の短周期および長周期によって指定されるフレームで割当てられる。短周期はｐフレームであり、長周期はｑサブフレームである。最初の割当ては、２フレーム以降から始まる。つまり、ｉがフィードバックポーリングＡ−ＭＡＰ情報要素が伝送されたフレームのインデックスの場合に、ＭＩＭＯフィードバック伝送のための最初の割当てのフレームインデックスはｉ＋２によって与えられる。
【００６９】
資源インデックスフィールドは、ＡＣＩＤフィールドに相当するＨＡＲＱチャネル識別子に割当てられるアップリンク資源の位置と大きさに関する情報を含む。
【００７０】
ＡＣＩＤは、ＨＡＲＱチャネル識別子を示す。もし、ｑが０であるか、ｐが０の場合、たった１つのＡＣＩＤが予約される。そうでなければ、２つのＡＣＩＤが予約され得る。
【００７１】
ＭＦＭ＿ａｌｌｏｃａｔｉｏｎ＿ｉｎｄｅｘフィールドとＭＦＭ＿ｂｉｔｍａｐフィールドは、ＭＩＭＯフィードバックモード（ＭＩＭＯ  ｆｅｅｄｂａｃｋ  ｍｏｄｅ、ＭＦＭ）を示す。Ｒｅｓｏｕｒｃｅ  Ｕｎｉｔの類型とＭＩＭＯ伝送モードに応じて、ＭＩＭＯフィードバックモードは、モード０、１、２、３、４、５、６、７に分類できる。具体的には、ＭＦＭ＿ａｌｌｏｃａｔｉｏｎ＿ｉｎｄｅｘが０ｂ００にセットされると、測定方法指示（Ｍｅａｓｕｒｅｍｅｎｔ  Ｍｅｔｈｏｄ  Ｉｎｄｉｃａｔｉｏｎ）が０のＭＦＭ０を示し、ＭＦＭ＿ａｌｌｏｃａｔｉｏｎ＿ｉｎｄｅｘが０ｂ０１にセットされると、すべてのサブバンドに対してＭＦＭ３を示し、ＭＦＭ＿ａｌｌｏｃａｔｉｏｎ＿ｉｎｄｅｘが０ｂ１０にセットされると、すべてのサブバンドに対してＭＦＭ６を示し、ＭＦＭ＿ａｌｌｏｃａｔｉｏｎ＿ｉｎｄｅｘが０ｂ１１にセットされると、Ｐｏｌｌｉｎｇ＿ｓｕｂ−ｔｙｐｅが０ｂ１のフィードバックポーリングＡ−ＭＡＰ情報要素でＭＦＭが定義されることを示すことができる。ＭＦＭ＿ｂｉｔｍａｐフィールドは、無線通信システムが支援するすべてのＭＩＭＯフィードバックモードのうち、基地局１００が割当てるすべてのＭＩＭＯフィードバックモードを示すことができる。表２は、無線通信システムが支援するすべてのＭＩＭＯフィードバックモードを示す。
【表２】
2013521694.tif 000034
【００７２】
表２において、ＤＬＲＵは、ｄｉｓｔｒｉｂｕｔｅｄ  ｌｏｇｉｃａｌ  ｒｅｓｏｕｒｃｅ  ｕｎｉｔを示し、ＮＬＲＵは、ｍｉｎｉｂａｎｄ  ｌｏｇｉｃａｌ  ｒｅｓｏｕｒｃｅ  ｕｎｉｔを示し、ＳＬＲＵは、ｓｕｂｂａｎｄ  ｌｏｇｉｃａｌ  ｒｅｓｏｕｒｃｅ  ｕｎｉｔを示す。
【００７３】
ＭＩＭＯ  ｆｅｅｄｂａｃｋ  ｍｏｄｅ０は、ダイバーシティパーミュテーション（ｄｉｖｅｒｓｉｔｙ  ｐｅｒｍｕｔａｔｉｏｎ）でＯＬ  ＳＵ  ＭＩＭＯ  ＳＦＢＣ（周波数空間ブロックコード、ｓｐａｃｅ−ｆｒｅｑｕｅｎｃｙ  ｂｌｏｃｋ  ｃｏｄｅ）とＯＬ  ＳＵ  ＭＩＭＯ  ＳＭ（空間多重化、Ｓｐａｔｉａｌ  Ｍｕｌｔｉｐｌｅｘｉｎｇ）採用のために使用される。移動局２００は、ＳＦＢＣおよび空間多重化の両方のために広帯域ＣＱＩを推定し、ＣＱＩと時空間符号化率（ｓｐａｃｅ−ｔｉｍｅ  ｃｏｄｉｎｇ  ｒａｔｅ、ＳＴＣ  ｒａｔｅ）を報告する。ＳＴＣ  Ｒａｔｅ１は、プリコーディングを有するＳＦＢＣを意味し、ＳＴＣ  Ｒａｔｅ２は、プリコーディングを有するランク−２空間多重化を意味する。また、ＭＩＭＯ  ｆｅｅｄｂａｃｋ  ｍｏｄｅ０は、ビームフォーミングに基づいたサウンディング（ｓｏｕｎｄｉｎｇ）のためのＣＱＩフィードバックのために使用できる。移動局２００は、ＳＦＢＣモード（ＭａｘＭｔ＝０ｂ００）のための広帯域ＣＱＩを推定し、ＣＱＩを報告する。
【００７４】
ＭＩＭＯ  ｆｅｅｄｂａｃｋ  ｍｏｄｅ１は、ダイバーシティパーミュテーションで時空間符号化率１／２を有するＯＬ  ＳＵ  ＭＩＭＯ  ＣＤＲ（ｃｏｎｊｕｇａｔｅ  ｄａｔａ  ｒｅｐｅｔｉｔｉｏｎ）のために使用される。
【００７５】
ＭＩＭＯ  ｆｅｅｄｂａｃｋ  ｍｏｄｅ２は、周波数選択的スケジューリング（ｆｒｅｑｕｅｎｃｙ  ｓｅｌｅｃｔｉｖｅ  ｓｃｈｅｄｕｌｉｎｇ）のためのｌｏｃａｌｉｚｅｄ  ｐｅｒｍｕｔａｔｉｏｎでＯＬ  ＳＵ  ＭＩＭＯ  ＳＭ（空間多重化）のために使用される。時空間符号化率（ＳＴＣ  ｒａｔｅ）は、空間多重化のためのＭＩＭＯストリームの選好（選択された）数を指示する。サブバンドＣＱＩは、選択されたランク（ｒａｎｋ）に相当する。
【００７６】
ＭＩＭＯ  ｆｅｅｄｂａｃｋ  ｍｏｄｅ３は、周波数選択的スケジューリングのためのｌｏｃａｌｉｚｅｄ  ｐｅｒｍｕｔａｔｉｏｎでＣＬ  ＳＵ  ＭＩＭＯ  ＳＭ（空間多重化）のために使用される。時空間符号化率（ＳＴＣ  ｒａｔｅ）は、空間多重化のためのＭＩＭＯストリームの選好（選択された）数を指示する。サブバンドＣＱＩは、選択されたランク（ｒａｎｋ）に相当する。
【００７７】
ＭＩＭＯ  ｆｅｅｄｂａｃｋ  ｍｏｄｅ４は、ランク１を有する広帯域ビームフォーミングを用いるＣＬ  ＳＵ  ＭＩＭＯのために使用される。このモードにおいて、移動局２００は、広帯域ＣＱＩをフィードバックする。広帯域ＣＱＩは、フィードバック周期に応じて、基地局１００で短期（ｓｈｏｒｔ−ｔｅｒｍ）または長期（ｌｏｎｇ−ｔｅｒｍ）プリコーディングを仮定し、移動局２００で推定される。チャネル状態情報は、相関関係マトリクスのフィードバックまたは広帯域ＰＭＩ（選好マトリクスインデックス、ｐｒｅｆｅｒｒｅｄ  ｍａｔｒｉｘ  ｉｎｄｅｘ）のフィードバックを通じて基地局１００から得られる。
【００７８】
ＭＩＭＯ  ｆｅｅｄｂａｃｋ  ｍｏｄｅ５は、周波数選択的スケジューリングを有するｌｏｃａｌｉｚｅｄ  ｐｅｒｍｕｔａｔｉｏｎでＯＬ  ＭＵ  ＭＩＭＯのために使用される。このモードにおいて、移動局２００は、サブバンドの選択、ＭＩＭＯストリームインジケータと当該ＣＱＩをフィードバックする。
【００７９】
ＭＩＭＯ  ｆｅｅｄｂａｃｋ  ｍｏｄｅ６は、周波数選択的スケジューリングを有するｌｏｃａｌｉｚｅｄ  ｐｅｒｍｕｔａｔｉｏｎでＣＬ  ＭＵ  ＭＩＭＯのために使用される。このモードにおいて、移動局２００は、サブバンドの選択、当該ＣＱＩおよびサブバンドＰＭＩをフィードバックする。サブバンドＣＱＩは、当該サブバンドで最もよいＰＭＩのＣＱＩに相当する。ランク１ベースコードブック（Ｒａｎｋ−１  ｂａｓｅ  ｃｏｄｅｂｏｏｋ）またはこのサブセットは、１つのサブバンドでＰＭＩを推定するのに使用される。
【００８０】
ＭＩＭＯ  ｆｅｅｄｂａｃｋ  ｍｏｄｅ７は、広帯域ビームフォーミングを用いるｄｉｖｅｒｓｉｔｙ  ｐｅｒｍｕｔａｔｉｏｎでＣＬ  ＭＵ  ＭＩＭＯのために使用される。このモードにおいて、移動局２００は、広帯域ＣＱＩをフィードバックする。広帯域ＣＱＩは、フィードバック周期に応じて、基地局１００で短期または長期プリコーディングを仮定し、移動局２００で推定される。チャネル状態情報は、相関関係マトリクスのフィードバックまたは広帯域ＰＭＩのフィードバックを通じて基地局１００から得られる。
【００８１】
移動局２００は、割当てられたＭＩＭＯフィードバックモードに応じて、ＭＩＭＯフィードバックの内容を測定する（Ｓ１０９）。
【００８２】
基地局１００が割当てたフィードバック周期が到来すると（Ｓ１１１とＳ１１３）、移動局２００は、要求されたフィードバックの内容に応じて、ＭＡＣ制御メッセージ、ＭＡＣ拡張ヘッダまたはシグナリングヘッダを用いてＭＩＭＯフィードバックを基地局１００に伝送する（Ｓ１１５）。この時、移動局２００は、ＭＩＭＯフィードバックに割当てられたＡＣＩＤを割当て、割当てられたＡＣＩＤに相当するアップリンク資源を介してＭＩＭＯフィードバックを伝送する。ＭＡＣ制御メッセージとして、単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）とマルチ基地局ＭＩＭＯフィードバックメッセージ（ＡＡＩ＿ＭｕｌｔｉＢＳ＿ＭＩＭＯ＿ＦＢＫ  ｍｅｓｓａｇｅ）が使用できる。拡張ヘッダとして、ＭＩＭＯフィードバック拡張ヘッダが使用できる。シグナリングヘッダとして、ＭＩＭＯフィードバックレポートヘッダと相関関係マトリクスフィードバックレポートヘッダが使用できる。単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダについては後述する。
【００８３】
次のようなフィードバック情報が要求される時、移動局２００は、拡張ヘッダでフィードバックを伝送する。
【００８４】
−ＭＦＭ０、１、４、７のための広帯域情報
−ＭＦＭ２、３、５、そして６における、１つのｓｕｂｂａｎｄに対するサブバンド情報
次のようなフィードバック情報が要求される時、移動局２００は、ＭＡＣ制御メッセージでフィードバックを伝送する。
【００８５】
−ＭＦＭ２、３、５、そして６における、１つ以上のサブバンドに対するサブバンド情報
−Ｍｕｌｔｉ−ＢＳフィードバック
表３は、本発明の実施形態によりフィードバック伝送のための拡張ヘッダを示す。
【表３】
2013521694.tif 000035
2013521694.tif 000036
【００８６】
表３から明らかなように、本発明の実施形態にかかるＭＩＭＯフィードバック拡張ヘッダは、タイプフィールド、ＭＩＭＯフィードバックモードフィールド、ＭＩＭＯフィードバックモードに相当するチャネル情報を含む。
【００８７】
表４は、本発明の実施形態によりフィードバック伝送のためのＭＡＣ制御メッセージに相当する単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）を示す。
【表４】
2013521694.tif 000037
2013521694.tif 000038
2013521694.tif 000039
2013521694.tif 000040
【００８８】
表４から明らかなように、本発明の実施形態にかかる単一基地局ＭＩＭＯフィードバックメッセージは、管理メッセージタイプフィールド、ＭＩＭＯフィードバックモードビットマップフィールド、およびＭＩＭＯフィードバックモードビットマップフィールドで当該ビットが１にセットされた１つ以上のＭＩＭＯフィードバックモードのチャネル情報を含む。また、長周期（ｑ）が０より大きく、ＭＩＭＯフィードバックモードが３、６、４、または７の場合に、単一基地局ＭＩＭＯフィードバックメッセージは、伝送相関関係マトリクスをさらに含む。
【００８９】
表４において、ＭＩＭＯフィードバックモードビットマップの大きさは、支援されるＭＩＭＯフィードバックモードの個数より少ない。特に、表４の単一基地局ＭＩＭＯフィードバックメッセージは、サブバンドのチャネル情報のみを含むことができる。
【００９０】
基地局１００の伝送アンテナ数が２あるいは４であれば、何らかのＡＡＩ＿ＳｉｎｇｌｅＢＳ＿ＭＩＭＯ＿ＦＢＫメッセージが同一のパケットで伝送されない時、拡張ヘッダ（ｅｘｔｅｎｄｅｄ  ｈｅａｄｅｒ）である相関関係マトリクスフィードバック拡張ヘッダ（Ｃｏｒｒｅｌａｔｉｏｎ  Ｍａｔｒｉｘ  Ｆｅｅｄｂａｃｋ  Ｅｘｔｅｎｄｅｄ  Ｈｅａｄｅｒ、ＣＭＦＥＨ）に量子化された伝送相関関係マトリクスの係数がフィードバックされる。そうでなければ、ＡＡＩ＿ＳｉｎｇｌｅＢＳ＿ＭＩＭＯ＿ＦＢＫメッセージに量子化された伝送相関関係マトリクスの係数がフィードバックされる。基地局１００のアンテナ数が８であれば、ＡＡＩ＿ＳｉｎｇｌｅＢＳ＿ＭＩＭＯ＿ＦＢＫメッセージに量子化された伝送相関関係マトリクスの係数がフィードバックされる。
【００９１】
短周期（ｐ）ＭＩＭＯフィードバックと長周期（ｑ）ＭＩＭＯフィードバックが同一のｆｒａｍｅに位置する時、２つのＭＩＭＯフィードバックのチャネル情報項目（ｃｏｎｔｅｎｔ）は、１つの同一のデータバースト（ｄａｔａ  ｂｕｒｓｔ）内で伝送される。
【００９２】
以降、基地局１００と移動局２００は、ＭＩＭＯフィードバックの再伝送手順を開始する（Ｓ１１７）。つまり、基地局１００がＭＩＭＯフィードバックの復号に成功すると、基地局１００は、ＡＣＫメッセージを移動局２００に伝送する。反面、基地局がＭＩＭＯフィードバックの復号に失敗すると、基地局１００は、ＮＡＣＫメッセージを移動局２００に伝送する。移動局２００がＮＡＣＫメッセージを受信すると、移動局２００は、ＭＩＭＯフィードバックを再伝送する。
【００９３】
ＭＩＭＯフィードバックのアップリンクＨＡＲＱの再伝送において、基地局１００は、移動局２００がＭＩＭＯフィードバックを再伝送できるように、前のパケットに相当するＡＣＩＤとアップリンク基本割当てＡ−ＭＡＰ（ＵＬ  Ｂａｓｉｃ  Ａｓｓｉｇｎｍｅｎｔ  Ａ−ＭＡＰ）のような資源割当て情報メッセージを通じてアップリンク資源を割当てる。
【００９４】
表５は、本発明の実施形態にかかるアップリンク基本割当てＡ−ＭＡＰメッセージを示す。
【表５】
2013521694.tif 000041
【００９５】
表５に示されているように、アップリンク基本割当てＡ−ＭＡＰメッセージは、資源インデックスフィールドとＡＣＩＤフィールドを含む。Ｒｅｓｏｕｒｃｅ  Ｉｎｄｅｘ（資源インデックス）フィールドは、ＡＣＩＤフィールドに相当するＨＡＲＱチャネル識別子に割当てられるアップリンク資源の割当て位置と大きさに関する情報を含む。
【００９６】
再伝送は、次の規則１−１、１−２、１−３に従うことができる。
【００９７】
次に、規則１−１を説明する。
【００９８】
規則１−１：もし、同一のＡＣＩＤを用いる新たなＭＩＭＯフィードバックを報告する新たなＨＡＲＱバースト（ｎｅｗ  ＨＡＲＱ  ｂｕｒｓｔ）が伝送される前に、前のＭＩＭＯフィードバックを報告する前のＨＡＲＱバースト（ｐｒｅｖｉｏｕｓ  ＨＡＲＱ  ｂｕｒｓｔ）に対する再伝送手順（ｒｅｔｒａｎｓｍｉｓｓｉｏｎ  ｐｒｏｃｅｓｓ）が終わらなければ、前のＨＡＲＱバーストに対する再伝送手順は終了し、新たなＨＡＲＱバーストが前のＨＡＲＱバーストに優先する。
【００９９】
次に、図２を参照して、規則１−１に従ったＭＩＭＯフィードバック情報の再伝送方法を説明する。
【０１００】
図２は、本発明の実施形態にかかるＭＩＭＯフィードバック情報の再伝送方法を示す。
【０１０１】
フィードバックポーリングＡ−ＭＡＰメッセージを通じて移動局２００に割当てられた短周期または長周期に相当するフィードバック周期が到来すると（Ｓ２０３およびＳ２０５）、新たなＭＩＭＯフィードバックが伝送される前に、基地局１００と移動局２００は、新たなＭＩＭＯフィードバックのためのＡＣＩＤと同一のＡＣＩＤを有する前のＭＩＭＯフィードバックの再伝送手順が完了したかを確認する（Ｓ２０７およびＳ２０９）。
【０１０２】
新たなＭＩＭＯフィードバックのためのＡＣＩＤと同一のＡＣＩＤを有する前のＭＩＭＯフィードバックの再伝送手順が完了していない場合、基地局１００と移動局２００は、同一のＡＣＩＤを有する前のＭＩＭＯフィードバックのための再伝送手順を中止する（Ｓ２１１およびＳ２１３）。つまり、基地局１００は、ＮＡＣＫメッセージを通じて移動局２００に前のＭＩＭＯフィードバックの再伝送をそれ以上要求しない。移動局２００は、前のＭＩＭＯフィードバックを廃棄し、基地局１００からＮＡＣＫメッセージを受信しても、前のＭＩＭＯフィードバックを再伝送しない。
【０１０３】
以降、移動局２００は、到来したフィードバック周期に相当する新たなＭＩＭＯフィードバックを基地局１００に伝送する（Ｓ２１５）。この時、移動局２００は、到来したフィードバック周期に割当てられたＡＣＩＤに相当する資源を用いる。
【０１０４】
基地局１００は、新たなＭＩＭＯフィードバックを復号し、復号成功の可否を確認する（Ｓ２１７）。基地局１００が新たなＭＩＭＯフィードバックの復号に成功すると、基地局１００は、ＡＣＫメッセージを移動局２００に伝送する（Ｓ２１９）。反面、基地局が新たなＭＩＭＯフィードバックの復号に失敗すると、基地局１００は、ＮＡＣＫメッセージを移動局２００に伝送する（Ｓ２２１）。
【０１０５】
次に、規則１−２を説明する。
【０１０６】
規則１−２：もし、新たな長周期ＭＩＭＯフィードバックを報告する新たなＨＡＲＱバーストが伝送される前に、先に伝送された短周期ＭＩＭＯフィードバックを報告する前のＨＡＲＱバーストに対する再伝送手順（ｒｅｔｒａｎｓｍｉｓｓｉｏｎ  ｐｒｏｃｅｓｓ）が終わらなければ、短周期ＭＩＭＯフィードバック情報データを報告する前のＨＡＲＱバーストの再伝送手順は終了し、長周期ＭＩＭＯフィードバック情報データを報告する新たなＨＡＲＱバーストが前のＨＡＲＱバーストに優先する。
【０１０７】
次に、図３を参照して、規則１−２に従ったＭＩＭＯフィードバック情報の再伝送方法を説明する。
【０１０８】
図３は、本発明の実施形態にかかるＭＩＭＯフィードバック情報の再伝送方法を示す。
【０１０９】
フィードバックポーリングＡ−ＭＡＰメッセージを通じて移動局２００に割当てられた長周期（ｑ）が到来すると（Ｓ３０３およびＳ３０５）、新たな長周期ＭＩＭＯフィードバックが伝送される前に、基地局１００と移動局２００は、前の短周期ＭＩＭＯフィードバックの再伝送手順が完了したかを確認する（Ｓ３０７およびＳ３０９）。
【０１１０】
前の短周期ＭＩＭＯフィードバックの再伝送手順が完了していない場合、基地局１００と移動局２００は、前の短周期ＭＩＭＯフィードバックのための再伝送手順を中止する（Ｓ３１１およびＳ３１３）。つまり、基地局１００は、ＮＡＣＫメッセージを通じて移動局２００に前の短周期ＭＩＭＯフィードバックの再伝送をそれ以上要求しない。移動局２００は、前の短周期ＭＩＭＯフィードバックを廃棄し、基地局１００からＮＡＣＫメッセージを受信しても、前の短周期ＭＩＭＯフィードバックを再伝送しない。
【０１１１】
以降、移動局２００は、到来した長周期（ｑ）に相当する新たな長周期ＭＩＭＯフィードバックを基地局１００に伝送する（Ｓ３１５）。この時、移動局２００は、到来した長周期（ｑ）に割当てられたＡＣＩＤに相当する資源を用いる。
【０１１２】
基地局１００は、新たな長周期ＭＩＭＯフィードバックを復号し、復号成功の可否を確認する（Ｓ３１７）。基地局１００が新たな長周期ＭＩＭＯフィードバックの復号に成功すると、基地局１００は、ＡＣＫメッセージを移動局２００に伝送する（Ｓ３１９）。反面、基地局が新たな長周期ＭＩＭＯフィードバックの復号に失敗すると、基地局１００は、ＮＡＣＫメッセージを移動局２００に伝送する（Ｓ３２１）。
【０１１３】
次に、規則１−３を説明する。
【０１１４】
規則１−３：もし、新たな短周期ＭＩＭＯフィードバック情報データを報告する新たなＨＡＲＱバーストが伝送される前に、先に伝送された長周期ＭＩＭＯフィードバック情報データを報告する前のＨＡＲＱバーストに対する再伝送手順（ｒｅｔｒａｎｓｍｉｓｓｉｏｎ  ｐｒｏｃｅｓｓ）が終わらなければ、長周期ＭＩＭＯフィードバック情報データを報告する前のＨＡＲＱバーストの再伝送手順は継続するが、再伝送されたパケットの長周期ＭＩＭＯフィードバック情報項目（ｃｏｎｔｅｎｔ）は基地局１００によって捨てられ、短周期ＭＩＭＯフィードバック情報データを報告する新たなＨＡＲＱバーストが前のＨＡＲＱバーストに優先する。
【０１１５】
次に、図４を参照して、規則１−３に従ったＭＩＭＯフィードバック情報の再伝送方法を説明する。
【０１１６】
図４は、本発明の実施形態にかかるＭＩＭＯフィードバック情報の再伝送方法を示す。
【０１１７】
フィードバックポーリングＡ−ＭＡＰメッセージを通じて移動局２００に割当てられた短周期（ｐ）が到来すると（Ｓ４０３およびＳ４０５）、新たな短周期ＭＩＭＯフィードバックが伝送される前に、基地局１００と移動局２００は、前の長周期ＭＩＭＯフィードバックの再伝送手順が完了したかを確認する（Ｓ４０７およびＳ４０９）。
【０１１８】
前の長周期ＭＩＭＯフィードバックの再伝送手順が完了していない場合、基地局１００と移動局２００は、前の長周期ＭＩＭＯフィードバックのための再伝送手順を中止する（Ｓ４１１およびＳ４１３）。つまり、基地局１００は、ＮＡＣＫメッセージを通じて移動局２００に前の長周期ＭＩＭＯフィードバックの再伝送をそれ以上要求しない。移動局２００は、前の長周期ＭＩＭＯフィードバックを廃棄し、基地局１００からＮＡＣＫメッセージを受信しても、前の長周期ＭＩＭＯフィードバックを再伝送しない。
【０１１９】
以降、移動局２００は、到来したフィードバック周期に相当する新たな短周期ＭＩＭＯフィードバックを基地局１００に伝送する（Ｓ４１５）。この時、移動局２００は、到来した短周期（ｐ）に割当てられたＡＣＩＤに相当する資源を用いる。
【０１２０】
基地局１００は、新たな短周期ＭＩＭＯフィードバックを復号し、復号成功の可否を確認する（Ｓ４１７）。基地局１００が新たな短周期ＭＩＭＯフィードバックの復号に成功すると、基地局１００は、ＡＣＫメッセージを移動局２００に伝送する（Ｓ４１９）。反面、基地局が新たな短周期ＭＩＭＯフィードバックの復号に失敗すると、基地局１００は、ＮＡＣＫメッセージを移動局２００に伝送する（Ｓ４２１）。
【０１２１】
しかし、先に説明した実施形態に従うとしても、依然として次のような問題が発生することがある。
【０１２２】
つまり、拡張ヘッダ（ｅｘｔｅｎｄｅｄ  ｈｅａｄｅｒ）であるＭＩＭＯ  Ｆｅｅｄｂａｃｋ  Ｅｘｔｅｎｄｅｄ  Ｈｅａｄｅｒ（ＭＦＥＨ）は、３ｂｙｔｅの固定された大きさを有するため、８個のＭＦＭのうち、たった１つのＭＦＭに対するＭＩＭＯフィードバック情報のみを含むことができる。また、ＭＡＣ制御メッセージであるＡＡＩ＿ＳｉｎｇｌｅＢＳ＿ＭＩＭＯ＿ＦＢＫメッセージは、ＭＦＭ２、３、５、そして６に対する１つ以上のｓｕｂｂａｎｄに対するＭＩＭＯフィードバック情報項目（ｃｏｎｔｅｎｔ）と量子化された伝送相関関係マトリクスのみを含むことができる。
【０１２３】
しかし、基地局１００は、移動局２００に１つのＭＦＭあるいは伝送相関関係マトリクスのＭＩＭＯフィードバックのみならず、複数のＭＩＭＯフィードバック情報をフィードバックポーリングＡ−ＭＡＰを通じて要請することができる。このような場合でも、移動局２００は、当該周期の１フレームで１つのＡＣＩＤで１つのデータバーストを構成し、基地局１００にＭＩＭＯフィードバック情報を報告することが要求される。例えば、ＭＦＭ０、１、４、そして７に対するＭＩＭＯフィードバックと、ＭＦＭ２、３、５、そして６に対するＭＩＭＯフィードバックが要求される場合、移動局２００は、１つのＭＩＭＯフィードバック拡張ヘッダ（ＭＩＭＯ  Ｆｅｅｄｂａｃｋ  Ｅｘｔｅｎｄｅｄ  Ｈｅａｄｅｒ、ＭＦＥＨ）あるいは１つのＡＡＩ＿ＳｉｎｇｌｅＢＳ＿ＭＩＭＯ＿ＦＢＫメッセージでデータバーストを構成することができない。
【０１２４】
また、移動局２００がＭＦＥＨだけでＭＩＭＯフィードバックを構成できるとしても、ＭＩＭＯフィードバック要請数だけのＭＦＥＨヘッダが必要になるため、データサイズが大きくなり、結果的に無線資源を無駄遣いしてしまう問題が発生する。
【０１２５】
それだけでなく、ＭＩＭＯ  Ｆｅｅｄｂａｃｋ  Ｅｘｔｅｎｄｅｄ  Ｈｅａｄｅｒ（ＭＦＥＨ）あるいはＣｏｒｒｅｌａｔｉｏｎ  Ｍａｔｒｉｘ  Ｆｅｅｄｂａｃｋ  Ｅｘｔｅｎｄｅｄ  Ｈｅａｄｅｒ（ＣＭＦＥＨ）などの拡張ヘッダ（ｅｘｔｅｎｄｅｄ  ｈｅａｄｅｒ）は、ＭＡＣ階層でＭＡＣ  ＰＤＵ（ｐｒｏｔｏｃｏｌ  ｄａｔａ  ｕｎｉｔ）を構成するデータペイロード（ｐａｙｌｏａｄ）なしには単独形態（ｓｔａｎｄ−ａｌｏｎｅ）のパケットで伝送できない。したがって、基地局１００で割当てたフィードバック周期で基地局１００に伝送するＭＡＣデータペイロード（ｐａｙｌｏａｄ）がない場合、正常な単独形態（ｓｔａｎｄ−ａｌｏｎｅ）のＭＡＣ  ＰＤＵパケットを介してＭＩＭＯフィードバック情報を伝達することができない。
【０１２６】
一方、ＭＩＭＯフィードバックのＨＡＲＱ手順にも問題が発生することがある。
【０１２７】
つまり、新たなＭＩＭＯフィードバックが伝送される前に、同一のＡＣＩＤを用いる前のＭＩＭＯフィードバックに対する再伝送手順（ｒｅｔｒａｎｓｍｉｓｓｉｏｎ  ｐｒｏｃｅｓｓ）が発生しなかったり、同一の位置で前のＭＩＭＯフィードバックに対する再伝送と新たなＨＡＲＱバーストの伝送が発生することがある。仮に、５０％のＨＡＲＱ再伝送率が発生する場合、５０％に相当するＭＩＭＯフィードバックの伝送が失敗することがある。
【０１２８】
規則１−２および１−３において、基地局１００が複数の互いに異なるＭＩＭＯフィードバックモードに対するＭＩＭＯフィードバックを要請する場合、目的に応じて、互いに異なるフィードバック項目（ｆｅｅｄｂａｃｋ  ｃｏｎｔｅｎｔ）を要求するにもかかわらず、移動局２００は、他の１つのＭＩＭＯフィードバック情報を捨てなければならない問題が発生する。
【０１２９】
また、短周期と長周期で割当てられるフィードバック情報が同一のｆｒａｍｅで伝送される場合、同一のｄａｔａ  ｂｕｒｓｔ内にフィードバック情報項目（ｃｏｎｔｅｎｔ）が伝送できる。この時、２つの周期に相当する情報量を含むことにより、ｄａｔａ  ｂｕｒｓｔの大きさが変更されることにより、アップリンクで伝送する資源割当て情報の変更が必要になり、ＨＡＲＱチャネル識別子（ＡＣＩＤ）を含む、先にシグナリングされたＦｅｅｄｂａｃｋ  Ｐｏｌｌｉｎｇ  Ａ−ＭＡＰを通じた資源割当て情報の変更が要求され得る。
【０１３０】
本発明の実施形態にかかる広帯域無線接続システムにおけるＭＩＭＯフィードバック情報の伝送方法によれば、移動局２００は、広帯域無線接続システムにおいて、ＭＩＭＯ手法を適用するのに必要な多様なＭＩＭＯ伝送モードのチャネル状態情報（ｃｈａｎｎｅｌ  ｓｔａｔｅ  ｉｎｆｏｒｍａｔｉｏｎ、ＣＳＩ）やチャネル品質情報（ｃｈａｎｎｅｌ  ｑｕａｌｉｔｙ  ｉｎｄｉｃａｔｏｒ、ＣＱＩ）を含むＭＩＭＯ（Ｍｕｌｔｉ−Ｉｎｐｕｔ  Ｍｕｌｔｉ−Ｏｕｔｐｕｔ）フィードバック（ｆｅｅｄｂａｃｋ）情報を伝送することができる。
【０１３１】
また、本発明の実施形態にかかる広帯域無線接続システムにおけるダウンリンクチャネルの性能を向上させるためのＭＩＭＯフィードバック情報の伝送方法によれば、基地局１００は、多様なＭＩＭＯ伝送モードに要求される無線チャネル状態情報を多様な類型のフィードバックモードに区分し、移動局２００にアップリンク基本割当てＡ−ＭＡＰ（ＵＬ  Ｂａｓｉｃ  Ａｓｓｉｇｎｍｅｎｔ  Ａ−ＭＡＰ）あるいはフィードバックポーリングＡ−ＭＡＰ（Ｆｅｅｄｂａｃｋ  Ｐｏｌｌｉｎｇ  Ａ−ＭＡＰ）のような制御メッセージを通じて短周期あるいは長周期あるいは２つの周期を同時に指定するフィードバック割当て方法で１つあるいは複数のＭＩＭＯフィードバック（ｆｅｅｄｂａｃｋ）を移動局２００に割当て（ｍｕｌｔｉｐｌｅ  ａｌｌｏｃａｔｉｏｎ）、この資源割当て情報に基づき、移動局２００は、ＭＩＭＯフィードバックを伝送することができる。
【０１３２】
本発明の実施形態にかかる広帯域無線接続システムにおけるＭＩＭＯフィードバック伝送方法によれば、アップリンクＭＩＭＯフィードバックデータに対して同期式（ｓｙｎｃｈｒｏｎｏｕｓ）ＨＡＲＱ手法の手順が行われ、移動局２００は、ＨＡＲＱチャネルを区分するためのチャネル識別子（ＡＣＩＤ）情報を基地局１００から受信したり、予め定義されたルールに従って付与されるＡＣＩＤを用いることができる。
【０１３３】
本発明の実施形態にかかる広帯域無線接続システムにおけるＭＩＭＯフィードバック伝送方法によれば、ＭＩＭＯフィードバックのＨＡＲＱ再伝送手順に関連し、基地局１００は、先に伝送した同一のＡＣＩＤとアップリンク基本割当てＡ−ＭＡＰ（ＵＬ  Ｂａｓｉｃ  Ａｓｓｉｇｎｍｅｎｔ  Ａ−ＭＡＰ）のようなアップリンクＭＡＰ制御メッセージを通じて再伝送ＨＡＲＱパケットのためのアップリンク資源を割当てることができる。
【０１３４】
本発明の実施形態にかかる広帯域無線接続システムにおけるＭＩＭＯフィードバック伝送方法によれば、移動局２００は、要求されたフィードバック情報に応じて、ＭＡＣ制御メッセージ（ｃｏｎｔｒｏｌ  ｍｅｓｓａｇｅ）やシグナリングヘッダ（ｓｉｇｎａｌｉｎｇ  ｈｅａｄｅｒ）あるいは拡張ヘッダ（ｅｘｔｅｎｄｅｄ  ｈｅａｄｅｒ）のようなフィードバックメッセージを用いてＭＩＭＯフィードバックを基地局１００に伝送することができる。
【０１３５】
本発明の実施形態にかかる広帯域無線接続システムにおけるＭＩＭＯフィードバック伝送方法によれば、基地局１００が短周期あるいは長周期で移動局２００にＭＩＭＯフィードバックを要求し、ＭＩＭＯフィードバックの伝送のために１つの無線資源領域を移動局２００に割当てる場合、同一周期におけるＭＩＭＯフィードバックのＨＡＲＱ再伝送手順は、次のような規則２−１に従うことができる。
【０１３６】
規則２−１：ＭＩＭＯフィードバック情報を伝送するためのＨＡＲＱチャネル識別子であるＡＣＩＤは、同一周期に対して２つ以上使用される。もし、前のＭＩＭＯフィードバックを報告する前のＨＡＲＱデータバースト（ｐｒｅｖｉｏｕｓ  ＨＡＲＱ  ｄａｔａ  ｂｕｒｓｔ）が２以上のＡＣＩＤのうちのいずれか１つのＡＣＩＤに伝送された場合、新たなＭＩＭＯフィードバックを報告する新たなＨＡＲＱデータバースト（ｎｅｗ  ＨＡＲＱ  ｄａｔａ  ｂｕｒｓｔ）は、循環（Ｒｏｔａｔｉｏｎ）方式でこのいずれか１つのＡＣＩＤの次のＡＣＩＤに伝送される。新たなＭＩＭＯフィードバックを報告する新たなＨＡＲＱデータバースト（ｎｅｗ  ＨＡＲＱ  ｄａｔａ  ｂｕｒｓｔ）が伝送される前に、同一周期の同一のＡＣＩＤ（＝ｉ）を用いる、先に伝送されたＭＩＭＯフィードバック情報データである前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たなＭＩＭＯフィードバックを報告する新たなＨＡＲＱデータバースト（ｎｅｗ  ＨＡＲＱ  ｄａｔａ  ｂｕｒｓｔ）と、前のＭＩＭＯフィードバックを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−１−１ないし規則２−１−４に従う。
【０１３７】
−規則２−１−１：前のＨＡＲＱデータバースト（ｐｒｅｖｉｏｕｓ  ＨＡＲＱ  ｄａｔａ  ｂｕｒｓｔ）の再伝送のために、アップリンクＭＡＰ（ＵＬ  Ｂａｓｉｃ  Ａｓｓｉｇｎｍｅｎｔ  Ａ−ＭＡＰ）制御メッセージを通じて、前に使用されたＡＣＩＤｉに相当する無線資源の位置とは異なる位置のアップリンク無線資源がＡＣＩＤｉに割当てられる。
【０１３８】
−規則２−１−２：新たなＭＩＭＯフィードバックを報告する新たなＨＡＲＱデータバースト（ｎｅｗ  ＨＡＲＱ  ｄａｔａ  ｂｕｒｓｔ）を伝送するために、先に指定したＡＣＩＤ＝ｉとは異なるＡＣＩＤ＝ｊを割当てることで、ＨＡＲＱチャネルを区分できるようにする。この時、循環（ｒｏｔａｔｉｏｎ）方式で降順の順にＡＣＩＤ（＝ｊ）を割当て、ｉが使用可能なＡＣＩＤのうちの最後のＡＣＩＤであれば、１番目のＡＣＩＤが新たなＨＡＲＱデータバースト（ｎｅｗ  ＨＡＲＱ  ｄａｔａ  ｂｕｒｓｔ）に割当てられる。
【０１３９】
−規則２−１−３：前のＨＡＲＱデータバースト（ｐｒｅｖｉｏｕｓ  ＨＡＲＱ  ｄａｔａ  ｂｕｒｓｔ）に対する再伝送手順は、基地局１００が新たなＨＡＲＱデータバースト（ｎｅｗ  ＨＡＲＱ  ｄａｔａ  ｂｕｒｓｔ）の復号化に成功し、正常な伝送が完了したことを、移動局２００がＨＡＲＱ  ＡＣＫ信号などを通じて認知するまで行われ続ける。
【０１４０】
−規則２−１−４：基地局１００と移動局２００が、前のＨＡＲＱデータバースト（ｐｒｅｖｉｏｕｓ  ＨＡＲＱ  ｄａｔａ  ｂｕｒｓｔ）に対する再伝送手順よりも、新たなＨＡＲＱデータバースト（ｎｅｗ  ＨＡＲＱ  ｄａｔａ  ｂｕｒｓｔ）に対する再伝送手順が先に正常に完了したことを認知すると、前のＨＡＲＱデータバースト（ｐｒｅｖｉｏｕｓ  ＨＡＲＱ  ｄａｔａ  ｂｕｒｓｔ）に対する再伝送手順は終了する。
【０１４１】
次に、図５を参照して、規則２−１に従ったＭＩＭＯフィードバック情報の再伝送方法を説明する。
【０１４２】
図５は、本発明の他の実施形態にかかるＭＩＭＯフィードバック情報の再伝送方法を示す。
【０１４３】
説明の便宜のために、前のＭＩＭＯフィードバックは、ＡＣＩＤｉを用いて伝送され、新たなＭＩＭＯフィードバックは、ＡＣＩＤｉとは異なる値のＡＣＩＤｊを用いて伝送されることを仮定する。ｊはｉ＋１に設定できる。ＭＩＭＯフィードバックの最初の伝送のために、基地局１００は、移動局に１つの無線資源（Ａ）を割当てる。つまり、新たなＭＩＭＯフィードバックの最初の伝送のためのＡＣＩＤｊに割当てられた資源の位置は、前のＭＩＭＯフィードバックの最初の伝送のためのＡＣＩＤｉに割当てられた資源の位置と同じである。
【０１４４】
フィードバックポーリングＡ−ＭＡＰメッセージを通じて移動局２００に割当てられた短周期または長周期に相当するフィードバック周期が到来すると（Ｓ５０１およびＳ５０３）、新たなＭＩＭＯフィードバックが伝送される前に、基地局１００と移動局２００は、同一のフィードバック周期を有する前のＭＩＭＯフィードバックの再伝送手順が完了したかを確認する（Ｓ５０５およびＳ５０７）。
【０１４５】
同一のフィードバック周期を有する前のＭＩＭＯフィードバックの再伝送手順が完了した場合（Ｓ５０５およびＳ５０７）、移動局２００は、無線資源（Ａ）を用いて前のＭＩＭＯフィードバックのＡＣＩＤｉとは異なるＡＣＩＤｊで新たなＭＩＭＯフィードバックを基地局１００に伝送する（Ｓ５０９）。
【０１４６】
基地局１００は、新たなＭＩＭＯフィードバックを復号し、復号成功の可否を確認する（Ｓ５１９）。
【０１４７】
基地局１００が新たなＭＩＭＯフィードバックの復号に成功すると、基地局１００は、ＡＣＫメッセージを移動局２００に伝送する（Ｓ５２１）。基地局１００と移動局２００が、前のＭＩＭＯフィードバックに対する再伝送手順よりも、新たなＭＩＭＯフィードバックに対する再伝送手順が先に正常に完了したことを認知すると、基地局１００と移動局２００は、前のＭＩＭＯフィードバックに対する再伝送手順を終了する（Ｓ５２３およびＳ５２５）。
【０１４８】
一方、基地局１００が新たなＭＩＭＯフィードバックの復号に失敗すると、基地局１００は、ＮＡＣＫメッセージを移動局２００に伝送する（Ｓ５２７）。そして、基地局１００は、アップリンク基本割当てＡ−ＭＡＰメッセージを移動局２００に伝送し、新たなＭＩＭＯフィードバックの再伝送のために、ＡＣＩＤｊに無線資源（Ａ）とは異なる位置の無線資源（Ｂ）を割当てる（Ｓ５２９）。
【０１４９】
一方、同一のフィードバック周期を有する前のＭＩＭＯフィードバックの再伝送手順が完了していない場合（Ｓ５０５およびＳ５０７）、移動局２００は、ＡＣＩＤｉで前のＭＩＭＯフィードバックを再伝送し、ＡＣＩＤｊで新たなＭＩＭＯフィードバックを基地局１００に伝送する（Ｓ５１１）。前のＭＩＭＯフィードバックは、再伝送のためのＨＡＲＱバーストに相当するため、前の周期でアップリンク基本割当てＡ−ＭＡＰメッセージを通じて前のＭＩＭＯフィードバックのためのＡＣＩＤｉには他の無線資源が割当てられる。したがって、前のＭＩＭＯフィードバックのためのＡＣＩＤｉに割当てられた資源の位置は、新たなＭＩＭＯフィードバックのためのＡＣＩＤｊに割当てられた資源の位置とは異なる。
【０１５０】
基地局１００は、前のＭＩＭＯフィードバックを復号し、復号成功の可否を確認する（Ｓ５１３）。
【０１５１】
基地局１００が前のＭＩＭＯフィードバックの復号に成功すると、基地局１００は、ＡＣＫメッセージを移動局２００に伝送する（Ｓ５１５）。
【０１５２】
一方、基地局１００が新たなＭＩＭＯフィードバックの復号に失敗すると、基地局１００は、ＮＡＣＫメッセージを移動局２００に伝送する（Ｓ５１７）。
【０１５３】
以降、基地局１００は、新たなＭＩＭＯフィードバックを復号し、復号成功の可否を確認する（Ｓ５１９）。
【０１５４】
基地局１００が新たなＭＩＭＯフィードバックの復号に成功すると、基地局１００は、ＡＣＫメッセージを移動局２００に伝送する（Ｓ５２１）。基地局１００と移動局２００が、前のＭＩＭＯフィードバックに対する再伝送手順よりも、新たなＭＩＭＯフィードバックに対する再伝送手順が先に正常に完了したことを認知すると、基地局１００と移動局２００は、前のＭＩＭＯフィードバックに対する再伝送手順を終了する（Ｓ５２３およびＳ５２５）。
【０１５５】
一方、基地局１００が新たなＭＩＭＯフィードバックの復号に失敗すると、基地局１００は、ＮＡＣＫメッセージを移動局２００に伝送する（Ｓ５２７）。そして、基地局１００は、アップリンク基本割当てＡ−ＭＡＰメッセージを移動局２００に伝送し、新たなＭＩＭＯフィードバックの再伝送のために、ＡＣＩＤｊに無線資源（Ａ）とは異なる位置の無線資源（Ｂ）を割当てる（Ｓ５２９）。
【０１５６】
本発明の実施形態にかかる広帯域無線接続システムにおけるＭＩＭＯフィードバック伝送方法によれば、基地局１００が短周期および長周期の２つで移動局２００にＭＩＭＯフィードバックを要求し、ＭＩＭＯフィードバックの伝送のために１つの無線資源領域を移動局２００に割当て、デフォルト（ｄｅｆａｕｌｔ）として、短周期フィードバックにＡＣＩＤ＝ｉを割当て、長周期フィードバックにＡＣＩＤ＝ｋを割当てる場合、同一周期におけるＭＩＭＯフィードバックのＨＡＲＱ再伝送手順は、次のような規則２−２と規則２−３に従うことができる。
【０１５７】
規則２−２：新たな長周期ＭＩＭＯフィードバック情報データを報告する新たなＨＡＲＱデータバースト（ｎｅｗ  ＨＡＲＱ  ｄａｔａ  ｂｕｒｓｔ）が伝送される前に、先に伝送された短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たな長周期ＭＩＭＯフィードバック情報データを報告する新たなＨＡＲＱデータバースト（ｎｅｗ  ＨＡＲＱ  ｄａｔａ  ｂｕｒｓｔ）と、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−２−１ないし規則２−２−３に従う。
【０１５８】
−規則２−２−１：短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）を再伝送するために、先に用いた同一のＡＣＩＤに、アップリンクＭＡＰ（ＵＬ  Ｂａｓｉｃ  Ａｓｓｉｇｎｍｅｎｔ  Ａ−ＭＡＰ）制御メッセージを通じて、先に使用された無線資源領域とは異なる位置のアップリンク無線資源が割当てられる。
【０１５９】
−規則２−２−２：短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順は、基地局１００が新たな長周期ＭＩＭＯフィードバック情報データを報告する新たなＨＡＲＱデータバースト（ｎｅｗ  ＨＡＲＱ  ｄａｔａ  ｂｕｒｓｔ）の復号化に成功し、正常な伝送が完了したことを、移動局２００がＨＡＲＱ  ＡＣＫ信号などを通じて認知するまで行い続ける。
【０１６０】
−規則２−２−３：移動局２００が、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順よりも、新たな長周期ＭＩＭＯフィードバック情報データを報告する新たなＨＡＲＱデータバースト（ｎｅｗ  ＨＡＲＱ  ｄａｔａ  ｂｕｒｓｔ）に対する再伝送手順が先に正常に完了したことを認知すると、短周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順を終了する。
【０１６１】
次に、図６を参照して、規則２−２に従ったＭＩＭＯフィードバック情報の再伝送方法を説明する。
【０１６２】
図６は、本発明の他の実施形態にかかるＭＩＭＯフィードバック情報の再伝送方法を示す。
【０１６３】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０１６４】
フィードバックポーリングＡ−ＭＡＰメッセージを通じて移動局２００に割当てられた長周期に相当するフィードバック周期が到来すると（Ｓ６０１およびＳ６０３）、新たな長周期ＭＩＭＯフィードバックが伝送される前に、基地局１００と移動局２００は、同一の伝送時点を有する前の短周期ＭＩＭＯフィードバックの再伝送手順が完了したかを確認する（Ｓ６０５およびＳ６０７）。
【０１６５】
同一の伝送時点を有する前の短周期ＭＩＭＯフィードバックの再伝送手順が完了した場合（Ｓ６０５およびＳ６０７）、移動局２００は、無線資源（Ａ）を用いてＡＣＩＤｋで新たな長周期ＭＩＭＯフィードバックを基地局１００に伝送する（Ｓ６０９）。
【０１６６】
基地局１００は、新たな長周期ＭＩＭＯフィードバックを復号し、復号成功の可否を確認する（Ｓ６１９）。
【０１６７】
基地局１００が新たな長周期ＭＩＭＯフィードバックの復号に成功すれば、基地局１００は、ＡＣＫメッセージを移動局２００に伝送する（Ｓ６２１）。基地局１００と移動局２００が、前の短周期ＭＩＭＯフィードバックに対する再伝送手順よりも、新たな長周期ＭＩＭＯフィードバックに対する再伝送手順が先に正常に完了したことを認知すると、基地局１００と移動局２００は、前の短周期ＭＩＭＯフィードバックに対する再伝送手順を終了する（Ｓ６２３およびＳ６２５）。
【０１６８】
一方、基地局１００が新たな長周期ＭＩＭＯフィードバックの復号に失敗すると、基地局１００は、ＮＡＣＫメッセージを移動局２００に伝送する（Ｓ６２７）。そして、基地局１００は、アップリンク基本割当てＡ−ＭＡＰメッセージを移動局２００に伝送し、新たな長周期ＭＩＭＯフィードバックの再伝送のために、ＡＣＩＤｋに無線資源（Ａ）とは異なる位置の無線資源（Ｂ）を割当てる（Ｓ６２９）。以降、毎長周期到達時点で、移動局２００は、他の位置の無線資源（Ｂ）を介してＡＣＩＤｋを有する新たな長周期ＭＩＭＯフィードバックを再伝送する。
【０１６９】
一方、同一の伝送時点を有する前の短周期ＭＩＭＯフィードバックの再伝送手順が完了していない場合（Ｓ６０５およびＳ６０７）、移動局２００は、ＡＣＩＤｉで前の短周期ＭＩＭＯフィードバックを再伝送し、ＡＣＩＤｋで新たな長周期ＭＩＭＯフィードバックを基地局１００に伝送する（Ｓ６１１）。前の短周期ＭＩＭＯフィードバックは、再伝送のためのＨＡＲＱバーストに相当するため、前の周期でアップリンク基本割当てＡ−ＭＡＰメッセージを通じて前の短周期ＭＩＭＯフィードバックのためのＡＣＩＤｉには他の無線資源が割当てられる。したがって、前の短周期ＭＩＭＯフィードバックのためのＡＣＩＤｉに割当てられた資源の位置は、新たな長周期ＭＩＭＯフィードバックのためのＡＣＩＤｋに割当てられた資源の位置とは異なる。
【０１７０】
基地局１００は、前の短周期ＭＩＭＯフィードバックを復号し、復号成功の可否を確認する（Ｓ６１３）。
【０１７１】
基地局１００が前の短周期ＭＩＭＯフィードバックの復号に成功すると、基地局１００は、ＡＣＫメッセージを移動局２００に伝送する（Ｓ６１５）。
【０１７２】
一方、基地局１００が新たな長周期ＭＩＭＯフィードバックの復号に失敗すると、基地局１００は、ＮＡＣＫメッセージを移動局２００に伝送する（Ｓ６１７）。
【０１７３】
以降、基地局１００は、新たな長周期ＭＩＭＯフィードバックを復号し、復号成功の可否を確認する（Ｓ６１９）。
【０１７４】
基地局１００が新たな長周期ＭＩＭＯフィードバックの復号に成功すると、基地局１００は、ＡＣＫメッセージを移動局２００に伝送する（Ｓ６２１）。基地局１００と移動局２００が、前の短周期ＭＩＭＯフィードバックに対する再伝送手順よりも、新たな長周期ＭＩＭＯフィードバックに対する再伝送手順が先に正常に完了したことを認知すると、基地局１００と移動局２００は、前の短周期ＭＩＭＯフィードバックに対する再伝送手順を終了する（Ｓ６２３およびＳ６２５）。
【０１７５】
一方、基地局１００が新たな長周期ＭＩＭＯフィードバックの復号に失敗すると、基地局１００は、ＮＡＣＫメッセージを移動局２００に伝送する（Ｓ６２７）。そして、基地局１００は、アップリンク基本割当てＡ−ＭＡＰメッセージを移動局２００に伝送し、新たな長周期ＭＩＭＯフィードバックの再伝送のために、ＡＣＩＤｋに無線資源（Ａ）とは異なる位置の無線資源（Ｂ）を割当てる（Ｓ６２９）。
【０１７６】
規則２−３：新たな短周期ＭＩＭＯフィードバック情報データを報告する新たなＨＡＲＱデータバースト（ｎｅｗ  ＨＡＲＱ  ｄａｔａ  ｂｕｒｓｔ）が伝送される前に、先に伝送された長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順（ｒｅｔｒａｎｓｍｉｓｓｉｏｎ  ｐｒｏｃｅｓｓ）が終わらなければ、新たな短周期ＭＩＭＯフィードバック情報データを報告する新たなＨＡＲＱデータバースト（ｎｅｗ  ＨＡＲＱ  ｄａｔａ  ｂｕｒｓｔ）と、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順が同時に行われるように支援するために、以下の規則２−３−１ないし規則２−３−３に従うことができる。
【０１７７】
−規則２−３−１：長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）を再伝送するために、先に用いた同一のＡＣＩＤに、アップリンクＭＡＰ（ＵＬ  Ｂａｓｉｃ  Ａｓｓｉｇｎｍｅｎｔ  Ａ−ＭＡＰ）制御メッセージを通じて、先に使用された無線資源領域とは異なる位置のアップリンク無線資源が割当てられる。
【０１７８】
−規則２−３−２：長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順は、基地局１００が新たな短周期ＭＩＭＯフィードバック情報データを報告する新たなＨＡＲＱデータバースト（ｎｅｗ  ＨＡＲＱ  ｄａｔａ  ｂｕｒｓｔ）の復号化が成功し、正常な伝送が完了したことを、移動局２００がＨＡＲＱ  ＡＣＫ信号などを通じて認知するまで行い続ける。
【０１７９】
−規則２−３−３：移動局２００が、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順よりも、新たな短周期ＭＩＭＯフィードバック情報データを報告する新たなＨＡＲＱデータバースト（ｎｅｗ  ＨＡＲＱ  ｄａｔａ  ｂｕｒｓｔ）に対する再伝送手順が先に正常に完了したことを認知すると、長周期ＭＩＭＯフィードバック情報データを報告する前のＨＡＲＱデータバースト（ｐｒｅｖｉｏｕｓ  ＨＡＲＱ  ｄａｔａ  ｂｕｒｓｔ）に対する再伝送手順を終了する。
【０１８０】
次に、図７を参照して、規則２−３に従ったＭＩＭＯフィードバック情報の再伝送方法を説明する。
【０１８１】
図７は、本発明の他の実施形態にかかるＭＩＭＯフィードバック情報の再伝送方法を示す。
【０１８２】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０１８３】
フィードバックポーリングＡ−ＭＡＰメッセージを通じて移動局２００に割当てられた短周期に相当するフィードバック周期が到来すると（Ｓ７０１およびＳ７０３）、新たな短周期ＭＩＭＯフィードバックが伝送される前に、基地局１００と移動局２００は、同一の伝送時点を有する前の長周期ＭＩＭＯフィードバックの再伝送手順が完了したかを確認する（Ｓ７０５およびＳ７０７）。
【０１８４】
同一の伝送時点を有する前の長周期ＭＩＭＯフィードバックの再伝送手順が完了した場合（Ｓ７０５およびＳ７０７）、移動局２００は、無線資源（Ａ）を用いて前の長周期ＭＩＭＯフィードバックのＡＣＩＤｋとは異なるＡＣＩＤｉで新たな短周期ＭＩＭＯフィードバックを基地局１００に伝送する（Ｓ７０９）。
【０１８５】
基地局１００は、新たな短周期ＭＩＭＯフィードバックを復号し、復号成功の可否を確認する（Ｓ７１９）。
【０１８６】
基地局１００が新たな短周期ＭＩＭＯフィードバックの復号に成功すると、基地局１００は、ＡＣＫメッセージを移動局２００に伝送する（Ｓ７２１）。基地局１００と移動局２００が、前の長周期ＭＩＭＯフィードバックに対する再伝送手順よりも、新たな短周期ＭＩＭＯフィードバックに対する再伝送手順が先に正常に完了したことを認知すると、基地局１００と移動局２００は、前の長周期ＭＩＭＯフィードバックに対する再伝送手順を終了する（Ｓ７２３およびＳ７２５）。
【０１８７】
一方、基地局１００が新たな短周期ＭＩＭＯフィードバックの復号に失敗すると、基地局１００は、ＮＡＣＫメッセージを移動局２００に伝送する（Ｓ７２７）。そして、基地局１００は、アップリンク基本割当てＡ−ＭＡＰメッセージを移動局２００に伝送し、新たな短周期ＭＩＭＯフィードバックの再伝送のために、ＡＣＩＤｉに無線資源（Ａ）とは異なる位置の無線資源（Ｂ）を割当てる（Ｓ７２９）。以降、毎短周期到達時点で、移動局２００は、他の位置の無線資源（Ｂ）を介してＡＣＩＤｉを有する新たな短周期ＭＩＭＯフィードバックを再伝送する。
【０１８８】
一方、同一の伝送時点を有する前の長周期ＭＩＭＯフィードバックの再伝送手順が完了していない場合（Ｓ７０５およびＳ７０７）、移動局２００は、ＡＣＩＤｋで前の長周期ＭＩＭＯフィードバックを再伝送し、ＡＣＩＤｉで新たな短周期ＭＩＭＯフィードバックを基地局１００に伝送する（Ｓ７１１）。前の長周期ＭＩＭＯフィードバックは、再伝送のためのＨＡＲＱバーストに相当するため、前の周期でアップリンク基本割当てＡ−ＭＡＰメッセージを通じて前の長周期ＭＩＭＯフィードバックのためのＡＣＩＤｋには他の無線資源が割当てられる。したがって、前の長周期ＭＩＭＯフィードバックのためのＡＣＩＤｋに割当てられた資源の位置は、新たな短周期ＭＩＭＯフィードバックのためのＡＣＩＤｉに割当てられた資源の位置とは異なる。
【０１８９】
基地局１００は、前の長周期ＭＩＭＯフィードバックを復号し、復号成功の可否を確認する（Ｓ７１３）。
【０１９０】
基地局１００が前の長周期ＭＩＭＯフィードバックの復号に成功すると、基地局１００は、ＡＣＫメッセージを移動局２００に伝送する（Ｓ７１５）。
【０１９１】
一方、基地局１００が新たな短周期ＭＩＭＯフィードバックの復号に失敗すると、基地局１００は、ＮＡＣＫメッセージを移動局２００に伝送する（Ｓ７１７）。
【０１９２】
以降、基地局１００は、新たな短周期ＭＩＭＯフィードバックを復号し、復号成功の可否を確認する（Ｓ７１９）。
【０１９３】
基地局１００が新たな短周期ＭＩＭＯフィードバックの復号に成功すると、基地局１００は、ＡＣＫメッセージを移動局２００に伝送する（Ｓ７２１）。基地局１００と移動局２００が、前の長周期ＭＩＭＯフィードバックに対する再伝送手順よりも、新たな短周期ＭＩＭＯフィードバックに対する再伝送手順が先に正常に完了したことを認知すると、基地局１００と移動局２００は、前の長周期ＭＩＭＯフィードバックに対する再伝送手順を終了する（Ｓ７２３およびＳ７２５）。
【０１９４】
一方、基地局１００が新たな短周期ＭＩＭＯフィードバックの復号に失敗すると、基地局１００は、ＮＡＣＫメッセージを移動局２００に伝送する（Ｓ７２７）。そして、基地局１００は、アップリンク基本割当てＡ−ＭＡＰメッセージを移動局２００に伝送し、新たな短周期ＭＩＭＯフィードバックの再伝送のために、ＡＣＩＤｉに無線資源（Ａ）とは異なる位置の無線資源（Ｂ）を割当てる（Ｓ７２９）。
【０１９５】
本発明の実施形態にかかる広帯域無線接続システムにおけるＭＩＭＯフィードバック伝送方法によれば、基地局１００が短周期および長周期の２つで移動局２００にＭＩＭＯフィードバックを要求し、ＭＩＭＯフィードバックの伝送のために１つの無線資源領域を移動局２００に割当て、デフォルト（ｄｅｆａｕｌｔ）として、短周期フィードバックにＡＣＩＤｉを割当て、長周期フィードバックにＡＣＩＤｋを割当て、短周期でフィードバックを伝送しようとするｆｒａｍｅの位置と長周期でフィードバックを伝送しようとするｆｒａｍｅの位置が同じ場合、同一周期におけるＭＩＭＯフィードバック伝送手順は、次のような規則２−４に従うことができる。
【０１９６】
規則２−４：もし、長周期ＭＩＭＯフィードバックと短周期ＭＩＭＯフィードバックが同時に発生すると、２つのＭＩＭＯフィードバック情報は、以下の規則２−４−１と規則２−４−２に従って１つのデータバーストを介して伝送できる。
【０１９７】
−規則２−４−１：先に割当てられた無線資源の大きさが長周期ＭＩＭＯフィードバックと短周期ＭＩＭＯフィードバックで構成された１つのデータバーストの大きさを収容できない場合、基地局１００は、アップリンクＭＡＰ（ＵＬ  Ｂａｓｉｃ  Ａｓｓｉｇｎｍｅｎｔ  Ａ−ＭＡＰ）制御メッセージを通じてＭＩＭＯフィードバックの伝送のためのアップリンク無線資源を再び割当て、再び割当てられたアップリンク無線資源が新たに構成されたデータバーストの大きさを収容できるようにする。
【０１９８】
−規則２−４−２：この時、基地局１００は、ＨＡＲＱチャネル識別子であるＡＣＩＤを、短周期フィードバックのためのＡＣＩＤ＝ｉ、あるいは長周期フィードバックのためのＡＣＩＤ＝ｋのうちの１つに指定することができる。
【０１９９】
次に、図８を参照して、規則２−４に従ったＭＩＭＯフィードバック情報の伝送方法を説明する。
【０２００】
図８は、本発明の他の実施形態にかかるＭＩＭＯフィードバック情報の伝送方法を示す。
【０２０１】
説明の便宜のために、短周期ＭＩＭＯフィードバックは、ＡＣＩＤｉを用いて伝送され、長周期ＭＩＭＯフィードバックは、ＡＣＩＤｉとは異なる値のＡＣＩＤｋを用いて伝送されることを仮定する。ＭＩＭＯフィードバックの最初の伝送のために、基地局１００は、移動局に１つの無線資源（Ａ）を割当てる。つまり、長周期ＭＩＭＯフィードバックの最初の伝送のためのＡＣＩＤｋに割当てられた資源の位置は、短周期ＭＩＭＯフィードバックの最初の伝送のためのＡＣＩＤｉに割当てられた資源の位置と同じである。
【０２０２】
長周期と短周期の到来が同時に起こることが予測される場合に（Ｓ８０１、Ｓ８０３）、基地局１００は、アップリンク基本割当てＡ−ＭＡＰメッセージを移動局２００に伝送し、長周期ＭＩＭＯフィードバックと短周期ＭＩＭＯフィードバックをすべて収容できる他の大きさの無線資源（Ｃ）をＡＣＩＤｉまたはＡＣＩＤｊに割当てる（Ｓ８０５）。
【０２０３】
長周期と短周期が同時に到来する時点で（Ｓ８０７、Ｓ８０９）、移動局２００は、長周期ＭＩＭＯフィードバックと短周期ＭＩＭＯフィードバックをすべて含むＨＡＲＱバーストを生成し、新たに割当てられた無線資源（Ｃ）を介してＡＣＩＤｉまたはＡＣＩＤｊでＨＡＲＱバーストを基地局１００に伝送する（Ｓ８１１）。
【０２０４】
基地局１００は、長周期ＭＩＭＯフィードバックを復号し、復号成功の可否を確認する（Ｓ８１３）。
【０２０５】
基地局１００が長周期ＭＩＭＯフィードバックの復号に成功すると、基地局１００は、ＡＣＫメッセージを移動局２００に伝送する（Ｓ８１５）。
【０２０６】
一方、基地局１００が新たな短周期ＭＩＭＯフィードバックの復号に失敗すると、基地局１００は、ＮＡＣＫメッセージを移動局２００に伝送する（Ｓ８１７）。
【０２０７】
基地局１００は、短周期ＭＩＭＯフィードバックを復号し、復号成功の可否を確認する（Ｓ８１９）。
【０２０８】
基地局１００が短周期ＭＩＭＯフィードバックの復号に成功すると、基地局１００は、ＡＣＫメッセージを移動局２００に伝送する（Ｓ８２１）。
【０２０９】
一方、基地局１００が新たな短周期ＭＩＭＯフィードバックの復号に失敗すると、基地局１００は、ＮＡＣＫメッセージを移動局２００に伝送する（Ｓ８２３）。
【０２１０】
本発明の実施形態にかかる広帯域無線接続システムにおけるＭＩＭＯフィードバック伝送方法によれば、基地局１００は、多様なＭＩＭＯ伝送モードに要求される無線チャネル状態情報を多様な類型のフィードバックモードに区分し、複数のＭＩＭＯフィードバック（ｆｅｅｄｂａｃｋ）を移動局２００に割当て（ｍｕｌｔｉｐｌｅ  ａｌｌｏｃａｔｉｏｎ）、資源割当て情報に基づき、移動局２００は、規則２−５と規則２−６に従ってＭＩＭＯフィードバック情報を構成することができる。
【０２１１】
規則２−５：移動局２００は、拡張ヘッダ（ｅｘｔｅｎｄｅｄ  ｈｅａｄｅｒ）であるＭＩＭＯフィードバック拡張ヘッダ（ＭＩＭＯ  Ｆｅｅｄｂａｃｋ  Ｅｘｔｅｎｄｅｄ  Ｈｅａｄｅｒ、ＭＦＥＨ）にＭＡＰ制御信号を通じてフィードバックを割当てる時、受信したＭＩＭＯフィードバックモードを区分するビットマップ（Ｂｉｔｍａｐ）であるＭＦＭ＿ｂｉｔｍａｐを用いて、表６のように、ＭＩＭＯ  Ｆｅｅｄｂａｃｋ  Ｍｏｄｅ（ＭＦＭ）に応じたチャネル情報を複数に構成可能とする。ＭＦＭ＿ｂｉｔｍａｐは、移動局がフィードバックポーリングＡ−ＭＡＰメッセージを通じて受信したビットマップに相当することができる。表６は、本発明の実施形態にかかるＭＩＭＯフィードバック拡張ヘッダを示す。
【表６】
2013521694.tif 000042
2013521694.tif 000043
2013521694.tif 000044
【０２１２】
表６から明らかなように、本発明の実施形態にかかるＭＩＭＯフィードバック拡張ヘッダは、タイプフィールド、ＭＩＭＯフィードバックモードビットマップフィールドを含み、ＭＩＭＯフィードバックモードビットマップフィールドで当該ビットが１にセットされた１つ以上のＭＩＭＯフィードバックモードのチャネル情報を含む。
【０２１３】
規則２−６：移動局２００は、ＭＡＣ制御メッセージ（ＭＡＣ  ｃｏｎｔｒｏｌ  ｍｅｓｓａｇｅ）である単一基地局ＭＩＭＯフィードバックメッセージ（ＡＡＩ＿ＳｉｎｇｌｅＢＳ＿ＭＩＭＯ＿ＦＢＫ  ｍｅｓｓａｇｅ）とマルチ基地局ＭＩＭＯフィードバックメッセージ（ＡＡＩ＿ＭｕｌｔｉＢＳ＿ＭＩＭＯ＿ＦＢＫ  ｍｅｓｓａｇｅ）を通じてＭＩＭＯフィードバック情報を伝送する。表７は、ＡＡＩ＿ＳｉｎｇｌｅＢＳ＿ＭＩＭＯ＿ＦＢＫメッセージを示す。表７に示されているように、ＡＡＩ＿ＳｉｎｇｌｅＢＳ＿ＭＩＭＯ＿ＦＢＫメッセージは、複数の各種ＭＦＭチャネル情報を含み、１つのフィードバックメッセージがすべてのフィードバックモードを収容できるようにする。つまり、フィードバックメッセージは、ＭＦＭ＝０、１、４、７に対するフィードバックモードも収容できるように構成される。
【表７】
2013521694.tif 000045
2013521694.tif 000046
2013521694.tif 000047
2013521694.tif 000048
【０２１４】
表７から明らかなように、本発明の実施形態にかかる単一基地局ＭＩＭＯフィードバックメッセージは、管理メッセージタイプフィールド、ＭＩＭＯフィードバックモードビットマップフィールド、およびＭＩＭＯフィードバックモードビットマップフィールドで当該ビットが１にセットされた１つ以上のＭＩＭＯフィードバックモードのチャネル情報を含む。また、長周期（ｑ）が０より大きく、ＭＩＭＯフィードバックモードが３、６、４、または７の場合に、単一基地局ＭＩＭＯフィードバックメッセージは、伝送相関関係マトリクスをさらに含む。
【０２１５】
表７において、ＭＩＭＯフィードバックモードビットマップの大きさは、支援されるＭＩＭＯフィードバックモードの個数と同じである。
【０２１６】
移動局２００は、ＭＩＭＯ  Ｆｅｅｄｂａｃｋ  Ｅｘｔｅｎｄｅｄ  Ｈｅａｄｅｒ（ＭＦＥＨ）あるいはＣｏｒｒｅｌａｔｉｏｎ  Ｍａｔｒｉｘ  Ｆｅｅｄｂａｃｋ  Ｅｘｔｅｎｄｅｄ  Ｈｅａｄｅｒ（ＣＭＦＥＨ）などの拡張ヘッダ（ｅｘｔｅｎｄｅｄ  ｈｅａｄｅｒ）をＭＡＣ階層でＭＡＣ  ＰＤＵ（ｐｒｏｔｏｃｏｌ  ｄａｔａ  ｕｎｉｔ）を構成するデータペイロード（ｐａｙｌｏａｄ）なしには単独形態（ｓｔａｎｄ−ａｌｏｎｅ）のＭＡＣ  ＰＤＵパケットで伝送することができない。したがって、本発明の実施形態にかかる広帯域無線接続システムにおけるＭＩＭＯフィードバック情報の伝送方法によれば、以下の方法でそれぞれＭＡＣ  ｓｉｇｎａｌｉｎｇ  ｈｅａｄｅｒで再構成し、ＭＩＭＯフィードバック情報をデータペイロードなしに単独形態（ｓｔａｎｄ−ａｌｏｎｅ）のパケットでも基地局１００に伝送できるようにする。
【０２１７】
規則２−７：多様な類型のＭＩＭＯフィードバックモードに応じたチャネル情報に対するＭＩＭＯ  ＦｅｅｄｂａｃｋをＲｅｐｏｒｔするために、移動局２００は、ＭＩＭＯ  Ｆｅｅｄｂａｃｋ  Ｍｏｄｅに応じたチャネル情報を、表８に示すようなＭＡＣ  Ｓｉｇｎａｌｉｎｇ  Ｈｅａｄｅｒに伝送し、ＭＡＣ  ＰＤＵを構成するデータペイロード（ｐａｙｌｏａｄ）なしに単独形態（ｓｔａｎｄ−ａｌｏｎｅ）のＭＡＣ  ＰＤＵパケットでも基地局１００に伝送できるようにする。
【表８】
2013521694.tif 000049
【０２１８】
表８から明らかなように、本発明の一実施形態にかかるシグナリングヘッダに相当するＭＩＭＯフィードバックレポートヘッダは、フロー識別子フィールド、タイプフィールド、ＭＩＭＯフィードバックモードフィールド、ＭＩＭＯフィードバックモードに相当するチャネル情報を含む。
【０２１９】
規則２−８：複数の多様なフィードバックモードのチャネル情報に対するＭＩＭＯ  ＦｅｅｄｂａｃｋをＲｅｐｏｒｔするために、移動局２００は、表９に示すようなＭＩＭＯ  Ｆｅｅｄｂａｃｋ  Ｒｅｐｏｒｔ  Ｈｅａｄｅｒを用いて、１つのＭＡＣ  Ｓｉｇｎａｌｉｎｇ  Ｈｅａｄｅｒが複数のＭＩＭＯ  Ｆｅｅｄｂａｃｋ  Ｍｏｄｅに応じたチャネル情報を収容できるようにし、移動局２００がデータペイロード（ｐａｙｌｏａｄ）なしに単独形態（ｓｔａｎｄ−ａｌｏｎｅ）のＭＡＣ  ＰＤＵパケットでも基地局１００にチャネル情報を伝送できるように構成する。表９のＭＩＭＯ  ｆｅｅｄｂａｃｋ  ｒｅｐｏｒｔ  ｈｅａｄｅｒは、ＭＦＭ０、１、４、７に相当するｗｉｄｅｂａｎｄ  ｉｎｆｏｒｍａｔｉｏｎのための３個のＭＦＭ  ｆｅｅｄｂａｃｋ  ｃｏｎｔｅｎｔを収容することができる。また、表９のＭＩＭＯ  ｆｅｅｄｂａｃｋ  ｒｅｐｏｒｔ  ｈｅａｄｅｒは、ＭＦＭ２、３、４、６に相当するｓｕｂｂａｎｄ  ｉｎｆｏｒｍａｔｉｏｎのための１つのＭＦＭ  ｆｅｅｄｂａｃｋ  ｃｏｎｔｅｎｔを収容することができる。
【０２２０】
表９は、本発明の実施形態にかかるＭＩＭＯ  Ｆｅｅｄｂａｃｋ  Ｒｅｐｏｒｔ  Ｈｅａｄｅｒを示す。
【表９】
2013521694.tif 000050
2013521694.tif 000051
【０２２１】
表９から明らかなように、本発明の他の実施形態にかかるシグナリングヘッダに相当するＭＩＭＯフィードバックレポートヘッダは、フロー識別子フィールド、タイプフィールド、ＭＩＭＯフィードバックモードビットマップ、およびＭＩＭＯフィードバックモードビットマップフィールドで当該ビットが１にセットされた１つ以上のＭＩＭＯフィードバックモードのチャネル情報を含む。
【０２２２】
規則２−９：多様なＭＩＭＯ伝送モードに要求される無線チャネル状態情報において、様々な類型のフィードバックモードのうち、特定のモード（例えば、ＭＦＭ３、４、６、あるいは７）の伝送相関関係マトリクス（Ｔｒａｎｓｍｉｔ  Ｃｏｒｒｅｌａｔｉｏｎ  Ｍａｔｒｉｘ）に対するＭＩＭＯ  ＦｅｅｄｂａｃｋをＲｅｐｏｒｔするために、移動局２００は、Ｃｏｒｒｅｌａｔｉｏｎ  Ｍａｔｒｉｘ  Ｆｅｅｄｂａｃｋに対するＭＩＭＯフィードバック情報を、表１０に示すようなＭＡＣ  Ｓｉｇｎａｌｉｎｇ  Ｈｅａｄｅｒに伝送し、ＭＡＣ  ＰＤＵを構成するデータペイロード（ｐａｙｌｏａｄ）なしに単独形態（ｓｔａｎｄ−ａｌｏｎｅ）のＭＡＣ  ＰＤＵパケットでも基地局１００に伝送できるようにする。
【表１０】
2013521694.tif 000052
【０２２３】
表１０から明らかなように、本発明の実施形態にかかるシグナリングヘッダである相関関係マトリクスフィードバックレポートヘッダは、フロー識別子フィールド、タイプフィールド、および伝送相関関係マトリクスを含む。
【０２２４】
本発明の実施形態にかかる広帯域無線接続システムにおけるＭＩＭＯフィードバック伝送方法によれば、移動局２００は、規則２−７ないし２−９で説明したように、ＭＡＣ、ＰＤＵを構成するデータペイロード（ｐａｙｌｏａｄ）のない単独形態（ｓｔａｎｄ−ａｌｏｎｅ）のパケットに相当するＭＡＣ  Ｓｉｇｎａｌｉｎｇ  Ｈｅａｄｅｒを介してＭＩＭＯフィードバック情報を基地局１００に伝送することができる。また、基地局１００が多様なＭＩＭＯ伝送モードに要求される無線チャネル状態情報を要請するために、多様な類型のフィードバックモードに対する複数のＭＩＭＯフィードバック（ｆｅｅｄｂａｃｋ）を移動局２００に割当て（ｍｕｌｔｉｐｌｅａｌｌｏｃａｔｉｏｎ）る場合にも、移動局２００は、先に説明したＭＡＣ  ｃｏｎｔｒｏｌ  ｍｅｓｓａｇｅあるいは拡張ヘッダ（ｅｘｔｅｎｄｅｄ  ｈｅａｄｅｒ）あるいはデータペイロードなどが共に結合された形態の他のＭＡＣ  ＰＤＵと共に連鎖（ｃｏｎｃａｔｅｎａｔｉｏｎ）的に連結し、ＭＩＭＯフィードバック情報を基地局１００に伝送することもできる。
【０２２５】
次に、図９および図１０を参照して、本発明の実施形態にかかる基地局１００と移動局２００を説明する。
【０２２６】
図９は、本発明の実施形態にかかる基地局の構造を示すブロック図である。
【０２２７】
図９に示されているように、本発明の実施形態にかかる基地局１００は、ＭＩＭＯフィードバック割当て決定部１１０と、フィードバックポーリングＡ−ＭＡＰ生成部１２０と、フィードバックポーリングＡ−ＭＡＰ伝送部１３０と、アップリンク基本割当てＡ−ＭＡＰ生成部１４０と、アップリンク基本割当てＡ−ＭＡＰ伝送部１５０と、ＭＩＭＯフィードバック受信部１６０と、ＭＩＭＯフィードバック復号部１７０と、受信確認メッセージ伝送部１８０とを含む。
【０２２８】
ＭＩＭＯフィードバック割当て決定部１１０は、移動局２００のＭＩＭＯフィードバックのためのＨＡＲＱチャネル識別子（ＡＣＩＤ）、移動局２００のＭＩＭＯフィードバックのための周期、移動局２００のＭＩＭＯフィードバックモード、ＨＡＲＱチャネル識別子（ＡＣＩＤ）に割当てられるアップリンク資源を決定する。
【０２２９】
フィードバックポーリングＡ−ＭＡＰ生成部１２０は、移動局２００のＭＩＭＯフィードバックのためのＨＡＲＱチャネル識別子（ＡＣＩＤ）、移動局２００のＭＩＭＯフィードバックのための周期、移動局２００のＭＩＭＯフィードバックモードを含む１つ以上のフィードバックポーリングＡ−ＭＡＰを生成する。
【０２３０】
フィードバックポーリングＡ−ＭＡＰ伝送部１３０は、生成された１つ以上のフィードバックポーリングＡ−ＭＡＰを移動局２００に伝送する。
【０２３１】
アップリンク基本割当てＡ−ＭＡＰ生成部１４０は、ＨＡＲＱチャネル識別子（ＡＣＩＤ）に割当てられるアップリンク資源の情報を含むアップリンク基本割当てＡ−ＭＡＰを生成する。
【０２３２】
アップリンク基本割当てＡ−ＭＡＰ伝送部１５０は、生成されたアップリンク基本割当てＡ−ＭＡＰを移動局２００に伝送する。
【０２３３】
ＭＩＭＯフィードバック受信部１６０は、移動局からＭＩＭＯフィードバックを報告するＨＡＲＱバーストを受信する。ＭＩＭＯフィードバックとして、単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダが受信できる。
【０２３４】
ＭＩＭＯフィードバック復号部１７０は、受信したＨＡＲＱバーストを復号する。
【０２３５】
受信確認メッセージ伝送部１８０は、ＨＡＲＱバーストに対する復号成功の可否に対する受信確認メッセージを移動局２００に伝送する。前のＭＩＭＯフィードバックよりも先に新たなＭＩＭＯフィードバックが正常に復号された場合、受信確認メッセージ伝送部１８０は、前のＭＩＭＯフィードバックに対するＮＡＣＫを伝送することなく、前のＭＩＭＯフィードバックに対する再伝送手順を終了する。
【０２３６】
図１０は、本発明の実施形態にかかる移動局の構造を示すブロック図である。
【０２３７】
図１０は、本発明の実施形態にかかる移動局２００は、フィードバックポーリングＡ−ＭＡＰ受信部２１０と、アップリンク基本割当てＡ−ＭＡＰ受信部２２０と、チャネル情報推定部２３０と、ＭＩＭＯフィードバック生成部２４０と、ＭＩＭＯフィードバック伝送部２５０と、受信確認メッセージ受信部２６０とを含む。
【０２３８】
フィードバックポーリングＡ−ＭＡＰ受信部２１０は、基地局１００からフィードバックポーリングＡ−ＭＡＰを受信する。
【０２３９】
アップリンク基本割当てＡ−ＭＡＰ受信部２２０は、基地局１００からアップリンク基本割当てＡ−ＭＡＰを受信する。
【０２４０】
チャネル情報推定部２３０は、フィードバックポーリングＡ−ＭＡＰによって割当てられたＭＩＭＯフィードバックモードに相当するチャネル情報を推定する。
【０２４１】
ＭＩＭＯフィードバック生成部２４０は、ＭＩＭＯフィードバックの内容に応じて、ＭＩＭＯフィードバックとして、単一基地局ＭＩＭＯフィードバックメッセージ、マルチ基地局ＭＩＭＯフィードバックメッセージ、ＭＩＭＯフィードバック拡張ヘッダ、ＭＩＭＯフィードバックレポートヘッダ、相関関係マトリクスフィードバックレポートヘッダを生成することができる。
【０２４２】
ＭＩＭＯフィードバック伝送部２５０は、生成したＭＩＭＯフィードバックを報告するＨＡＲＱバーストを基地局１００に伝送する。
【０２４３】
受信確認メッセージ受信部２６０は、ＨＡＲＱバーストに対する復号成功の可否に対する受信確認メッセージを基地局１００から受信する。ＮＡＣＫが受信されると、受信確認メッセージ受信部２６０は、ＭＩＭＯフィードバック伝送部２５０にＭＩＭＯフィードバックの再伝送を指示する。しかし、前のＭＩＭＯフィードバックに対するＡＣＫよりも新たなＭＩＭＯフィードバックに対するＡＣＫが受信された場合、受信確認メッセージ受信部２６０は、前のＭＩＭＯフィードバックの再伝送をＭＩＭＯフィードバック伝送部２５０に指示することなく、前のＭＩＭＯフィードバックに対する再伝送手順を終了する。
【０２４４】
以上で説明した本発明の実施形態は、装置および方法によってのみ実現されるのではなく、本発明の実施形態の構成に対応する機能を実現するプログラムまたはそのプログラムが記録された記録媒体を介して実現されていてもよく、このような実現は、先に説明した実施形態の記載から本発明の属する技術分野における専門家であれば容易に実現することができる。
【０２４５】
以上、本発明の実施形態について詳細に説明したが、本発明の権利範囲は、これに限定されるものではなく、下記の請求の範囲で定義している本発明の基本概念を利用した当業者の様々な変形および改良形態も本発明の権利範囲に属する。
【手続補正２】
【補正対象書類名】特許請求の範囲
【補正対象項目名】全文
【補正方法】変更
【補正の内容】
【特許請求の範囲】
【請求項１】
ＭＩＭＯ（ｍｕｌｔｉ−ｉｎｐｕｔ  ｍｕｌｔｉ−ｏｕｔｐｕｔ）フィードバックモードビットマップを受信するステップと、
前記ＭＩＭＯフィードバックモードビットマップが指示する少なくとも１つのＭＩＭＯフィードバックモードに相当するチャネル情報を推定するステップと、
前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを生成するステップと、
前記ＭＩＭＯフィードバックを基地局に伝送するステップとを含むことを特徴とする移動局のＭＩＭＯフィードバック伝送方法。
【請求項２】
前記ＭＩＭＯフィードバックモードビットマップは、
広帯域チャネル品質情報を報告する１つ以上のＭＩＭＯフィードバックモードをそれぞれ示す１つ以上のビットと、
サブバンドチャネル品質情報を報告する１つ以上のＭＩＭＯフィードバックモードをそれぞれ示す１つ以上のビットとを含むことを特徴とする請求項１に記載の移動局のＭＩＭＯフィードバック伝送方法。
【請求項３】
フィードバック周期に対する情報を受信するステップをさらに含み、
前記フィードバック周期の到来時に、前記ＭＩＭＯフィードバックが伝送されることを特徴とする請求項２に記載のＭＩＭＯフィードバック伝送方法。
【請求項４】
前記ＭＩＭＯフィードバックのためのＨＡＲＱチャネル識別子に対する情報を受信するステップと、
前記ＨＡＲＱチャネル識別子に割当てられた無線資源に対する情報を受信するステップとをさらに含み、
前記ＭＩＭＯフィードバックは、前記ＨＡＲＱチャネル識別子に割当てられた無線資源を介して伝送されることを特徴とする請求項３に記載のＭＩＭＯフィードバック伝送方法。
【請求項５】
ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、
前記ＭＩＭＯフィードバック要請に対する応答として、前記ＭＩＭＯフィードバックモードビットマップ、前記ＭＩＭＯフィードバックモードビットマップが指示する少なくとも１つのＭＩＭＯフィードバックモードに相当するチャネル情報を含むＭＩＭＯフィードバックを前記移動局から受信するステップとを含むことを特徴とする基地局のＭＩＭＯフィードバック受信方法。
【請求項６】
前記ＭＩＭＯフィードバックモードビットマップは、
広帯域チャネル品質情報を報告する１つ以上のＭＩＭＯフィードバックモードをそれぞれ示す１つ以上のビットと、
サブバンドチャネル品質情報を報告する１つ以上のＭＩＭＯフィードバックモードをそれぞれ示す１つ以上のビットとを含むことを特徴とする請求項５に記載の移動局のＭＩＭＯフィードバック伝送方法。
【請求項７】
ＭＩＭＯフィードバックのためのＨＡＲＱチャネル識別子に対する情報を前記移動局に伝送するステップと、
前記ＨＡＲＱチャネル識別子に割当てられた無線資源に対する情報を前記移動局に伝送するステップとをさらに含み、
前記ＭＩＭＯフィードバック要請は、フィードバック周期に対する情報を含み、
前記フィードバック周期の到来時に、前記ＭＩＭＯフィードバックは、前記ＨＡＲＱチャネル識別子に割当てられた無線資源を介して受信されることを特徴とする請求項６に記載のＭＩＭＯフィードバック受信方法。
【請求項８】
ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を受信するステップと、
ＭＩＭＯのためのチャネル情報を推定するステップと、
推定されたチャネル情報を含むシグナリングヘッダを生成するステップと、
前記ＭＩＭＯフィードバック周期の到来時に、単独またはＭＡＣプロトコルデータユニットと共に、前記シグナリングヘッダを基地局に伝送するステップとを含むことを特徴とする移動局のＭＩＭＯフィードバック伝送方法。
【請求項９】
前記ＭＩＭＯフィードバック要請は、第１ＭＩＭＯフィードバックモードビットマップを含み、
前記チャネル情報を推定するステップは、
前記第１ＭＩＭＯフィードバックモードビットマップが指示する少なくとも１つのＭＩＭＯフィードバックモードに相当するチャネル情報を推定するステップを含むことを特徴とする請求項８に記載のＭＩＭＯフィードバック伝送方法。
【請求項１０】
前記チャネル情報は、チャネル品質情報に相当することを特徴とする請求項９に記載のＭＩＭＯフィードバック伝送方法。
【請求項１１】
前記シグナリングヘッダは、前記少なくとも１つのＭＩＭＯフィードバックモードを示す第２ＭＩＭＯフィードバックモードビットマップをさらに含むことを特徴とする請求項１０に記載のＭＩＭＯフィードバック伝送方法。
【請求項１２】
前記チャネル情報は、伝送相関関係マトリクスに相当することを特徴とする請求項８に記載のＭＩＭＯフィードバック伝送方法。
【請求項１３】
ＭＩＭＯ（ｍｕｌｔｉ−ｉｎｐｕｔ  ｍｕｌｔｉ−ｏｕｔｐｕｔ）フィードバック周期に対する情報を含むＭＩＭＯフィードバック要請を移動局に伝送するステップと、
前記ＭＩＭＯフィードバック要請に対する応答として、前記ＭＩＭＯフィードバック周期の到来時に、ＭＩＭＯのためのチャネル情報を含むシグナリングヘッダを、単独またはＭＡＣプロトコルデータユニットと共に、前記移動局から受信するステップとを含むことを特徴とする基地局のＭＩＭＯフィードバック受信方法。
【請求項１４】
前記ＭＩＭＯフィードバック要請は、第１ＭＩＭＯフィードバックモードビットマップを含み、
前記チャネル情報は、前記第１ＭＩＭＯフィードバックモードビットマップが指示する少なくとも１つのＭＩＭＯフィードバックモードに相当する情報に相当し、
前記シグナリングヘッダは、前記少なくとも１つのＭＩＭＯフィードバックモードを示す第２ＭＩＭＯフィードバックモードビットマップをさらに含むことを特徴とする請求項１３に記載のＭＩＭＯフィードバック受信方法。
【請求項１５】
前記チャネル情報は、チャネル品質情報に相当することを特徴とする請求項１４に記載のＭＩＭＯフィードバック受信方法。
【請求項１６】
前記チャネル情報は、伝送相関関係マトリクスに相当することを特徴とする請求項１３に記載のＭＩＭＯフィードバック受信方法。
【請求項１７】
第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を受信するステップと、
前記第１ＭＩＭＯフィードバックモードビットマップが指示する少なくとも１つのＭＩＭＯフィードバックモードに相当するチャネル情報を推定するステップと、
前記少なくとも１つのＭＩＭＯフィードバックモードを示す第２ＭＩＭＯフィードバックモードビットマップ、および前記少なくとも１つのＭＩＭＯフィードバックモードに相当するチャネル情報を含むＭＩＭＯフィードバックヘッダを生成するステップと、
前記ＭＩＭＯフィードバックヘッダを基地局に伝送するステップとを含むことを特徴とする移動局のＭＩＭＯフィードバック伝送方法。
【請求項１８】
前記第２ＭＩＭＯフィードバックモードビットマップは、
広帯域チャネル品質情報を報告する１つ以上のＭＩＭＯフィードバックモードをそれぞれ示す１つ以上のビットを含むことを特徴とする請求項１７に記載のＭＩＭＯフィードバック伝送方法。
【請求項１９】
ＭＩＭＯフィードバック要請は、フィードバック周期に対する情報を含み、
前記フィードバック周期の到来時に、前記ＭＩＭＯフィードバックヘッダが伝送されることを特徴とする請求項１７に記載のＭＩＭＯフィードバック伝送方法。
【請求項２０】
第１ＭＩＭＯ（ｍｕｌｔｉ−ｉｎｐｕｔ  ｍｕｌｔｉ−ｏｕｔｐｕｔ）フィードバックモードビットマップを含むＭＩＭＯフィードバック要請を移動局に伝送するステップと、
前記ＭＩＭＯフィードバック要請に対する応答として、前記第１ＭＩＭＯフィードバックモードビットマップが指示する前記少なくとも１つのＭＩＭＯフィードバックモードに相当するチャネル情報と、前記少なくとも１つのＭＩＭＯフィードバックモードを示す第２ＭＩＭＯフィードバックモードビットマップを含むＭＩＭＯフィードバックヘッダを前記移動局から受信するステップとを含むことを特徴とする基地局のＭＩＭＯフィードバック受信方法。
【請求項２１】
前記第２ＭＩＭＯフィードバックモードビットマップは、
広帯域チャネル品質情報を報告する１つ以上のＭＩＭＯフィードバックモードをそれぞれ示す１つ以上のビットを含むことを特徴とする請求項２０に記載のＭＩＭＯフィードバック受信方法。
【国際調査報告】
2013521694.tif 000053
2013521694.tif 000054
2013521694.tif 000055
2013521694.tif 000056
2013521694.tif 000057
2013521694.tif 000058